(57)【要約】タグ本体部と、タグ本体部と分離可能なタグ断片部と、送信すべき情報を記憶する情報保持部と、タグ本体部とタグ断片部との分離状態を認識する分離状態認識部と、分離状態に基づいて情報保持部から情報を送信するための送信制御を行う制御部と、情報保持部と分離状態認識部と制御部とに電力をそれぞれ供給する電力供給部とを、タグ本体部とタグ断片部とにそれぞれ独立して備えて状態認識タグを構成しタグ本体部用制御部タグ断片部用制御部タグ本体部用制御部タグ断片部用制御部、タグ本体部とタグ断片部が分離しているときでも結合しているときでも、必要に応じてタグ本体部、タグ断片部ともにタグとしての機能を持たせることができ、さらに、タグ本体部とタグ断片部との分離状態に応じて異なった情報をユーザに提供可能である。
2005119585.tif 000002
【特許請求の範囲】
【請求項１】
タグリーダ／ライタで認識可能なタグ本体部と、
上記タグ本体部と分離可能且つタグリーダ／ライタで認識可能なタグ断片部と、
上記タグ本体部に備えられ且つ上記タグ本体部を認識する上記タグリーダ／ライタに送信すべき情報を記憶するタグ本体部用情報保持部と、
上記タグ断片部に備えられ且つ上記タグ断片部を認識する上記タグリーダ／ライタに送信すべき情報を記憶するタグ断片部用情報保持部と、
上記タグ本体部に備えられ且つ上記タグ本体部と上記タグ断片部との分離状態を認識するタグ本体部用分離状態認識部と、
上記タグ断片部に備えられ且つ上記タグ本体部と上記タグ断片部との上記分離状態を認識するタグ断片部用分離状態認識部と、
上記タグ本体部に備えられ且つ上記タグ本体部用分離状態認識部で認識された上記分離状態に基づき、上記タグ本体部と上記タグ断片部とが分離しているか結合しているかによって上記タグ本体部用情報保持部に保持した情報をそれぞれ選択し、タグリーダ／ライタからの情報に基づき選択された情報の送信、書き換え、又は、追記を行なうタグ本体部用制御部と、
上記タグ断片部に備えられ且つ上記タグ断片部用分離状態認識部で認識された上記分離状態に基づき、上記タグ本体部と上記タグ断片部とが分離しているか結合しているかによって上記タグ断片部用情報保持部に保持した情報をそれぞれ選択し、タグリーダ／ライタからの情報に基づき選択された情報の送信、書き換え、又は、追記を行なうタグ断片部用制御部と、
上記タグ本体部に備えられ且つ、上記タグ本体部用情報保持部と上記タグ本体部用分離状態認識部と上記タグ本体部用制御部とに電力を供給するタグ本体部用電力供給部と、
上記タグ断片部に備えられ且つ、上記タグ断片部用情報保持部と上記タグ断片部用分離状態認識部と上記タグ断片部用制御部とに電力を供給するタグ断片部用電力供給部と、
を備える状態認識タグ。
【請求項２】
上記タグ断片部と同様な機能を持つ少なくとも１つ以上の追加のタグ断片部を上記タグ本体部又は上記タグ断片部に分離可能に連結可能であり、上記タグ本体部と上記タグ断片部と上記追加のタグ断片部とのうちの上記いずれかの分離状態認識部は、上記タグ断片部及び上記追加のタグ断片部のそれぞれの分離状態を認識し、上記制御部は、上記いずれかの分離状態認識部により認識した上記分離状態によって上記情報保持部から上記タグリーダ／ライタに送信すべき情報を選択し、送信するか否かを決定し、送信するのであれば上記情報保持部から選択された情報を、上記タグリーダ／ライタに送信するための送信制御を行う請求項１に記載の状態認識タグ。
【請求項３】
上記タグ本体部と上記タグ断片部との間での分離する部分又は上記タグ断片部と上記追加のタグ断片部との間での分離する部分には、上記タグ本体部と上記タグ断片部とを分離可能な切れ目を有する請求項１又は２のいずれかに記載の状態認識タグ。
【請求項４】
上記タグ本体部と上記タグ断片部との間での分離する部分又は上記タグ断片部と上記追加のタグ断片部との間での分離する部分には、上記分離する部分のうちの一方を有する第１係合部と、上記第１係合部に分離係合可能かつ分離後に再結合可能でかつ上記分離する部分のうちの他方を有する第２係合部とを有する係合構造を有する請求項１又は２に記載の状態認識タグ。
【請求項５】
請求項１又は２に記載の状態認識タグの上記タグ本体部と上記タグ断片部のうちのいずれか一方が配置された容器本体と、
上記容器本体と分離可能に結合されかつ上記タグ本体部と上記タグ断片部のうちのいずれか他方が配置された蓋とを備えて、上記蓋と上記容器本体とを結合させるとき上記タグ本体部と上記タグ断片部とが結合し、上記蓋を上記容器本体から分離させるとき上記タグ本体部と上記タグ断片部とが分離する容器。
【発明の詳細な説明】
【技術分野】
【０００１】  本発明は、タグ本体部に設けられた１つ以上の分離位置のどの位置からタグ断片部が切り離されたかを認識することによって、タグ本体部及び、タグ断片部からタグリーダ／ライタに送信する情報を変更する、状態認識タグに関する。
【背景技術】
【０００２】  現在、ＩＣタグはバーコードに代わる新技術として期待されており、将来的にはバーコードに取って代わり、あらゆる物品にタグが付されることが考えられる。物品に付されるタグに記録される情報としては物品名称や物品ＩＤ、値段、消費期限、商品情報などが考えられる。しかしながら、物品は常に一定の状態に留まっていることはなく、物品によっては分離、結合するものもある。このような場合タグから発信する情報としては、分離したときは分離した物品のパーツの各情報を、結合したときは結合して一体となったときの物品の情報を、といったように現在の各物品の状況に適した情報であることが望ましい。【０００３】  一方、特許文献１（特開２００２−３６２６１３号公報）では、静電結合型のＩＣチップを利用した技術が開示されている。その手段として、包装基材上に、切断されて分離することで接触する箇所がなく２個の互いに独立したアンテナ部が形成されるように導電性層を形成し、このアンテナ部である導電性層上に外部機器と情報を教授することが可能となる静電結合型の非接触ＩＣチップが積層されている。【０００４】  また、特許文献２（特開平１０−０３９７５８号公報）では、共振タグを利用した技術が開示されている。その手段として、コイル部、コンデンサ部、またはその間に切断のための切れ目を設けることによって、あらかじめ設定した周波数帯に変化させたり、共振現象を起こさせなくしたりすることが可能となる。【０００５】  また、特許文献３（特開２００２−６００１２号公報）では、物品に貼り付けた物品輸送用伝票から伝票を切り取ると、導電パターンの一部が切り離されて電気的特性が変化し、伝票検知部から制御部に検知情報が送られ、ＩＤコード「５４３２１」の使用を中止するようにしたものがある。【０００６】  また、特許文献４（特開２００３−１２３０４６号公報）では、互いに分離可能に連設された親カード及び１枚又は複数枚の子カードを備えて顧客カードを構成し、親カード及び子カードにはそれぞれ非接触ＩＣタグが搭載され、各非接触ＩＣタグには同一の認識コードが記憶されているようにしたものがある。
【発明の開示】
【発明が解決しようとする課題】
【０００７】  しかしながら、上記特許文献１は、包装基材が切断・開封されることで初めてタグとして機能を開始する。つまり、開封以前はタグとして機能することはない。【０００８】  また、上記特許文献２は、タグを切り取ることによって変化するのは周波数のみであり、タグ切り取り前後でタグからの発信情報を変更することはできない。また、切り取ったタグの断片部分もタグとしての機能を有していることはない。【０００９】  また、上記特許文献３はタグを備えていない。【００１０】  また、上記特許文献４は、分離切断されたことをタグでは認識できないため、他の文献を考慮しても、分離切断されることによってタグの情報が変化しないため、分離状態を検出することができなかった。【００１１】  したがって、本発明の目的は、上記課題を解決することにあって、タグ本体部とタグ断片部との間での分離状態を認識して、タグ本体部及び、タグ断片部からタグリーダ／ライタに送信する情報を変更することができる状態認識タグを提供することである。
【課題を解決するための手段】
【００１２】  本発明は、上記目的を達成するため、以下のように構成している。【００１３】  本発明の第一態様によれば、タグリーダ／ライタで認識可能なタグ本体部と、
上記タグ本体部と分離可能且つタグリーダ／ライタで認識可能なタグ断片部と、
上記タグ本体部に備えられ且つ上記タグ本体部を認識する上記タグリーダ／ライタに送信すべき情報を記憶するタグ本体部用情報保持部と、
上記タグ断片部に備えられ且つ上記タグ断片部を認識する上記タグリーダ／ライタに送信すべき情報を記憶するタグ断片部用情報保持部と、
上記タグ本体部に備えられ且つ上記タグ本体部と上記タグ断片部との分離状態を認識するタグ本体部用分離状態認識部と、
上記タグ断片部に備えられ且つ上記タグ本体部と上記タグ断片部との上記分離状態を認識するタグ断片部用分離状態認識部と、
上記タグ本体部に備えられ且つ上記タグ本体部用分離状態認識部で認識された上記分離状態に基づき、上記タグ本体部と上記タグ断片部とが分離しているか結合しているかによって上記タグ本体部用情報保持部に保持した情報をそれぞれ選択し、上記タグリーダ／ライタからの情報に基づき選択された情報の送信、書き換え、又は、追記を行なうタグ本体部用制御部と、
上記タグ断片部に備えられ且つ上記タグ断片部用分離状態認識部で認識された上記分離状態に基づき、上記タグ本体部と上記タグ断片部とが分離しているか結合しているかによって上記タグ断片部用情報保持部に保持した情報をそれぞれ選択し、上記タグリーダ／ライタからの情報に基づき選択された情報の送信、書き換え、又は、追記を行なうタグ断片部用制御部タグ断片部用制御部と、
上記タグ本体部に備えられ且つ、上記タグ本体部用情報保持部と上記タグ本体部用分離状態認識部と上記タグ本体部用制御部とに電力を供給するタグ本体部用電力供給部と、
上記タグ断片部に備えられ且つ、上記タグ断片部用情報保持部と上記タグ断片部用分離状態認識部と上記タグ断片部用制御部とに電力を供給するタグ断片部用電力供給部と、
を備える状態認識タグを提供するものである。
【発明の効果】
【００１４】  以上のように、本発明はタグ本体部と、上記タグ本体部と分離可能なタグ断片部と、送信すべき情報を記憶するタグ本体部用情報保持部と、タグ断片部用情報保持部と、上記タグ本体部とタグ断片部との分離状態を認識するタグ本体部用分離状態認識部と、タグ断片部用分離状態認識部と、上記分離状態に基づいて、情報の送信、書き換え、又は、追記を行なうタグ本体部用制御部と、情報の送信、書き換え、又は、追記を行なうタグ断片部用制御部と、上記タグ本体部用情報保持部、タグ本体部用分離状態認識部、タグ本体部用制御部に電力を供給するタグ本体部用電力供給部と、上記タグ断片部用情報保持部、タグ断片部用分離状態認識部、タグ断片部用制御部に電力を供給するタグ断片部用電力供給部という構成により、タグ本体部とタグ断片部が分離しているときでも結合しているときでも、必要に応じてタグ本体部、タグ断片部ともにタグとしての機能を持たせることができ、さらに、タグ本体部とタグ断片部との分離状態に応じて異なった情報をユーザに提供することも可能である。
【図面の簡単な説明】
【００１５】  本発明のこれらと他の目的と特徴は、添付された図面についての好ましい実施形態に関連した次の記述から明らかになる。この図面においては、
［図１］図１は、本発明の第１実施形態にかかる状態認識タグを用いた状態認識システムを示すブロック図であり、
［図２］図２は、上記状態認識タグにおいて接触センサを利用した状態認識タグの例を示す斜視図であり、
［図３］図３は、本発明の第１実施形態にかかる状態認識タグの構成例を示す図であり、
［図４］図４は、図３の状態認識タグにおける回路別電流入出力表を示す図であり、
［図５］図５は、図３の状態認識タグにおける回路別電流入出力表を示す図であり、
［図６］図６は、本発明の第２実施形態にかかる状態検知タグの構成例を示す図であり、
［図７Ａ］図７Ａは、図６の状態認識タグにおける回路別電力入出力表を示す図であり、
［図７Ｂ］図７Ｂは、図６の状態認識タグにおける回路別電力入出力表を示す図であり、
［図８Ａ］図８Ａは、第１、２実施形態にかかる状態認識タグにおける回路別電力入出力表を示す図であり、
［図８Ｂ］図８Ｂは、第１、２実施形態にかかる状態認識タグにおける回路別電力入出力の説明図であり、
［図８Ｃ］図８Ｃは、第１、２実施形態にかかる状態認識タグにおける回路別電力入出力の説明図であり、
［図９］図９は、第２実施形態にかかる状態認識タグの１つの利用例を示す斜視図であり、
［図１０］図１０は、第２実施形態にかかる状態認識タグの別の利用例を示す斜視図であり、
［図１１Ａ］図１１Ａは、本発明の第３実施形態にかかる状態認識タグの分離位置の様々な例を示す図であり、
［図１１Ｂ］図１１Ｂは、本発明の第３実施形態にかかる状態認識タグの分離位置の様々な例を示す図であり、
［図１１Ｃ］図１１Ｃは、本発明の第３実施形態にかかる状態認識タグの分離位置の様々な例を示す図であり、
［図１１Ｄ］図１１Ｄは、本発明の第３実施形態にかかる状態認識タグの分離位置の様々な例を示す図であり、
［図１２Ａ］図１２Ａは、第３実施形態にかかる状態認識タグの物品に対する固定及び分離方法の一例を示す図であり、
［図１２Ｂ］図１２Ｂは、第３実施形態にかかる状態認識タグの物品に対する固定及び分離方法の別の例を示す図であり、
［図１２Ｃ］図１２Ｃは、第３実施形態にかかる状態認識タグの物品に対する固定及び分離方法のさらに別の例を示す図であり、
［図１２Ｄ］図１２Ｄは、第３実施形態にかかる状態認識タグの物品に対する固定及び分離方法のさらに別の例を示す図であり、
［図１３Ａ］図１３Ａは、第３実施形態にかかる状態認識タグの分離位置のさらに別の例を示す図であり、
［図１３Ｂ］図１３Ｂは、第３実施形態にかかる状態認識タグの分離位置のさらに別の例を示す図であり、
［図１３Ｃ］図１３Ｃは、第３実施形態にかかる状態認識タグの分離位置のさらに別の例を示す図であり、
［図１３Ｄ］図１３Ｄは、第３実施形態にかかる状態認識タグの分離位置のさらに別の例を示す図であり、
［図１３Ｅ］図１３Ｅは、第３実施形態にかかる状態認識タグの分離位置のさらに別の例を示す図であり、
［図１３Ｆ］図１３Ｆは、第３実施形態にかかる状態認識タグの分離位置のさらに別の例を示す図であり、
［図１４Ａ］図１４Ａは、本発明の第４実施形態にかかる状態認識タグの利用例を示す斜視図であり、
［図１４Ｂ］図１４Ｂは、本発明の第４実施形態にかかる状態認識タグの利用例を示す斜視図であり、
［図１４Ｃ］図１４Ｃは、本発明の第４実施形態にかかる状態認識タグの利用例を示す斜視図であり、
［図１５Ａ］図１５Ａは、図１４Ａの第４実施形態にかかる状態認識タグの利用例を示す斜視図であり、
［図１５Ｂ］図１５Ｂは、図１４Ａの第４実施形態にかかる状態認識タグの利用例を示す一部断面図であり、
［図１５Ｃ］図１５Ｃは、図１４Ｂの第５実施形態にかかる状態認識タグの利用例を示す斜視図であり、
［図１５Ｄ］図１５Ｄは、図１４Ｂの第５実施形態にかかる状態認識タグの利用例を示す一部断面図であり、
［図１５Ｅ］図１５Ｅは、図１４Ｃの第５実施形態にかかる状態認識タグの利用例を示す斜視図であり、
［図１５Ｆ］図１５Ｆは、図１４Ｃの第５実施形態にかかる状態認識タグの利用例を示す一部断面図であり、
［図１６］図１６は、本発明の第６実施形態にかかる状態認識タグを利用した容器の１つの構成例を示す斜視図であり、
［図１７］図１７は、第６実施形態にかかる状態認識タグを利用した容器の別の構成例並びにそのセキュリティーシステムを示す図であり、
［図１８Ａ］図１８Ａは、第６実施形態にかかる状態認識タグを利用した容器の別の構成例を示す斜視図であり、
［図１８Ｂ］図１８Ｂは、第６実施形態にかかる状態認識タグを利用した容器の別の構成例を示す斜視図であり、
［図１９Ａ］図１９Ａは、第６実施形態にかかる状態認識タグを利用した容器の別の構成例を示す斜視図であり、
［図１９Ｂ］図１９Ｂは、第６実施形態にかかる状態認識タグを利用した容器の別の構成例を示す斜視図であり、
［図１９Ｃ］図１９Ｃは、第６実施形態にかかる状態認識タグを利用した容器の別の構成例を示す斜視図であり、
［図２０Ａ］図２０Ａは、第６実施形態にかかる状態認識タグを利用した容器の別の構成例の開状態と閉状態をそれぞれ示す平面図であり、
［図２０Ｂ］図２０Ｂは、第６実施形態にかかる状態認識タグを利用した容器の別の構成例の開状態と閉状態をそれぞれ示す側面図であり、
［図２０Ｃ］図２０Ｃは、第６実施形態にかかる状態認識タグを利用した容器の別の構成例の開状態と閉状態をそれぞれ示す平面図であり、
［図２０Ｄ］図２０Ｄは、第６実施形態にかかる状態認識タグを利用した容器の別の構成例の開状態と閉状態をそれぞれ示す側面図であり、
［図２１Ａ］図２１Ａは、第６実施形態にかかる状態認識タグを利用した容器を示す斜視図であり、
［図２１Ｂ］図２１Ｂは、第６実施形態にかかる状態認識タグを利用した容器を示す平面図であり、
［図２２］図２２は、本発明の第４実施形態にかかる状態認識タグの分離位置に配置された分離係合可能かつ分離後に再結合可能な係合構造の例を示す図であり、
［図２３］図２３は、本発明の第４実施形態にかかる状態認識タグにおいて、背板の横板差し込み箇所に取り付けられたタグ本体部に対するタグ断片部の分離状態によって発信する情報が異なる例を示す図であり、
［図２４Ａ］図２４Ａは、本発明の第４実施形態にかかる状態認識タグにおいて、図２３に示した情報発信を実現するための構成例を示す図であり、
［図２４Ｂ］図２４Ｂは、本発明の第４実施形態にかかる状態認識タグにおいて、図２３に示した情報発信を実現するための図２４Ａの構成例に基づく情報例を示す図であり、
［図２５Ａ］図２５Ａは、第１実施形態にかかる状態認識タグを商品の値札タグに使用したときのタグ本体部の情報例を示す図であり、
［図２５Ｂ］図２５Ｂは、第１実施形態にかかる状態認識タグを商品の値札タグに使用したときのタグ本体部の保持情報例を示す図であり、
［図２５Ｃ］図２５Ｃは、第１実施形態にかかる状態認識タグを商品の値札タグに使用したときのタグ断片部の情報例を示す図であり、
［図２５Ｄ］図２５Ｄは、第１実施形態にかかる状態認識タグを商品の値札タグに使用したときのタグ断片部の保持情報例を示す図であり、
［図２６Ａ］図２６Ａは、第２実施形態にかかる状態認識タグを図９に記載の衣類に使用したときのタグ本体部の情報例を示す図であり、
［図２６Ｂ］図２６Ｂは、第２実施形態にかかる状態認識タグを図９に記載の衣類に使用したときのタグ本体部の保持情報例を示す図であり、
［図２６Ｃ］図２６Ｃは、第２実施形態にかかる状態認識タグを図９に記載の衣類に使用したときの第１タグ断片部の情報例を示す図であり、
［図２６Ｄ］図２６Ｄは、第２実施形態にかかる状態認識タグを図９に記載の衣類に使用したときの第１タグ断片部の保持情報例を示す図であり、
［図２６Ｅ］図２６Ｅは、第２実施形態にかかる状態認識タグを図９に記載の衣類に使用したときの第２タグ断片部の情報例を示す図であり、
［図２６Ｆ］図２６Ｆは、第２実施形態にかかる状態認識タグを図９に記載の衣類に使用したときの第２タグ断片部の保持情報例を示す図であり、
［図２７Ａ］図２７Ａは、タグ本体部と第１タグ断片部とが結合し、第１タグ断片部と第２タグ断片部とが結合している、状態１のタグを示す図であり、
［図２７Ｂ］図２７Ｂは、タグ本体部と第１タグ断片部とが結合し、第１タグ断片部と第２タグ断片部とが分離している、状態２のタグを示す図であり、
［図２７Ｃ］図２７Ｃは、タグ本体部と第１タグ断片部とが分離し、第１タグ断片部と第２タグ断片部とが分離している、状態３のタグを示す図であり、
［図２７Ｄ］図２７Ｄは、タグ本体部と第１タグ断片部とが分離し、第１タグ断片部と第２タグ断片部とが結合している、状態４のタグを示す図であり、
［図２８Ａ］図２８Ａは、図２７Ａの状態１のタグの動作に関するフローチャートであり、
［図２８Ｂ］図２８Ｂは、図２７Ｂの状態２（ａ）のタグの動作に関するフローチャートであり、
［図２８Ｃ］図２８Ｃは、図２７Ｃの状態４（ｂ）のタグの動作に関するフローチャートであり、
［図２８Ｄ］図２８Ｄは、図２７Ｄの状態２（ｂ）、状態３（ａ）、状態３（ｂ）、状態３（ｃ）、状態４（ａ）のタグの動作に関するフローチャートであり、
［図２９Ａ］図２９Ａは、図１０に記載の電球に使用したときの状態認識タグのタグ本体部の情報例を示す図であり、
［図２９Ｂ］図２９Ｂは、図１０に記載の電球に使用したときの状態認識タグのタグ本体部の保持情報例を示す図であり、
［図２９Ｃ］図２９Ｃは、図１０に記載の電球に使用したときの状態認識タグの第２タグ断片部の情報例を示す図であり、
［図２９Ｄ］図２９Ｄは、図１０に記載の電球に使用したときの状態認識タグの第２タグ断片部の保持情報例を示す図であり、
［図３０Ａ］図３０Ａは、タグ本体部と第１タグ断片部と第２タグ断片部とが結合している、状態１のタグを示す図であり、
［図３０Ｂ］図３０Ｂは、タグ本体部と第２タグ断片部とが結合し、タグ本体部と第２タグ断片部とから第１タグ断片部が分離している、状態２のタグを示す図であり、
［図３０Ｃ］図３０Ｃは、タグ本体部と第１タグ断片部とが結合し、タグ本体部と第１タグ断片部とから第２タグ断片部が分離している、状態３のタグを示す図であり、
［図３０Ｄ］図３０Ｄは、タグ本体部から第１タグ断片部と第２タグ断片部とがそれぞれ分離している、状態４のタグを示す図である。
【発明を実施するための最良の形態】
【００１６】  本発明の記述を続ける前に、添付図面において同じ部品については同じ参照符号を付している。【００１７】  以下、本発明の実施の形態について、図面を参照しながら説明する前に、本発明の種々の態様について説明する。【００１８】  本発明の第１態様によれば、タグリーダ／ライタで認識可能なタグ本体部と、
上記タグ本体部と分離可能且つタグリーダ／ライタで認識可能なタグ断片部と、
上記タグ本体部に備えられ且つ上記タグ本体部を認識する上記タグリーダ／ライタに送信すべき情報を記憶するタグ本体部用情報保持部と、
上記タグ断片部に備えられ且つ上記タグ断片部を認識する上記タグリーダ／ライタに送信すべき情報を記憶するタグ断片部用情報保持部と、
上記タグ本体部に備えられ且つ上記タグ本体部と上記タグ断片部との分離状態を認識するタグ本体部用分離状態認識部と、
上記タグ断片部に備えられ且つ上記タグ本体部と上記タグ断片部との上記分離状態を認識するタグ断片部用分離状態認識部と、
上記タグ本体部に備えられ且つ上記タグ本体部用分離状態認識部で認識された上記分離状態に基づき、上記タグ本体部と上記タグ断片部とが分離しているか結合しているかによって上記タグ本体部用情報保持部に保持した情報をそれぞれ選択し、タグリーダ／ライタからの情報に基づき選択された情報の送信、書き換え、又は、追記を行なうタグ本体部用制御部と、
上記タグ断片部に備えられ且つ上記タグ断片部用分離状態認識部で認識された上記分離状態に基づき、上記タグ本体部と上記タグ断片部とが分離しているか結合しているかによって上記タグ断片部用情報保持部に保持した情報をそれぞれ選択し、タグリーダ／ライタからの情報に基づき選択された情報の送信、書き換え、又は、追記を行なうタグ断片部用制御部と、
上記タグ本体部に備えられ且つ、上記タグ本体部用情報保持部と上記タグ本体部用分離状態認識部と上記タグ本体部用制御部とに電力を供給するタグ本体部用電力供給部と、
上記タグ断片部に備えられ且つ、上記タグ断片部用情報保持部と上記タグ断片部用分離状態認識部と上記タグ断片部用制御部とに電力を供給するタグ断片部用電力供給部と、
を備える状態認識タグを提供するものである。【００１９】  なお、タグ本体部を認識可能なタグリーダ／ライタと、タグ断片部を認識可能なタグリーダ／ライタとは、同一のタグリーダ／ライタでもよいし、別々のタグリーダ／ライタでもよい。【００２０】  この構成によると、タグ本体部とタグ断片部が分離しているときでも結合しているときでも、必要に応じてタグ本体部、タグ断片部ともにタグとしての機能を持たせることができ、さらに、タグ本体部とタグ断片部との分離状態に応じて異なった情報をユーザに提供することも可能である。【００２１】  また、本発明の第２態様によれば、上記タグ断片部と同様な機能を持つ少なくとも１つ以上の追加のタグ断片部を上記タグ本体部又は上記タグ断片部に分離可能に連結可能であり、上記タグ本体部と上記タグ断片部と上記追加のタグ断片部とのうちの上記いずれかの分離状態認識部は、上記タグ断片部及び上記追加のタグ断片部のそれぞれの分離状態を認識し、上記制御部は、上記いずれかの分離状態認識部により認識した上記分離状態によって上記情報保持部から上記タグリーダ／ライタに送信すべき情報を選択し、送信するか否かを決定し、送信するのであれば上記情報保持部から選択された情報を、上記タグリーダ／ライタに送信するための送信制御を行う第１態様に記載の状態認識タグを提供する。【００２２】  ここで、タグ本体部又はタグ断片部に分離可能に結合させた追加のタグ断片部は、更に追加のタグ断片部を分離可能に結合できることが好ましい。【００２３】  この構成によると、あらゆる場所に分離位置を設けることが可能となり、タグ断片部の分離位置や組み合わせ、個数などに対応してタグとしての機能の有無や情報の変更などをより詳細に設定することが可能となる。【００２４】  また、本発明の第３態様によれば、上記タグ本体部と上記タグ断片部との間での分離する部分又は上記タグ断片部と上記追加のタグ断片部との間での分離する部分には、上記タグ本体部と上記タグ断片部とを分離可能な切れ目を有する第１又は２態様のいずれかに記載の状態認識タグを提供する。【００２５】  この構成によると、本発明のタグがユーザによって分離されるときに、タグ製作者の意図しない部分で分離することが無くなり、また、ユーザがタグの分離位置を意識する必要がなくなる。【００２６】  また、本発明の第４態様によれば、上記タグ本体部と上記タグ断片部との間での分離する部分又は上記タグ断片部と上記追加のタグ断片部との間での分離する部分には、上記分離する部分のうちの一方（上記タグ本体部又は上記タグ断片部）を有する第１係合部と、上記第１係合部に分離係合可能かつ分離後に再結合可能でかつ上記分離する部分のうちの他方（上記タグ断片部又は上記追加のタグ断片部）を有する第２係合部とを有する係合構造を有する第１から３態様のいずれかに記載の状態認識タグを提供する。【００２７】  この構成によると、本発明の使用者は商品の開封のみならず、各種容器、ドア等の開閉やプラグの着脱に応じてデータを切り替えることが可能となる。また、タグ本体部とタグ断片部を別々に製造しておき、後に結合させることも可能である。【００２８】  また、本発明の第５態様によれば、第１から４態様の���ずれか１つに記載の状態認識タグの上記タグ本体部と上記タグ断片部のうちのいずれか一方が配置された容器本体と、
上記容器本体と分離可能に結合されかつ上記タグ本体部と上記タグ断片部のうちのいずれか他方が配置された蓋とを備えて、上記蓋と上記容器本体とを結合させるとき上記タグ本体部と上記タグ断片部とが結合し、上記蓋を上記容器本体から分離させるとき上記タグ本体部と上記タグ断片部とが分離する容器を提供する。【００２９】  この構成によると、容器の開閉状態が分かり、物品の管理や賞味期限の管理を厳密に行うことができる。【００３０】  以下、本発明の実施の形態について、図面を参照しながら説明する。【００３１】  （第１実施形態）
図１は本発明の第１実施形態にかかる状態認識タグを用いた状態認識システムを示したブロック図である。【００３２】  ここで、本システムは、タグリーダ／ライタ１１１で認識可能な状態認識タグ１００と、状態認識タグ１００から情報を取得するタグリーダ／ライタ１１１とを備える。状態認識タグ１００は、タグリーダ／ライタ１１１で認識可能なタグ本体部１０１と、上記タグ本体部１０１と分離位置９９で分離可能且つタグリーダ／ライタ１１１で認識可能なタグ断片部１０６とで構成される。【００３３】  タグ本体部１０１は、タグ本体部用情報保持部１０２と、タグ本体部用電力供給部１０３と、タグ本体部用分離状態認識部１０４と、タグ本体部用制御部１０５とで構成され、タグ本体部用制御部１０５が、タグ本体部用情報保持部１０２に記録されている情報をタグリーダ／ライタ１１１に送信する。【００３４】  タグ本体部用情報保持部１０２は、送信すべき情報を記憶するものであって、例えばＩＣチップなどに相当し、あらかじめ決められた不変な情報が記録されている場合と、状況に応じてタグライタなどにより情報の追記、変更が可能な場合がある。【００３５】  タグ本体部用電力供給部１０３は、例えばコイル状のアンテナなどに相当し、タグ本体部用情報保持部１０２、タグ本体部用分離状態認識部１０４、タグ本体部用制御部１０５に電力を供給可能とする。【００３６】  タグ本体部用分離状態認識部１０４は、タグ本体部１０１とタグ断片部１０６との分離状態、具体的には、タグ断片部１０６が分離位置９９でタグ本体部１０１から切り離されているかどうかを認識し、タグ本体部用制御部１０５に認識結果の情報を送信する。【００３７】  タグ本体部用制御部１０５は、上記タグ本体部用分離状態認識部１０４で認識された上記分離状態に基づき、上記タグ本体部１０１と上記タグ断片部１０６とが分離しているか結合しているかによって上記タグ本体部用情報保持部１０２に保持した情報をそれぞれ選択、送信するか否かを決定する。具体的には、もし、上記タグ本体部１０１と上記タグ断片部１０６とが分離しており、上記タグ本体部用情報保持部１０２に保持した情報を送信するのであれば、上記タグ本体部用情報保持部１０２から選択された情報（分離されたことに対応する情報）を上記タグリーダ／ライタ１１１に送信するための送信制御を行う。逆に、もし、上記タグ本体部１０１と上記タグ断片部１０６とが分離せず接続されており、上記タグ本体部用情報保持部１０２に保持した情報を送信するのであれば、上記タグ本体部用情報保持部１０２から選択された情報（接続されていることに対応する情報）を上記タグリーダ／ライタ１１１に送信するための送信制御を行うようにしてもよい。【００３８】  タグ断片部１０６は、タグ断片部用情報保持部１０７と、タグ断片部用電力供給部１０８と、タグ断片部用分離状態認識部１０９と、タグ断片部用制御部１１０とで構成され、タグ断片部用制御部１１０が、タグ断片部用情報保持部１０７に記録されている情報をタグリーダ／ライタ１１１に送信する。【００３９】  タグ断片部用情報保持部１０７は、送信すべき情報を記憶するものであって、例えばＩＣチップなどに相当し、あらかじめ決められた不変な��報が記録されている場合と、状況に応じてタグライタなどにより情報の追記、変更が可能な場合がある。【００４０】  タグ断片部用電力供給部１０８は、例えばコイル状のアンテナなどに相当し、タグ断片部用情報保持部１０７、タグ断片部用分離状態認識部１０９、タグ断片部用制御部１１０に電力を供給可能とする。【００４１】  タグ断片部用分離状態認識部１０９は、タグ本体部１０１とタグ断片部１０６との分離状態、具体的には、タグ断片部１０６が分離位置９９でタグ本体部１０１から切り離されているかどうかを認識し、タグ断片部用制御部１１０に認識結果の情報を送信する。【００４２】  タグ断片部用制御部１１０は、上記タグ断片部用分離状態認識部１０９で認識された上記分離状態に基づき、上記タグ本体部１０１と上記タグ断片部１０６とが分離しているか結合しているかによって上記タグ断片部用情報保持部１０７に保持した情報をそれぞれ選択、送信するか否かを決定する。具体的には、もし、上記タグ本体部１０１と上記タグ断片部１０６とが分離しており、上記タグ断片部用情報保持部１０７に保持した情報を送信するのであれば、上記タグ断片部用情報保持部１０７から選択された情報（分離されたことに対応する情報）を上記タグリーダ／ライタ１１１に送信するための送信制御を行う。逆に、もし、上記タグ本体部１０１と上記タグ断片部１０６とが分離せず接続されており、上記タグ断片部用情報保持部１０７に保持した情報を送信するのであれば、上記タグ断片部用情報保持部１０７から選択された情報（接続されていることに対応する情報）を上記タグリーダ／ライタ１１１に送信するための送信制御を行うようにしてもよい。【００４３】  なお、タグ本体部用制御部１０５が情報を送信するタグリーダ／ライタ１１１は、タグ断片部用制御部１１０が情報を送信するタグリーダ／ライタ１１１と同一であってもよく、異なっていてもよい。【００４４】  図１、図２を用いてタグ本体部１０１とタグ断片部１０６の分離状態を、タグ本体部用分離状態認識部１０４、タグ断片部用分離状態認識部１０９の一例としての接触センサ２０３によって認識する方法を説明する。【００４５】  タグ本体部１０１に対応するタグ本体部２０１は、直方体形状の箱体より構成され、箱体の矩形の開口の底部に配置された接触センサ２０３と、箱体の開口周囲に配置されて接着材より構成される第１接着素材２０４とを備えている。一方、タグ断片部１０６に対応するタグ断片部２０２は、上記箱体の蓋体であり、箱体の開口周囲に対応する蓋体の周囲に配置されて第１接着素材２０４と分離可能に接着可能な接着材より構成される第２接着素材２０４と、箱体の開口内に嵌合可能な直方体形状の突起部２０５とを備える。【００４６】  タグ本体部２０１とタグ断片部２０２が第１及び第２接着素材２０４によって結合しているとき、タグ断片部２０２の突起部２０５が箱体の開口内に嵌合してタグ本体部２０１の接触センサ２０３に接触し、接触センサ２０３が接触反応を起こして接触信号を出力する。【００４７】  すると、タグ本体部用分離状態認識部１０４として機能する接触センサ２０３からは、タグ本体部用制御部１０５に、上記出力された接触信号、すなわち、タグ本体部２���１とタグ断片部２０２が結合しているという情報を送信し、タグ本体部用制御部１０５は、タグ本体部用情報保持部１０２からタグ本体部２０１とタグ断片部２０２が結合しているときに必要な情報をタグリーダ／ライタ１１１に無線で送信する。【００４８】  タグ本体部２０１とタグ断片部２０２が第１及び第２接着素材２０４によって結合していないとき、すなわち、タグ断片部２０２の突起部２０５がタグ本体部２０１の箱体の開口内に嵌合していないとき、突起部２０５は接触センサ２０３に接触せず、接触センサ２０３は接触反応を起こさず、接触信号ではなく、非接触信号を出力する。【００４９】  すると、タグ本体部用分離状態認識部１０４として機能する接触センサ２０３は、タグ本体部用制御部１０５に、上記出力された非接触信号、すなわち、タグ本体部２０１とタグ断片部２０２が分離しているという情報を送信し、タグ本体部用制御部１０５はタグ本体部用情報保持部１０２からタグ本体部２０１とタグ断片部２０２が分離しているときに必要な情報をタグリーダ／ライタ１１１に無線で送信する。【００５０】  なお、図２に示した上記タグ本体部用分離状態認識部１０４（タグ断片部用分離状態認識部１０９）の構成は一例であり、本発明はその他の構成によっても実現可能である。【００５１】  次に、図３で本発明の第１実施形態にかかる状態認識タグの一構成例について説明する。ここで、図４及び図５は、状態認識タグの分離状態により各論理回路が通す電流の有無と各ＩＣチップに供給される電力の有無を表している。【００５２】  第１実施形態では、タグ本体部１０１に対応するタグ本体部４０１と、タグ断片部１０６に対応するタグ断片部４０２と、タグ本体部用電力供給部１０３及びタグ断片部用電力供給部１０８としてそれぞれ機能して電力の供給を行うアンテナ４０３、４０８と、制御部の情報保持部から情報を選択する部分である論理積回路４０４と、排他的論理和回路４０５、４０９と、情報保持部１０２、１０７と、制御部のタグリーダ／ライタからの情報に基づき情報の送信、書き換え、又は、追記（送信／又は書き換え、追記）を行なう部分としての一例であるＩＣチップ（以後、ＩＣチップと称する。）４０６、４０７、４１０と、タグ本体部４０１とタグ断片部４０２との分離位置４１１（分離位置９９に対応）とを有し、電力の供給は導線を伝って行われる。論理積回路４０４と排他的論理和回路４０５はタグ本体部用分離状態認識部１０４として機能する。排他的論理和回路４０９はタグ断片部用分離状態認識部１０９として機能する。ＩＣチップ４０６、４０７はタグ本体部用情報保持部１０２として機能する。ＩＣチップ４１０はタグ断片部用情報保持部１０７として機能する。【００５３】  タグ本体部用制御部１０５は情報保持部から情報を選択する部分の一例としての各構成要素４０４〜４０７及び、図３に記載のタグ本体部内の配線（接続）パターンと、タグリーダライタからの情報に基づき情報の送信／又は書き換え、追記を行なう部分の一例としてのＩＣチップにて示される。【００５４】  タグ本体部断片部用制御部１１０は、情報保持部から情報を選択する部分の一例としての各構成要素４０９、４１０及び、図３に記載のタグ断片部��の配線（接続）パターンと、タグリーダライタからの情報に基づき情報の送信／又は書き換え、追記を行なう部分の一例としてのＩＣチップにて示される。【００５５】  ＩＣチップ４０６には、タグ断片部４０２がタグ本体部４０１から分離位置４１１で分離する前にタグリーダ／ライタ（例えば図１の１０７）に送信すべき情報が記録されており、ＩＣチップ４０７、４１０はタグ断片部４０２がタグ本体部４０１から分離位置４１１で分離した後にタグリーダ／ライタに送信すべき情報が記録されている。【００５６】  タグ本体部４０１に関して、タグ断片部４０２が分離位置４１１で分離する前は、双方のアンテナ４０３、４０８から電力が供給されるため、論理積回路４０４を通してＩＣチップ４０６に電力が供給され、排他的論理和回路４０５を通してＩＣチップ４０７には電力が供給されない（図８Ａの回路別電力入出力表の最下欄、及び、図４と図５の表を参照）。【００５７】  タグ本体部４０１に関して、タグ断片部４０２が分離位置４１１で分離した後は、アンテナ４０３のみから電力が供給されるため、排他的論理和回路４０５を通してＩＣチップ４０７に電力が供給され、論理回路積４０４を通してＩＣチップ４０６には電力が供給されない（図８Ａの回路別電力入出力表の下から２つ目の欄、及び、図４と図５の表を参照）。【００５８】  タグ断片部４０２に関して、タグ断片部４０２が分離位置４１１で分離する前は、双方のアンテナ４０３、４０８から電力が供給されるため、排他的論理和回路４０９を通してＩＣチップ４１０には電力が供給されない（図８Ａの回路別電力入出力表の最下欄、及び、図４と図５の表を参照）。【００５９】  タグ断片部４０２に関して、タグ断片部４０２が分離位置４１１で分離した後は、アンテナ４０８のみから電力が供給されるため、排他的論理和回路４０９を通してＩＣチップ４１０に電力が供給される（図８Ａの回路別電力入出力表の下から３つ目の欄、及び、図４と図５の表を参照）。【００６０】  この構成によれば、タグ本体部４０１とタグ断片部４０２が結合しているときにはタグ本体部のＩＣチップ４０６の情報がタグリーダ／ライタに送信され、タグ断片部４０２からはタグリーダ／ライタに情報は送信されない。タグ本体部４０１とタグ断片部４０２が分離しているときにはタグ本体部４０１のチップ４０７の情報とタグ断片部４０２のＩＣチップ４１０の情報がタグリーダ／ライタに送信される。【００６１】  ここで、回路の組み合せを変更（追加）することによって、タグ本体部４０１とタグ断片部４０２が結合しているときにはタグ本体部４０１、タグ断片部４０２とも情報を送信することはせず、分離しているときにのみタグ本体部４０１、タグ断片部４０２ともに情報を送信するということも可能である。【００６２】  このようなシステムは、例えば、商品の値札などに利用できる。現在は店員の棚卸など、作業軽減のために値札にＩＣタグが利用されている場合が多い。しかし、この第１実施形態を用いれば、タグ本体部４０１とタグ断片部４０２が分離していないときは店用情報のみをタグリーダ／ライタ（例えば図１の１１１）に送信することができ、顧客が商品を購入するときにタグ本体部４０１とタグ断片部４０���を分離させ、新たにタグとして機能した顧客用情報を記録したタグ断片部４０２のみを顧客に渡すことができる。これによって、顧客は受け取ったタグ断片部４０２からより詳しい商品の情報を知ることができる。また、分離後のタグ本体部４０１とタグ断片部４０２にタグライタを用いて購入日時を記録しても良い。【００６３】  ここで、図２５Ａ〜図２５Ｄにタグ本体部４０１とタグ断片部４０２に記録されている情報例を示す。【００６４】  図２５Ａ及び図２５Ｃの記録情報項目とは、タグに記録されている情報の項目であり、タグ本体部４０１のタグ本体部用情報保持部１０２として機能するＩＣチップ４０６、４０７には、タグＩＤ、商品番号、商品名、サイズ、色、価格の情報が記録されている。同様に、タグ断片部４０２のタグ断片部用情報保持部１０７として機能するＩＣチップ４１０には、タグＩＤ、商品番号、商品名、サイズ、色、商品アドレスの情報がそれぞれ記録されている。【００６５】  図２５Ａ及び図２５Ｃ情報可変性とは、タグに記録されている情報を書き換えることが可能であるかどうかを示すものであり、タグ本体部４０１では、ＩＣチップ４０６、４０７に記録されている価格の情報の書き換えが可能となっているが、タグＩＤ、商品番号、商品名、サイズ、色などの他の情報は書き換えが不可能となっている。タグ断片部４０２では、タグＩＤ、商品番号、商品名、サイズ、色、商品アドレスなどの情報はすべて書き換えが不可能となっている。【００６６】  図２５Ａ及び図２５Ｃ各情報の発信可能状態とは、タグ本体部４０１、及びタグ断片部４０２が記録情報項目の情報をそれぞれ発信可能な、図２７Ａ〜図２７Ｄに示した各状態（分離状態又は結合状態）を示している。【００６７】  図２５Ｂ及び図２５Ｄの保持情報例は、タグ本体部４０１、及びタグ断片部４０２にそれぞれ記録されている情報の一例を示している。【００６８】  上記第１実施形態によれば、タグ本体部４０１とタグ断片部４０２にそれぞれ電力供給部と情報保持部とを備えているため、タグ本体部４０１からタグ断片部４０２を分離したときでも、タグ本体部４０１だけではなく、分離したタグ断片部４０２もタグとしての機能を持たせることが可能となる。また、結合時、分離時でタグとしての機能の有無や情報の変更などを自由に設定することが可能となる。【００６９】  （第２実施形態）
図６は、複数のタグ断片部６０２、第２タグ断片部６０３（追加のタグ断片部の一例であり、必要に応じてタグ断片部６０２と同様な機能を持つようにしてもよい。）を有する、本発明の第２実施形態にかかる状態認識タグ６００の構成例を示した図であり、図７Ａは状態認識タグの分離状態により各論理回路が通す電流の有無と各ＩＣチップに供給される電力の有無を表している。【００７０】  第２実施形態では、タグ本体部６０１と、第１及び第２タグ断片部６０２、６０３と、タグ本体部用電力供給部として機能して電力の供給を行うアンテナ６０４と、タグ断片部用電力供給部として機能して電力の供給を行うアンテナ６１３、６２２と、制御部の情報保持部から情報を選択する部分である論理積回路６０５、６０６、６０９、６１５、６１８、６１９と、排他的論理和回路６０７、６０８、６１４、６１６、６１７、６２３と、情報保持部と、制御部のタグリーダ／ライタからの情報に基づき情報の送信／又は書き換え、追記を行なう部分としての一例であるＩＣチップ（以後、ＩＣチップと称する。）６１０、６１１、６１２、６２０、６２１、６２４と、タグ本体部６０１と第１タグ断片部６０２との分離位置６２５と、第１タグ断片部６０２と第２タグ断片部６０３との分離位置６２６とを有し、電力の供給は導線を伝って行われる。論理積回路６０５、６０６と排他的論理和回路６０７、６０８と論理積回路６０９はタグ本体部用分離状態認識部として機能する。排他的論理和回路６１４、６１６、６１７と論理積回路６１５、６１８、６１９は第１タグ断片部６０２用分離状態認識部として機能する。排他的論理和回路６２３は第２タグ断片部６０３用分離状態認識部として機能する。ＩＣチップ６１０、６１１、６１２はタグ本体部用情報保持部として機能する。ＩＣチップ６２０、６２１は第１タグ断片部６０２用情報保持部として機能する。ＩＣチップ６２４は第２タグ断片部６０３用情報保持部として機能する。【００７１】  タグ本体部用制御部は情報保持部から情報を選択する部分の一例としての各構成要素６０５〜６１２及び、図６に記載のタグ本体部内の配線（接続）パターンと、タグリーダライタからの情報に基づき情報の送信／又は書き換え、追記を行なう部分の一例としてのＩＣチップにて示される。【００７２】  タグ断片部用制御部は情報保持部から情報を選択する部分の一例としての各構成要素６１４〜６２１及び、図６に記載のタグ断片部内の配線（接続）パターンと、タグリーダライタからの情報に基づき情報の送信／又は書き換え、追記を行なう部分の一例としてのＩＣチップにて示される。【００７３】  追加のタグ断片部用制御部は情報保持部から情報を選択する部分の一例としての各構成要素６２３、６２４及び、図６に記載の追加のタグ断片部内の配線（接続）パターンと、タグリーダライタからの情報に基づき情報の送信／又は書き換え、追記を行う部分の一例としてのＩＣチップにて示される。【００７４】  アンテナ６２２からは、各回路６０５、６０７、６１５、６１６、６２３に導線が結合している。アンテナ６０４からは、各回路６０５、６０６、６０７、６０８、６１４、６１７に導線が結合している。アンテナ６１３からは、各回路６０６、６０８��６１４、６１５、６１６、６１７、６２３に導線が結合している。【００７５】  ＩＣチップ６１０は、タグ本体部６０１と第１及び第２タグ断片部６０２、６０３が結合しているときにタグリーダ／ライタ（例えば図１の１１１）に送信すべき情報が記録されている。【００７６】  ＩＣチップ６１１は、第２タグ断片部６０３のみが、タグ本体部６０１に結合した第１タグ断片部６０２から分離位置６２６で分離しているときに、タグリーダ／ライタに送信すべき情報が記録されている。【００７７】  ＩＣチップ６２４は、第２タグ断片部６０３が、タグ本体部６０１に結合した第１タグ断片部６０２から分離した第１タグ断片部６０２から分離位置６２６で分離しているときに、タグリーダ／ライタに送信すべき情報が記録されている。【００７８】  ＩＣチップ６１２は、第２タグ断片部６０３が分離した第１タグ断片部６０２又は第２タグ断片部６０３が結合した第１タグ断片部６０２が、タグ本体部６０１から分離位置６２５で分離しているときに、タグリーダ／ライタに送信すべき情報が記録されている。【００７９】  ＩＣチップ６２０は、第１タグ断片部６０２が、第２タグ断片部６０３を結合したまま、タグ本体部６０１から分離位置６２５で分離しているときに、タグリーダ／ライタに送信すべき情報が記録されている。【００８０】  ＩＣチップ６２１は、第１タグ断片部６０２がタグ本体部６０１と第２タグ断片部６０３からそれぞれ分離位置６２５、６２６で分離しているときに、タグリーダ／ライタに送信すべき情報が記録されている。【００８１】  以下、図６の構成を基に、図２８Ａ〜図２８Ｄのそれぞれの状態のタグの動作に関するフローチャートに従って第２実施形態における状態認識タグの動作の説明を行う。【００８２】  尚、図２７Ａの状態１は、タグ本体部６０１と第１タグ断片部６０２が結合し、第１タグ断片部６０２と第２タグ断片部６０３が結合しているタグを示している。【００８３】  さらに、図２７Ｂに示すように、状態２（ａ）は、状態２におけるタグ本体部６０１と第１タグ断片部６０２が結合したタグを示し、状態２（ｂ）は、状態２において第１タグ断片部６０２から分離した第２タグ断片部６０３を示す。【００８４】  さらに、図２７Ｃに示すように、状態３（ａ）は、状態３におけるタグ本体部６０１を示し、状態３（ｂ）は、状態３におけるタグ本体部６０１から分離した第１タグ断片部６０２を示し、状態３（ｃ）は、状態３における第１タグ断片部６０２から分離した第２タグ断片部６０３を示す。【００８５】  さらに、図２７Ｄに示すように、状態４（ａ）は、状態４におけるタグ本体部６０１を示し、状態４（ｂ）は、状態４におけるタグ本体部６０１から分離した第１タグ断片部６０２であって、第２タグ断片部６０３が第１タグ断片部６０２に結合したタグを示す。【００８６】  以下に、各状態でのタグの動作について図２８Ａ〜図２８Ｄのフローチャートを基に説明する。【００８７】  図２８Ａは、図２７Ａの状態１のタグの動作に関するフローチャートである。【００８８】  ステップＳ２８ａ０１において、第２タグ断片部６０３が分離位置６２６で第１タグ断片部６０２から分離したか否かを、第２タグ断片部６０３用分離状態認���部として機能する排他的論理和回路６２３で判断する。第２タグ断片部６０３が分離位置６２６で第１タグ断片部６０２から分離した場合、状態認識タグは状態２に移行したものと考えられる。そこで、タグ本体部６０１と第１タグ断片部６０２が結合しているタグは、図２８Ｂの状態２（ａ）のタグの動作に関するフローチャートへ、第２タグ断片部６０３は、図２８Ｄの状態２（ｂ）などのタグの動作に関するフローチャートへそれぞれ移行する。一方、第２タグ断片部６０３が分離位置６２６で第１タグ断片部６０２から分離していない場合、ステップＳ２８ａ０２に進む。【００８９】  ステップＳ２８ａ０２において、第１タグ断片部６０２が分離位置６２５でタグ本体部６０１から分離したか否かを、第１タグ断片部６０２用分離状態認識部として機能する排他的論理和回路６１４、６１６、６１７と論理積回路６１５、６１８、６１９で判断する。第１タグ断片部６０２が分離位置６２５でタグ本体部６０１から分離した場合、状態認識タグは状態４に移行したものと考えられる。そこで、タグ本体部６０１は、図２８Ｄの状態２（ｂ）などのタグの動作に関するフローチャートへ、第１タグ断片部６０２と第２タグ断片部６０３が結合しているタグは、図２８Ｃの状態４（ｂ）のタグの動作に関するフローチャートへそれぞれ移行する。一方、第１タグ断片部６０２が分離位置６２５でタグ本体部６０１から分離していない場合、ステップＳ２８ａ０３に進む。【００９０】  ステップＳ２８ａ０３において、タグリーダ／ライタから情報送信の要求が行われたか否かを判断する。この情報送信の要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【００９１】  タグリーダ／ライタから情報送信の要求が行われていない場合、アンテナ６０４、６１３、６２２からの電力の供給は無く、ステップＳ２８ａ０５に進む。一方、タグリーダ／ライタから情報送信の要求が行われた場合、全てのアンテナ６０４、６１３、６２２から電力が供給される。すると、論理積回路６０５を通してＩＣチップ６１０に電力が供給され、その他、各論理回路を通してＩＣチップ６１１、６１２、６２０、６２１、６２４には電力が供給されない（以下、図７Ａ及び図８Ａの回路別電力入出力表を参照）。その結果、ＩＣチップ６１０に記録されている情報が、タグリーダ／ライタに送信される（ステップＳ２８ａ０４）。【００９２】  ステップＳ２８ａ０５において、タグライタから情報の書き換えの要求が行われたか否かを判断する。この情報の書き換えの要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【００９３】  タグライタから情報の書き換えの要求が行われなかった場合��は、ステップＳ２８ａ０１に戻る。一方、タグライタから情報の書き換えの要求が行われた場合、ステップＳ２８ａ０３と同様にＩＣチップ６１０に電力が供給され、ＩＣチップ６１１、６１２、６２０、６２１、６２４には電力が供給されない。その結果、ＩＣチップ６１０に記録されている情報が、タグライタから送信される情報によって書き換えられる（ステップＳ２８ａ０６）。その後、ステップＳ２８ａ０１に戻る。図２８Ｂは、図２７Ｂの状態２（ｂ）のタグの動作に関するフローチャートである。【００９４】  ステップＳ２８ｂ０１において、第１タグ断片部６０２が分離位置６２５でタグ本体部６０１から分離したか否かを、第１タグ断片部６０２用分離状態認識部として機能する排他的論理和回路６１４、６１６、６１７と論理積回路６１５、６１８、６１９で判断する。第１タグ断片部６０２が分離位置６２５でタグ本体部６０１から分離した場合、状態認識タグは状態３へ移行し、タグ本体部６０１、第１タグ断片部６０２共に図２８Ｄの状態３（ａ）、状態３（ｂ）、状態３（ｃ）などのタグの動作に関するフローチャートへそれぞれ移行する。一方、第１タグ断片部６０２が分離位置６２５でタグ本体部６０１から分離していない場合、ステップＳ２８ｂ０２に進む。【００９５】  ステップＳ２８ｂ０２において、タグリーダ／ライタから情報送信の要求が行われたか否かを判断する。この情報送信の要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【００９６】  タグリーダ／ライタから情報送信の要求が行われていない場合、アンテナ６０４、６１３からの電力の供給は無く、ステップＳ２８ｂ０４に進む。一方、タグリーダ／ライタから情報送信の要求が行われた場合、アンテナ６０４、６１３から電力が供給されるため、各論理回路６０６、６０７、６０９を通してＩＣチップ６１１に電力が供給され、その他、各論理回路を通してＩＣチップ６１０、６１２、６２０、６２１には電力は供給されない。その結果、ＩＣチップ６１１に記録されている情報がタグリーダ／ライタに送信される（ステップＳ２８ｂ０３）。【００９７】  ステップＳ２８ｂ０４において、タグライタから情報の書き換えの要求が行われたか否かを判断する。この情報の書き換えの要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【００９８】  タグライタから情報の書き換えの要求が行われなかった場合には、ステップＳ２８ｂ０１に戻る。一方、タグライタから情報の書き換えの要求が行われた場合、ステップＳ２８ｂ０２と同様にＩＣチップ６１１に電力が供給され、ＩＣチップ６１０、６１２、６２０、６２１には電力は供給されない。その結果、ＩＣチップ６１１に記録されている情報が、タグライタから送信される情報によって書き換えられる（ステップＳ２８ｂ０５）。その後、ステップＳ２８ｂ０１に戻る。【００９９】  図２８Ｃは、図２７Ｃの状態４（ｂ）のタグの動作に関するフローチャートである。【０１００】  ステップＳ２８ｃ０１において、第２タグ断片部６０３が分離位置６２６で第１タグ断片部６０２から分離したか否かを、第２タグ断片部６０３用分離状態認識部として機能する排他的論理和回路６２３で判断する。第２タグ断片部６０３が分離位置６２６で第１タグ断片部６０２から分離した場合、状態認識タグは状態３へ移行したものと考えられる。そこで、第１タグ断片部６０２、タグ断片部６０３は、共に図２８Ｄの状態２（ｂ）などのタグの動作に関するフローチャートへそれぞれ移行する。一方、第２タグ断片部６０３が分離位置６２６で第１タグ断片部６０２から分離していない場合、ステップＳ２８ｃ０２に進む。【０１０１】  ステップＳ２８ｃ０２において、タグリーダ／ライタから情報の送信要求が行われたか否かを判断する。この情報の送信の要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【０１０２】  タグリーダ／ライタから情報送信の要求が行われていない場合、アンテナ６１３、６２２からの電力の供給は無く、ステップＳ２８ｃ０４に進む。一方、タグリーダ／ライタから情報送信の要求が行われた場合、アンテナ６１３、６２２から電力が供給されるため、各論理回路６１４、６１５、６１８を通してＩＣチップ６２０に電力が供給され、その他、各論理回路を通してＩＣチップ６２１、６２４には電力は供給されない。その結果、ＩＣチップ６２０に記録されている情報が、タグリーダ／ライタに送信される（ステップＳ２８ｃ０３）。【０１０３】  ステップＳ２８ｃ０４において、タグライタから情報の書き換えの要求が行われたか否かを判断する。この情報の書き換えの要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【０１０４】  タグライタから情報の書き換えの要求が行われなかった場合には、ステップＳ２８ｃ０１に戻る。一方、タグライタから情報の書き換えの要求が行われた場合、ステップＳ２８ｃ０２と同様にＩＣチップ６２０に電力が供給され、ＩＣチップ６２１、６２４には電力は供給されない。その結果、ＩＣチップ６２０に記録されている情報が、タグライタから送信される情報によって書き換えられる（ステップＳ２８ｃ０５）。その後、ステップＳ２８ｃ０１に戻る。【０１０５】  図２８Ｄは、図２７Ｂの状態２（ｂ）、及び図２７Ｃの状態３（ｃ）などのタグの動作に関するフローチャートの説明を行う。【０１０６】  ステップＳ���８ｄ０１において、タグリーダ／ライタから情報の送信要求が行われたか否かを判断する。この情報の送信の要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【０１０７】  タグリーダ／ライタから情報送信の要求が行われていない場合、アンテナ６２２からの電力の供給は無く、ステップＳ２８ｄ０３に進む。一方、タグリーダ／ライタから情報送信の要求が行われた場合、アンテナ６２２から電力が供給されるため、論理回路６２３を通してＩＣチップ６２４に電力が供給される。その結果、ＩＣチップ６２４に記録されている情報が、タグリーダ／ライタに送信される（ステップＳ２８ｄ０２）。【０１０８】  ステップＳ２８ｄ０３において、タグライタから情報の書き換えの要求が行われたか否かを判断する。この情報の書き換えの要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【０１０９】  タグライタから情報の書き換えの要求が行われなかった場合には、ステップＳ２８ｄ０１に戻る。一方、タグライタから情報の書き換えの要求が行われた場合、状態２（ｂ）、又は状態３（ｃ）におけるステップＳ２８ｄ０１と同様にＩＣチップ６２４に電力が供給される。その結果、ＩＣチップ６２４に記録されている情報が、タグライタから送信される情報によって書き換えられる（ステップＳ２８ｄ０４）。その後、ステップＳ２８ｄ０１に戻る。【０１１０】  また、図２８Ｄは、図２７Ｃの状態３（ａ）、及び図２７Ｄの状態４（ａ）などのタグの動作に関するフローチャートである。【０１１１】  ステップＳ２８ｄ０１において、タグリーダ／ライタから情報の送信要求が行われたか否かを判断する。この情報の送信の要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【０１１２】  タグリーダ／ライタから情報送信の要求が行われていない場合、アンテナ６０４からの電力の供給は無く、ステップＳ２８ｄ０３に進む。一方、タグリーダ／ライタから情報送信の要求が行われた場合、アンテナ６０４から電力が供給されるため、論理回路６０８を通してＩＣチップ６１２に電力が供給され、その他、各論理回路を通してＩＣチップ６１０、６１１には電力は供給されない。その結果、ＩＣチップ６１２に記録されている情報が、タグリーダ／ライタに送信される（ステップＳ２８ｄ０２）。【０１１３】  ステップＳ２８ｄ０３において、タグライタから情報の書き換えの要求が行われた��否かを判断する。この情報の書き換えの要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【０１１４】  タグライタから情報の書き換えの要求が行われなかった場合には、ステップＳ２８ｄ０１に戻る。一方、タグライタから情報の書き換えの要求が行われた場合、状態３（ａ）、又は状態４（ａ）におけるステップＳ２８ｄ０１と同様にＩＣチップ６１２に電力が供給され、ＩＣチップ６１０、６１１には電力は供給されない。その結果、ＩＣチップ６１２に記録されている情報が、タグライタから送信される情報によって書き換えられる（ステップＳ２８ｄ０４）。その後、ステップＳ２８ｄ０１に戻る。【０１１５】  また、図２８Ｄは、図２７Ｃの状態３（ｂ）などのタグの動作に関するフローチャートである。【０１１６】  ステップＳ２８ｄ０１において、タグリーダ／ライタから情報の送信要求が行われたか否かを判断する。この情報の送信の要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【０１１７】  タグリーダ／ライタから情報送信の要求が行われていない場合、アンテナ６１３からの電力の供給は無く、ステップＳ２８ｄ０３に進む。一方、タグリーダ／ライタから情報送信の要求が行われた場合、アンテナ６１３から電力が供給されるため、各論理回路６１６、６１７、６１９を通してＩＣチップ６２１に電力が供給され、その他、各論理回路を通してＩＣチップ６２０には電力は供給されない。その結果、ＩＣチップ６２１に記録されている情報が、タグリーダ／ライタに送信される（ステップＳ２８ｄ０２）。【０１１８】  ステップＳ２８ｄ０３において、タグライタから情報の書き換えの要求が行われたか否かを判断する。この情報の書き換えの要求が行われたか否かの判断は、タグリーダ／ライタが発生したＲＦ（Ｒａｄｉｏ  Ｆｒｅｑｕｅｎｃｙ）信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。【０１１９】  タグライタから情報の書き換えの要求が行われなかった場合には、ステップＳ２８ｄ０１に戻る。一方、タグライタから情報の書き換えの要求が行われた場合、状態３（ｂ）におけるステップＳ２８ｄ０１と同様にＩＣチップ６２１に電力が供給され、ＩＣチップ６２０には電力は供給されない。その結果、ＩＣチップ６２１に記録されている情報が、タグライタから送信される情報によって書き換えられる（ステップＳ２８ｄ０４）。その後、ステップＳ２８ｄ０１に戻る。【０１２０】  このように構成すれば、タグ本体部６０１と第１タグ断片部６０２と第２タグ断片部６０３にそれぞれ電力供給部としてアンテナ６０４、６１３、６２２と、情報保持部としてＩＣチップ６１０、６１１、６１２、６２０、６２１、６２４とを備えているため、タグ本体部６０１から第１タグ断片部６０２を分離した後でも、また、第１タグ断片部６０２から第２タグ断片部６０３を分離した後でも、タグ本体部６０１だけではなく、分離した第１タグ断片部６０２及び第２タグ断片部６０３もそれぞれタグとして機能を持たせることができ、タグ本体部、第１タグ断片部、第２タグ断片部の分離状態に応じてタグリーダ／ライタに送信する情報を変更することが可能となる。【０１２１】  次に、図９は、第２実施形態にかかる状態認識タグの１つの利用例であり、顧客が購入したシャツの衣類情報とプライバシー保護に利用したものである。ここでは、顧客が購入したシャツ９０１に、第２実施形態にかかる状態認識タグに対応する状態認識タグ９０２が付されている。状態認識タグ９０２は、タグ本体部９０３と２個のタグ断片部９０５、９０７から構成され、第１タグ断片部９０５はタグ本体部９０３から分離位置９０４で、第２タグ断片部９０７は第１タグ断片部９０５から分離位置９０６でそれぞれ分離できる。【０１２２】  ここで、図２６Ａ〜図２６Ｆは、タグ本体部９０３、及び第１、第２タグ断片部９０５、９０７に記録されている情報例について示している。【０１２３】  図２６Ａ、図２６Ｃ、及び図２６Ｅの記録情報項目とは、タグに記録されている情報の項目であり、タグ本体部９０３のタグ本体部用情報保持部（図１のタグ本体部用情報保持部１０２に対応）には、タグＩＤ、商品番号、商品名、サイズ、色、商品アドレス、洗濯回数の情報が記録されている。同様に、第１タグ断片部９０５の第１タグ断片部用情報保持部（図１のタグ断片部用情報保持部１０７に対応）には、タグＩＤ、商品番号、エラーコードの情報が、第２タグ断片部９０５の第２タグ断片部用情報保持部（図１のタグ断片部用情報保持部１０７に対応）には、タグＩＤ、商品番号、商品名、サイズ、色、製造日、価格の情報がそれぞれ記録されている。【０１２４】  図２６Ａ、図２６Ｃ、及び図２６Ｅの情報可変性とは、タグに記録されている情報を書き換えることが可能であるかどうかを示すものであり、タグ本体部９０３では、記録されている洗濯回数の情報、第２タグ断片部９０５では、記録されている価格の情報が書き換えが可能となっている。また、タグ本体部９０３では、タグＩＤ、商品番号、商品名、サイズ、色、商品アドレスなどの情報は書き換えが不可能となっている。また、第１タグ断片部９０５では、タグＩＤ、商品番号、エラーコードなどの情報は書き換えが不可能となっている。また、第２タグ断片部９０５では、タグＩＤ、商品番号、商品名、サイズ、色、製造日などの情報は書き換えが不可能となっている。【０１２５】  図２６Ａ、図２６Ｃ、及び図２６Ｅの各情報の発信可能状態とは、タグ本体部９０３、及び第１、第２タグ断片部９０５，９０７が記録情報項目の情報をそれぞれ発信可能な、図２７Ａ〜図２７Ｄに示した各状態（分離状態又は結合状態）を示している。【０１２６】  図２６Ｂ、図２６Ｄ、図２６Ｆの保持情報例は、シャツ９０１に付された状態認識タグ９０２のタグ本体部９０３、及び第１、第２タグ断片部９０５、９０７にそれぞれ記録されている情報の一例を示している。【０１２７】  以下、図２８Ａの状態１のタグの動作に関するフローチャートを用いて、図９に示す状態認識タグの利用例を説明するが、図２８Ａの状態１のタグの動作に関するフローチャートは説明済みのため、ここではフローチャートに沿った詳細な説明は省略する。【０１２８】  図２８Ａの状態１のタグの動作において、状態１はタグ本体部９０３と第１タグ断片部９０５が結合し、第１タグ断片部９０５と第２タグ断片部９０７が結合した状態であり、この状態を初期状態とする。【０１２９】  シャツ９０１の初期状態としては、シャツ９０１が購入される前、つまり販売店内にある状態が想定され、このとき、状態認識タグが発信する情報としては、販売店又は店員のための情報であることが望ましい。【０１３０】  そこで、状態１において、タグリーダ／ライタから情報の送信要求が行われた場合（ステップＳ２８ａ０３）、第２タグ断片部９０７に記録されている情報から、タグＩＤ、商品番号、商品名、サイズ、色、製造日、価格の情報をタグリーダ／ライタに送信する（ステップＳ２８ａ０４）（実際の情報例については図２６Ｂ、図２６Ｄ、図２６Ｆの保持情報例を参照。）。【０１３１】  また、バーゲンなどによりシャツ９０１の価格の値下げを行う場合には、タグライタから第２タグ断片部９０７に記録されている価格の情報を書き換えることができる（ステップＳ２８ａ０５、Ｓ２８ａ０６）。【０１３２】  ここで、顧客がシャツ９０１を購入したとする。このとき、店員は、第２タグ断片部９０７をタグ本体部９０３から分離させ、販売店用の情報を持った第２タグ断片部９０７（状態２（ｂ）のタグ）と、顧客用の情報を持った状態認識タグ（状態２（ａ）のタグ）とにすることができる（ステップＳ２８ａ０１）。【０１３３】  状態２（ｂ）のタグとなった第２タグ断片部９０７は、引き続き、状態１のタグの時と同様に情報を発信（ステップＳ２８ｄ０１、Ｓ２８ｄ０２）し、情報の書き換えを行うことができる（ステップＳ２８ｄ０３、Ｓ２８ｄ０４）。【０１３４】  状態２（ａ）のタグとなった状態認識タグは、購入後のシャツ９０１に付されており、前述したように状態認識タグが発信する情報としては、顧客のための情報であることが望ましい。【０１３５】  そこで、状態２（ａ）において、タグリーダ／ライタから情報の送信要求が行われた場合（ステップＳ２８ｂ０２）、タグ本体部９０３に記録さている情報から、タグＩＤ、商品番号、商品名、サイズ、色、商品アドレス、洗濯回数の情報をタグリーダ／ライタに送信する（ステップＳ２８ｂ０３）。これによって、顧客は、洗濯回数の情報からシャツ９０１の傷み具合や、商品アドレスの情報から、より詳細な衣類情報（例えば、シャツ９０１に似合うズボンやジャケットなど）を知ることができる。【０１３６】  また、洗濯機９０８の衣類を投入するドラムの入口にタグリーダ／ライタライタ９０８Ａを設けておくことで、タグ本体部９０３に記録されている洗濯回数の情報を書き換えることができる（ステップＳ２８ｂ０４、Ｓ２８ｂ０５）。ここで、タグ本体部９０３に洗濯���法等を記述して保持しておけば、その洗濯方法の情報を洗濯機９０８のタグリーダ／ライタライタ９０８に読み取らせることで、シャツ９０１に最適な洗濯方法の情報を洗濯機９０８に自動設定することも可能である。【０１３７】  しかし、タグ付きの衣類を着て外出する場合、気づかない間に第三者によってタグの情報を読み取られる恐れがある。【０１３８】  そこで、状態２（ａ）のタグから顧客が、さらに、第１タグ断片部９０５を分離させることによって、状態認識タグから発信する情報を制限することができる（ステップＳ２８ｂ０１）。【０１３９】  分離後、状態３（ａ）のタグとなってシャツ９０１に付されているタグ本体部９０３は、タグリーダ／ライタから情報の送信要求が行われた場合（ステップＳ２８ｄ０１）、タグ本体部９０３に記録されている情報から、タグＩＤ、商品番号、商品名、色、商品アドレスの情報のみを選択してタグリーダ／ライタに送信するようになる（ステップＳ２８ｄ０２）。これによって、顧客が知られたくないシャツのサイズや洗濯回数の情報などが発信されなくなり、プライバシーが守られる。【０１４０】  状態１のタグにおいて、仮に店員が誤って、第１タグ断片部９０５とタグ本体部９０３を分離させてしまった場合（ステップＳ２８ａ０２）、販売店側に残った状態認識タグは、状態４（ｂ）のタグとなり、タグリーダ／ライタの情報送信要求に対しエラーコードを返すようになる（ステップＳ２８ｃ０２、Ｓ２８ｃ０３）。エラーコード返し方の一例としては、図２６Ｄに示すように、「タグ切り取りミス」とタグリーダ／ライタの表示部、もしくはタグリーダ／ライタに接続しているＰＣ（パーソナルコンピュータ）等のディスプレイに表示すればよい。【０１４１】  この構成によれば、タグ本体部９０３に第１タグ断片部９０５を結合し、さらに第１タグ断片部に第２タグ断片部９０７を結合することにより、各タグの結合分離状態から１タグ毎に３通りの情報選択が可能となる。これによって、タグが付された物品の状態に柔軟に対応してユーザに適切な情報を発信することができる。【０１４２】  図１０は、第２実施形態にかかる状態認識タグの別の利用例であり、顧客が購入する照明器具１００１用電球に利用したものである。【０１４３】  顧客が購入する電球１００２には、第２実施形態にかかる状態認識タグ６００に対応する状態認識タグ１００４が付されている。状態認識タグ１００４は、タグ本体部１００５と２個の第１及び第２タグ断片部１００７、１００８から構成され、第１及び第２タグ断片部１００７、１００８はタグ本体部１００５から分離位置１００６でそれぞれ分離できる。タグ本体部１００５には電球１００２の商品情報が記録されている。第１タグ断片部１００７は、タグとしての機能も情報も持っていない。第２タグ断片部１００８は電球１００２の商品情報が記録されており、第１タグ断片部１００７が結合しているときにはタグとして機能せず、第１タグ断片部１００７が分離しているときにタグとして機能し、さらに情報の書き込みができるものとする。つまり、第２タグ断片部１００８には、商品情報とタグリーダ／ライタライタ１００３からの情報が記録されることになる。第１タグ断片部１００７を電��１００２の使用開始時に分離させ、タグリーダ／ライタライタ１００３から時刻情報を第２タグ断片部１００８に書き込むことにより、電球１００２の交換時期の推測が容易になる。また、第２タグ断片部１００８に照明器具１００１の照明器具情報を書き込み、顧客が第２タグ断片部１００８を分離させ電球販売店へ持っていくことにより、電球販売店は第２タグ断片部１００８に記録されている照明器具１００１の照明器具情報を参照し、照明器具１００１に最も相性の良い電球を提供することが可能となる。【０１４４】  尚、このとき状態認識タグに記録されている情報例を図２９Ａ〜図２９Ｄに示すが、各項目の説明は既に済んでいるため、ここでの詳細な説明は省略する。図３０Ａ〜図３０Ｄに図２９Ａ〜図２９Ｄに記載されている各状態を示す。【０１４５】  このように構成すれば、タグ本体部１００５に対して第１タグ断片部１００７と第２タグ断片部１００８とを個別に独立して分離可能に配置するとともに、第１タグ断片部１００７が結合しているときにはタグとして機能せず、第１タグ断片部１００７が分離しているときにタグとして機能し、さらに情報の書き込みができるものとすることにより、所望のタグ断片部に対して必要なときのみタグとして機能させることができる。【０１４６】  また、上記第２実施形態によれば、このような第１実施形態の作用効果に加えて、あらゆる場所に分離位置を設けることが可能となり、タグ断片部１００７，１００８の分離位置や組み合せ、個数などに対応してタグとしての機能の有無や情報の変更などをより詳細に設定することが可能となる。【０１４７】  （第３実施形態）
図１１Ａ，図１１Ｂ，図１１Ｃ，図１１Ｄはそれぞれ本発明の第３実施形態にかかる状態認識タグのタグ本体部１１０５とタグ断片部１１０６との間の分離位置の様々な例をそれぞれ示した図である。この第３実施形態にかかる状態認識タグは、先に述べた又は後で述べる状態認識タグとすることができる。【０１４８】  図１１Ａの例では、分離位置１１０１にはミシン目（切れ目の一例）が形成されており、使用者は分離位置を意識しなくても簡単に分離位置１１０１でタグ本体部１１０５とタグ断片部１１０６を分離することができる。【０１４９】  図１１Ｂの例では、分離位置１１０２には、ミシン目が形成された分離位置１１０１に、さらにハサミの絵を記載している。これによって、使用者は確実にタグ本体部１１０５とタグ断片部１１０６との分離位置を確認できる。【０１５０】  図１１Ｃの例では、分離位置１１０３には、分離位置１１０１にさらに「キリトリ」という文字を印字している。これによって、使用者は確実にタグ本体部１１０５とタグ断片部１１０６との分離位置を確認できる。【０１５１】  図１１Ｄの例では、分離位置１１０４には切り口が付いており、使用者は簡単に分離位置１１０４からタグ本体部１１０５とタグ断片部１１０６を分離させることができる。【０１５２】  なお、タグ本体部１１０５とタグ断片部１１０６との間の分離位置の例を示したが、この例は、タグ断片部とタグ断片部との間の分離位置として適用することも可能である。【０１５３】  また、図１２Ａ，図１２Ｂ，図１２Ｃ，図１２Ｄはそれぞれ第４実施形態にかかる状態認識タグの物品に対する固定及び分離方法の様々な例を示した図である。【０１５４】  図１２Ａ，図１２Ｂに示されるように、物品に付するためののりしろ１２０４をタグ本体部１２０１、又はタグ断片部１２０２のみに限定して設ける、これによって状態認識タグ製造者の意図に反して、タグ本体部を物品に付したまま残したいのにタグ断片部を物品に付してタグ本体部を分離させられることや、タグ断片部を物品に付したまま残したいのにタグ本体部を物品に付してタグ断片部を分離させられることが無くなる。また、図１２Ｃ，図１２Ｄに示されるように、物品に付するためののりしろ１２０４を分離位置１２０３の近辺にのみ設けないようにすることにより、使用者は確実にタグ本体部１２０１とタグ断片部１２０２を分離することができる。【０１５５】  また、図１３Ａ，図１３Ｂ，図１３Ｃ，図１３Ｄ，図１３Ｅ，図１３Ｆはそれぞれ第３実施形態にかかる状態認識タグの分離位置のさらに別の例を示した図である。【０１５６】  分離位置１３０３を、人の力で簡単に分離できる紙やビニールのような素材から構成し、タグ本体部１３０１とタグ断片部１３０２の回りを硬い金属やプラスチックなどの補強部材１３０４により構成することによって、使用者は、図１３Ａに示されるように誤ってタグを分離位置以外の場所から分離させることなく、図１３Ｂに示されるように自然に分離位置１３０３でタグ本体部１３０１とタグ断片部１３０２とを分離させることができる。【０１５７】  図１３Ｃ〜図１３Ｆに示されるように、タグ本体部１３０５をシール台とし、タグ断片部１３０６をシールとし、シール（タグ断片部１���０６）をシール台（タグ本体部１３０５）から剥がすことによって、タグ本体部１３０５からタグ断片部１３０６を分離させることができる。シール台（タグ本体部１３０５）の表面とシール（タグ断片部１３０６）の裏面にそれぞれ分離位置として導線１３０７を露出しておくことによって、第１、２実施形態が実現可能となる。【０１５８】  上記第３実施形態によれば、タグがユーザによって分離されるときに、タグ製作者の意図しない部分で分離することが無くなり、また、ユーザがタグの分離位置を意識する必要がなくなる。【０１５９】  （第４実施形態）
図１４Ａ，図１４Ｂ，図１４Ｃは本発明の第４実施形態にかかる状態認識タグの分離位置に配置された分離係合可能かつ分離後に再結合可能な係合構造の様々な例を示した図である。【０１６０】  図１４Ａに示されるように、容器本体１４０２ｂの外周面におねじ（１つの係合部（例えば、第１係合部）の一例）が形成された口部１４０２ａの基部に配置された帯状の第１タグ本体部１４０２と、上記容器本体１４０２ｂの口部１４０２ａのおねじに螺合するめねじ（別の係合部（例えば、第２係合部）の一例）を有する蓋１４０３ａの内周面端部に配置された帯状の第１タグ断片部１４０３とより第１状態認識タグ１４０１を構成して、上記容器本体１４０２ｂの口部１４０２ａに蓋１４０３ａをねじ込むことにより第１タグ本体部１４０２と第１タグ断片部１４０３とが結合する（図１５Ａ，図１５Ｂ参照）一方、上記容器本体１４０２ｂの口部１４０２ａに蓋１４０３ａとのねじを緩めることにより第１タグ本体部１４０２と第１タグ断片部１４０３とが分離されることによって、第１タグ本体部１４０２と第１タグ断片部１４０３の結合分離を容易に可能にしている。【０１６１】  また、図１４Ｂに示されるように、矩形箱体１４０５ａの矩形開口部（１つの係合部の一例）の内面に配置された帯状の第２タグ本体部１４０５と、矩形箱体１４０５ａの矩形開口部内に脱着可能に嵌合可能な矩形直方体形状の差し込み部（別の係合部の一例）１４０６ａを有しかつ側面Ｔ字状である蓋体１４０６ｂの差し込み部１４０６ａの側面に配置された帯状の第２タグ断片部１４０６とより第２状態認識タグ１４０４を構成して、矩形箱体１４０５ａの矩形開口部内に蓋体１４０６ｂの差し込み部１４０６ａを嵌合することにより、第２タグ本体部１４０５と第２タグ断片部１４０６とが結合する（図１５Ｃ，図１５Ｄ参照）一方、矩形箱体１４０５ａの矩形開口部内から蓋体１４０６ｂの差し込み部１４０６ａを抜き出すことにより、第２タグ本体部１４０５と第２タグ断片部１４０６とが分離されることによって、第２タグ本体部１４０５と第２タグ断片部１４０６との結合分離を容易に可能にしている。【０１６２】  また、図１４Ｃに示されるように、円筒形箱体１４０８ａの円形開口部（１つの係合部の一例）の内面に配置された帯状の第３タグ本体部１４０８と、円筒箱体１４０８ａの円形開口部内に脱着可能に嵌合可能な円柱形状の差し込み部（別の係合部の一例）１４０９ａを有しかつ側面Ｔ字状である蓋体１４０９ｂの差し込み部１４０９ａの側面に配置された帯状の第３タグ断片部１４０９とより第３状態認識タグ１４０７を構成して、円筒箱体１４０８ａの円形開口部内に蓋体１４０９ｂの差し込み部１４０９ａを嵌合することにより、第３タグ本体部１４０８と第３タグ断片部１４０９とが結合する（図１５Ｅ，図１５Ｆ参照）一方、円筒箱体１４０８ａの円形開口部内から蓋体１４０９ｂの差し込み部１４０９ａを抜き出すことにより、第３タグ本体部１４０８と第３タグ断片部１４０９とが分離されることによって、第３タグ本体部１４０８と第３タグ断片部１４０９との結合分離を容易に可能にしている。【０１６３】  これらの構成は、例えば、ペットボトルの容器本体とキャップや、薬品のボトル���体と蓋などに利用可能であり、未開封か開封済みか、栓が閉まっているか閉じているかなどを認識し、消費期限の厳密な管理を行うことができる。また、第１状態認識タグ１４０１、第２状態認識タグ１４０４、第３状態認識タグ１４０７はそれぞれ分離位置の形状が異なっており、例えば、第１タグ本体部１４０２に第２タグ断片部１４０６や第３タグ断片部１４０９が結合されることはないため、誤って、第１タグ本体部１４０２に第１断片部１４０３とは異なるタグ断片部１４０６や１４０９を結合することが効果的に防止できる。【０１６４】  なお、図１５Ａ〜図１５Ｆは、図１４Ａ〜図１４Ｃの各タグ本体部と各タグ断片部が結合したときの図であり、各タグ本体部と各タグ断片部との接触部に第１実施形態にかかる構成の接触センサや、第２、第３実施形態にかかる構成で導電物質を用いることによって、結合状態及び分離状態を認識することができる。ここで、導電物質とは、例えば銀や銅などの導電率の高いものが望ましい。このように、本発明の各実施形態における、タグ本体部とタグ断片部との結合、及び、タグ断片部同士の結合とは、互いにその一部又は全部が電気的に接触している（なお、電気的に接触するのは一例であり、図２のような接触センサを用いて接触してもよい。）ことを意味し、タグ本体部とタグ断片部との分離、及び、タグ断片部同士の分離とは、互いにその全部が電気的に非接触であることを意味している。【０１６５】  また、分離位置に導電物質を用いた場合、タグ本体部Ａにタグ断片部Ａが結合されたときのタグ本体部Ａにかかる抵抗値とタグ断片部Ｂが結合されたときのタグ本体部Ａにかかる抵抗値とが異なるようにタグ断片部Ａ、タグ断片部Ｂそれぞれに対し値の異なる抵抗器を組み込む。それによって、タグ本体部Ａはタグ断片部が結合したときの抵抗値を抵抗計などから測定することにより、現在結合しているのはタグ断片部Ａなのかタグ断片部Ｂなのかを分離状態認識部で認識することができる。【０１６６】  ここで、本来、タグ本体部Ａに結合されるタグ断片部をタグ断片部Ａとする。すると、タグ本体部Ａにタグ断片部Ｂが結合したときでも、タグ本体部Ａはタグ断片部Ａが分離しているときの情報をタグリーダ／ライタに制御部で送信することや、異なったタグ断片部が結合されているという情報をタグリーダ／ライタに制御部で送信することも可能となる。なお、ここで示したタグ断片部Ｂがタグ本体部Ａのタグ断片部かどうかの検出方法は一例であり、本発明はその他の方法によっても適用可能である。【０１６７】  図２２は、本発明の第４実施形態にかかる状態認識タグの分離位置に配置された、分離係合可能かつ分離後に再結合可能な係合構造（係合部）の例を示した図である。【０１６８】  ２２０６は組み立て作業が行われた後の棚であるとする。２２０４は背板、２２０５Ａと２２０５Ｂとは横板であり、背板２２０４の２つの嵌合穴２２０４ａに横板２２０５Ａ又は２２０５Ｂの２つの突起２２０５ｐをそれぞれ嵌合することにより背板２２０４に横板２２０５Ａ又は２２０５Ｂを取り付けることによって、タグ本体部２２０１とタグ断片部２２０２が結合する。２２０３はタグリーダ／ライタで、前記タグ本体部２２０１、タグ断片部２２０２の情報をそれぞれ読み取ることができる。【０１６９】  ここで、図２３は、背板２２０４の横板差し込み箇所に取り付けられたタグ本体部２２０１に対するタグ断片部２２０２の分離状態によって発信する情報が異なる例である。各タグの詳細な保持情報については省略する。【０１７０】  前記背板２２０４の横板差し込み箇所で前記横板２２０５が差し込まれた場合、前記タグ本体部２２０１と前記タグ断片部２２０２が結合し「正常に取り付けられています」という情報を前記タグリーダ／ライタ２２０３に発信する。【０１７１】  前記背板２２０４の横板差し込み箇所に何も部品が取り付けられていない場合、前記タグ本体部２２０１は「横板が取り付けられていません」という情報を、前記タグ断片部２２０２は「背板に取り付けられていません」という情報をそれぞれ前記タグリーダ／ライタ２２０３に発信する。【０１７２】  前記背板２００４の横板差し込み箇所に前記天板２２０７が差し込まれた場合、前記タグ本体部２２０１と前記天板２２０７に取り付けられている別のタグ断片部が結合し、前記タグ本体部２２０１、別のタグ断片部ともに「異なる部品が取り付けられています」という情報を前記タグリーダ／ライタ２２０３に発信する。【０１７３】  図２４Ａ及び図２４Ｂは、図２３に示した情報発信を実現するための状態認識タグの一つの構成例及び情報例である。なお、図２４Ａにおいては、タグ断片部Ｂ２４０２の係合部Ｂ２４０２ａとタグ本体部Ａ２４０１の係合部Ａ２４０１ａとの係合関係を理解しやすくするため、係合部Ｂ２４０２ａに係合部Ａ２４０１ａを接触させた状態を点線で示している。同様に、タグ断片部Ｃ２４０３の係合部Ｃ２４０３ａとタグ本体部Ａ２４０１の係合部Ａ２４０１ａとの係合関係を理解しやすくするため、係合部Ｃ２４０３ａに係合部Ａ２４０１ａを接触させた状態を点線で示している。【０１７４】  Ａ２４０１が上記タグ本体部２２０１に対応するタグ本体部、Ｂ２４０２が上記タグ断片部２２０２に対応するタグ断片部、Ｃ２４０３が上記別のタグ断片部に対応するタグ断片部である。ここでは、タグ本体部Ａ２４０１とタグ断片部Ｂ２４０２とが本来的に係合すべきものであることから、別のタグ本体部やタグ断片部と区別するために、「Ａ」と「Ｂ」を参照符号の前に付ける。よって、別のタグ本体部やタグ断片部には、上記タグ本体部Ａ２４０１やタグ断片部Ｂ２４０２と区別するために、「Ｃ」を参照符号の前に付ける。）、Ａ２４０１ａはタグ本体部Ａ２４０１の係合部、Ｂ２４０２ａはタグ断片部Ｂ２４０２の係合部、Ｃ２４０３ａはタグ断片部Ｂ２４０２とは異なったタグ断片部Ｃ２４０３の係合部となっている。【０１７５】  タグ本体部Ａ２４０１の係合部Ａ２４０１ａのＡ２４０７の黒塗りの部分は、導体より構成されるタグ本体部Ａ２４０１のタグ結合検出用電力受取部であり、ここから電力が、タグ断片部Ｂ２４０２又はＣ２４０３側からタグ本体部Ａ２４０１に供給されることによって、タグ本体部Ａ２４０１にタグ断片部Ｂ２４０２又はタグ断片部Ｃ２４０３が結合していることが検出できる。【０１７６】  また、タグ本体部Ａ２４０１の係合部Ａ２４０１ａのＡ２４１１の黒塗りの部分は、導体より構成されるタ��本体部Ａ２４０１のタグ結合検出用電力供給部であり、タグ本体部Ａ２４０１のアンテナＡ２６０４より発生した電力を、タグ本体部Ａ２４０１に結合したタグ断片部Ｂ２４０２又はタグ断片部Ｃ２４０３へ供給する。【０１７７】  ここで、タグ結合検出用電力受取部Ａ２４０７とタグ結合検出用電力供給部Ｂ２４１１又はＣ２４１１が結合することで、タグ結合検出用電力供給部Ｂ２４１１又はＣ２４１１から（アンテナＢ２６０４又はＣ２６０４から）タグ結合検出用電力受取部Ａ２４０７へと電力が伝わることになる。また、タグ結合検出用電力受取部Ｂ２４０７又はＣ２４０７とタグ結合検出用電力供給部Ａ２４１１が結合することで、タグ結合検出用電力供給部Ａ２４１１からタグ結合検出用電力受取部Ｂ２４０７又はＣ２４０７へと電力が伝わることになる。【０１７８】  また、タグ本体部Ａ２４０１の係合部Ａ２４０１ａのＡ２４０８の黒塗りの部分は、導体より構成されるタグ本体部Ａ２４０１の正解タグ検出用電力受取部であり、ここから電力が、タグ断片部Ｂ２４０２側からタグ本体部Ａ２４０１に供給されることによって、本来係合すべきタグ断片部Ｂ２４０２が結合していることが検出できる。【０１７９】  また、タグ本体部Ａ２４０１の係合部Ａ２４０１ａのＡ２４１２の黒塗りの部分は、導体より構成されるタグ本体部Ａ２４０１の正解タグ検出用電力供給部であり、タグ本体部Ａ２４０１のアンテナＡ２６０４より発生した電力を、タグ本体部Ａ２４０１に結合したタグ断片部Ｂ２４０２へ供給する。【０１８０】  ここで、正解タグ検出用電力受取部Ａ２４０８と正解タグ検出用電力供給部Ｂ２４１２が結合することで、正解タグ検出用電力供給部Ａ２４１２から正解タグ検出用電力受取部Ｂ２４０８へと電力が伝わることになる。また、正解タグ検出用電力受取部Ｂ２４０８と正解タグ検出用電力供給部Ａ２４１２が結合することで、正解タグ検出用電力供給部Ｂ２４１２（アンテナＢ２６０４）から正解タグ検出用電力受取部Ａ２４０８へと電力が伝わることになる。【０１８１】  また、正解タグ検出用電力受取部Ａ２４０８と正解タグ検出用電力供給部Ｂ２４１２、及び、正解タグ検出用電力受取部Ｂ２４０８と正解タグ検出用電力供給部Ａ２４１２は、本来係合すべきタグ同士が結合したときにのみ結合するような位置に設けられているため、本来係合すべきではないタグ断片部Ｃ２４０３の正解タグ検出用電力供給部Ｃ２４１２から正解タグ検出用電力受取部Ａ２４０８に電力が伝わることもなければ、正解タグ検出用電力供給部Ａ２４１２から、本来係合すべきではないタグ断片部Ｃ２４０３の正解タグ検出用電力受取部Ｃ２４０８に電力が伝わることもない。【０１８２】  これによって、タグ本体部Ａ２４０１に、上記タグ断片部Ｂ２４０２も上記タグ断片部Ｃ２４０３も共に結合していない場合、アンテナＡ２６０４のみから電力が供給されて、排他的論理和回路２６０５からＩＣチップ２４０８に電力が供給され、ＩＣチップ２４０８から、上記タグ本体部Ａ２４０１には何もタグ断片部が結合していない場合の情報、例えば「横板が取り付けられていません」という情報がタグリーダ／ライタに発信される。基本的に、詳細な動作は図３又は、図６と同様であるため、��こでは省略する。【０１８３】  上記タグ本体部Ａ２４０１に上記タグ断片部Ｂ２４０２が結合している場合、アンテナＡ２６０４とタグ断片部Ｂ２４０２のタグ結合検出用電力供給部Ｂ２４１１と正解タグ検出用電力供給部Ｂ２４１２とから電力が供給されて、論理積回路２６０６、２６０７を通してＩＣチップ２４１０に電力が供給され、ＩＣチップ２４１０から、上記タグ本体部Ａ２４０１と上記タグ断片部Ｂ２４０２が結合している場合の情報、例えば「正常に横板が取り付けられています」という情報がタグリーダ／ライタに発信される。【０１８４】  上記タグ本体部Ａ２４０１に上記タグ断片部Ｃ２４０３が結合している場合、アンテナＡ２６０４とタグ断片部Ｃ２４０３のタグ結合検出用電力供給過所Ｃ２４１１のみから電力が供給されて、論理積回路２６０６と排他的論理和回路２６０８を通してＩＣチップ２４０９に電力が供給され、ＩＣチップ２４０９から、上記タグ本体部Ａ２４０１と結合するべきではないタグ断片部が結合している場合の情報、例えば「横板とは異なる部品が取り付けられています」という情報がタグリーダ／ライタに発信される。【０１８５】  上記実施形態によれば、タグ本体部とタグ断片部が結合分離可能なことから、タグ本体部とタグ断片部を同じ製造元が同じ時刻に製造する必要はなくなる。例えば、メーカーが商品にタグ本体部を取り付けて出荷した後、小売店がその商品のタグ本体部にタグ断片部をさらに取り付けて販売を行うことも可能である。【０１８６】  また、上記第４実施形態によれば、使用者は商品の開封のみならず、各種容器、ドア等の開閉やプラグの着脱に応じてデータを切り替えることが可能となる。また、タグ本体部とタグ断片部を別々に製造しておき、後に結合させることも可能である。【０１８７】  さらに、製造現場において各部品の接続箇所に本タグを用いることによって、正しく組み立てが行われているかが容易に確認できるようになり、解体現場においては全ての部品が解体されているかが容易に確認できるようになる。【０１８８】  （第５実施形態）
図１６は、第５実施形態にかかる状態認識タグを利用した容器の１つの構成例である。容器本体（１つの係合部の一例）１６０１は例えばお菓子の箱やダンボールに相当する。本発明のいずれかの実施形態の状態認識タグを、容器本体１６０１とその蓋（別の係合部の一例）１６０１ａに跨るように貼り付ける。すなわち、状態認識タグのタグ本体部（ここでは、１６０２で示す。）を容器本体１６０１の蓋１６０１ａの近傍に配置し、蓋１６０１ａには状態認識タグのタグ断片部にこでは、１６０３で示す。）を、閉じ状態でタグ本体部１６０２に対向可能に配置する。蓋１６０１ａが閉じているときはタグ本体部１６０２とタグ断片部１６０３は結合しており、上記制御部は上記情報保持部から容器本体１６０１の蓋１６０１ａは閉まっているという情報を上記タグリーダ／ライタ１７０５に送信する。容器本体１６０１の蓋１６０１ａを開けると、タグ本体部１６０２とタグ断片部１６０３が分離することによって、上記制御部は上記情報保持部から容器本体１６０１の蓋１６０１ａは開いているという情報をタグリーダ／ライタ１７０５に送信する。これによって、商品の未開封か開封済みかを認識することができる。【０１８９】  図１７は、第５実施形態にかかる状態認識タグを利用した容器の別の構成例である。容器本体１７０１は例えば収納ボックスや机の引き出しに相当する。上記状態認識タグのタグ本体部１７０３を容器本体１７０１の開口部（１つの係合部の一例）の内側へ貼り付け、タグ断片部１７０４を、容器本体１７０１の開口部で出し入れされる引き出し（別の係合部の一例）１７０２の外側に、タグ本体部１７０３に対向可能に貼り付け、引き出し１７０２が閉まったときにタグ本体部１７０３とタグ断片部１７０４が結合できるようにする。引き出し１７０２が閉まっているときはタグ本体部１７０３とタグ断片部１７０４は結合しており、上記制御部は、上記情報保持部から容器本体１７０１の引き出し１７０２は閉まっているという情報を上記タグリーダ／ライタ１７０５に送信する。容器本体１７０１の開口部から引き出し１７０２を引き出すと、タグ本体部１７０３とタグ断片部１７０４が分離することによって、上記制御部は、上記情報保持部から容器本体１７０１の引き出し１７０２は引き出されているという情報を上記タグリーダ／ライタ１７０５に送信する。【０１９０】  これによって、引き出し１７０２が引き出されたときと閉じられたときが分かるので、例えば引き出し１７０２が引き出されたという情報がタグリーダ／ライタ１７０５に送信されると、タグリーダ／ライタ１７０５に接続されてタグリーダ／ライタ１７０５からの上記引き出し信号を受け取った制御部１７０７が監視カメラ１７０６を動作させるといったことが可能となり、物品の管理だけではなくセキュリティー強化にも有用である。【０１９１】  また、図１８Ａ，図１８Ｂは第５実施形態にかかる状態認識タグを利用した容器の別の構成例である。容器本体１８０１は例えばビンや缶、ペットボトルに相当する。上記状態認識タグのタグ本体部１８０３を容器本体１８０１の口部（１つの係合部の一例）１８０１ａの内側又は基部に貼り付け、タグ断片部１８０４を栓（別の係合部の一例）１８０２の外側に貼り付け、栓１８０２が閉まったときにタグ本体部１８０３とタグ断片部１８０４が結合できるようにする。栓１８０２が閉まっているときはタグ本体部１８０３とタグ断片部１８０４は結合しており、上記制御部は、上記情報保持部から容器本体１８０１の栓１８０２は閉まっているという情報を上記タグリーダ／ライタに送信する。容器本体１８０１の栓１８０２を開けると、タグ本体部１８０３とタグ断片部１８０４が分離することによって、上記制御部は、上記情報保持部から容器本体１８０１の栓１８０２は開いているという情報を上記タグリーダ／ライタに送信する。【０１９２】  ここで、図１９は図１８Ａ，図１８Ｂに示した容器本体１８０１の栓１８０２を閉めたときの状況を表している。容器本体１８０１は栓１８０２が不十分な閉め方であることや、ネジの食い違いにより正確に閉まっていなく、タグ本体部１９０５とタグ断片部１９０６が結合できていない状況を表している。容器本体１８０１は栓１８０２が正確に閉められているため、タグ本体部１９０５とタグ断片部１９０６が結合できている状況を表している。これにより上記容器本体１８０１の栓１８０２が開いている期間を管理できるため、常温時の揮発性薬品などの管理や飲料水の賞味期限の管理に有用である。また、冷蔵庫にタグリーダ／ライタを設置することで、栓１８０２が正確にされていないペットボトルを冷蔵庫に入れようとしたときに、タグリーダ／ライタに接続された制御装置を介して警告装置から警告を発することも可能である。また、容器本体１８０１に栓１８０２が閉められている場合には容器内容の情報を発信し、容器本体１８０１と栓１８０２が離れたときにはタグ本体部１９０５は容器本体１８０１の素材情報を、タグ断片部１９０６は栓１８０２の素材情報をそれぞれ発信するようにし、資源リサイクルなどに役立てることも可能である。【０１９３】  図２０Ａ〜図２０Ｄは第５実施形態にかかる状態認識タグを利用した容器の別の構成例である。容器は例えば牛乳パックに相当し、図２０Ａ，図２０Ｂの容器２００１は牛乳パックを開いた状況を表し、図２０Ｃ，図２０Ｄの容器２００１は牛乳パックを閉じた状況を表している。上記状態認識タグのタグ本体部２００３を容器２００１のパック開け口２００１ａの片隅内側（１つの係合部の一例）に貼り付け、タグ断片部２００４を容器２００１のパック開け口２００１ａの逆側の片隅内側（別の係合部の一例）に貼り付け、パック開け口２００１ａが閉まったときにタグ本体部２００３とタグ断片部２００４が結合できるようにする。パック開け口２００１ａが閉まっているときにはタグ本体部２００３とタグ断片部２００４は結合しており、上記制御部は、上記情報保持部から容器２００１のパック開け口２００１ａは閉まっているという情報を上記タグリーダ／ライタに送信する。パック開け口２００１ａが開いているときにはタグ本体部２００３とタグ断片部２００４が分離しており、上記制御部は、上記情報保持部から容器２００１のパック開け口２００１ａは開いているという情報を上記タグリーダ／ライタに送信する。これは、従来未開封時の賞味期限しか扱えなかった商品に対し、商品開封後の賞味期限の管理などに有用である。��０１９４】  また、本発明の第５実施形態にかかる記載の状態認識タグとして、上記容器を、多数の商品を収納するケース、例えば、ビールケースとしたときの例について、図２１を基に説明する。【０１９５】  図２１は第５実施形態にかかる状態認識タグを利用した容器の構成例である。容器２１０１は例えばビール瓶ケースに相当する。容器２１０１の底一面（１つの係合部の一例）がタグ本体部２１０３となっており、瓶２１０２が積み込まれる各場所の底に分離位置２１０５を設ける。そして、瓶２１０２の底（別の係合部の一例）にタグ断片部２１０４を設けることにより、瓶２１０２が容器２１０１に積み込まれると、瓶２１０２の底にあるタグ断片部２１０４とタグ本体部２１０３が分離位置２１０５で結合する。これにより、瓶２１０２が容器２１０１に積み込まれたことが分離状態認識部で認識できる。このようにすることにより、容器の中に何本の瓶２１０２が積載（収納）されているかを把握することができる。さらに、各分離位置２１０５に重量計を取り付けることによって、各瓶２１０２の残容量をも調べることも可能となる。【０１９６】  上記第５実施形態によれば、容器の開閉状態又は積載（収納）状態が分かり、物品の管理や賞味期限の管理を厳密に行うことができる。【０１９７】  なお、図１４Ａから図２１Ｂなどに示した容器は一例であり、本発明はその他の容器にも適用可能であり、また上記タグ本体部と上記タグ断片部を入れ替えても支障はない。【０１９８】  なお、上記様々な実施形態のうちの任意の実施形態を適宜組み合わせることにより、それぞれの有する効果を奏するようにすることができる。
【産業上の利用可能性】
【０１９９】  本発明の状態認識タグは、タグ本体部とタグ断片部が結合しているか分離しているかによってタグリーダ／ライタに送信する情報を変更でき、さらに分離したタグ断片部にもタグとしての機能を持たせることが可能であり、結合分離を伴う物品の管理などに有用である。【０２００】  本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【図１】
2005119585.tif 000003
【図２】
2005119585.tif 000004
【図３】
2005119585.tif 000005
【図４】
2005119585.tif 000006
【図５】
2005119585.tif 000007
【図６】
2005119585.tif 000008
2005119585.tif 000009
2005119585.tif 000010
【図９】
2005119585.tif 000011
【図１０】
2005119585.tif 000012
2005119585.tif 000013
2005119585.tif 000014
2005119585.tif 000015
2005119585.tif 000016
2005119585.tif 000017
2005119585.tif 000018
2005119585.tif 000019
2005119585.tif 000020
2005119585.tif 000021
2005119585.tif 000022
【図１６】
2005119585.tif 000023
【図１７】
2005119585.tif 000024
2005119585.tif 000025
2005119585.tif 000026
2005119585.tif 000027
2005119585.tif 000028
2005119585.tif 000029
2005119585.tif 000030
2005119585.tif 000031
【図２２】
2005119585.tif 000032
【図２３】
2005119585.tif 000033
2005119585.tif 000034
2005119585.tif 000035
2005119585.tif 000036
2005119585.tif 000037
2005119585.tif 000038
2005119585.tif 000039
2005119585.tif 000040
2005119585.tif 000041
2005119585.tif 000042
2005119585.tif 000043
2005119585.tif 000044
2005119585.tif 000045
2005119585.tif 000046
2005119585.tif 000047
2005119585.tif 000048
2005119585.tif 000049
2005119585.tif 000050
2005119585.tif 000051
2005119585.tif 000052
2005119585.tif 000053
2005119585.tif 000054
2005119585.tif 000055
【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
タグリーダ／ライタで認識可能なタグ本体部と、
上記タグ本体部と分離可能且つタグリーダ／ライタで認識可能なタグ断片部と、
上記タグ本体部に備えられ且つ上記タグ本体部を認識する上記タグリーダ／ライタに送信すべき情報を記憶するタグ本体部用情報保持部と、
上記タグ断片部に備えられ且つ上記タグ断片部を認識する上記タグリーダ／ライタに送信すべき情報を記憶するタグ断片部用情報保持部と、
上記タグ本体部に備えられ且つ上記タグ本体部と上記タグ断片部との分離状態を認識するタグ本体部用分離状態認識部と、
上記タグ断片部に備えられ且つ上記タグ本体部と上記タグ断片部との上記分離状態を認識するタグ断片部用分離状態認識部と、
上記タグ本体部に備えられ且つ上記タグ本体部用分離状態認識部で認識された上記分離状態に基づき、上記タグ本体部と上記タグ断片部とが分離しているか結合しているかによって上記タグ本体部用情報保持部に保持した情報をそれぞれ選択し、タグリーダ／ライタからの情報に基づき選択された情報の送信、書き換え、又は、追記を行なうタグ本体部用制御部と、
上記タグ断片部に備えられ且つ上記タグ断片部用分離状態認識部で認識された上記分離状態に基づき、上記タグ本体部と上記タグ断片部とが分離しているか結合しているかによって上記タグ断片部用情報保持部に保持した情報をそれぞれ選択し、タグリーダ／ライタからの情報に基づき選択された情報の送信、書き換え、又は、追記を行なうタグ断片部用制御部と、
上記タグ本体部に備えられ且つ、上記タグ本体部用情報保持部と上記タグ本体部用分離状態認識部と上記タグ本体部用制御部とに電力を供給するタグ本体部用電力供給部と、
上記タグ断片部に備えられ且つ、上記タグ断片部用情報保持部と上記タグ断片部用分離状態認識部と上記タグ断片部用制御部とに電力を供給するタグ断片部用電力供給部と、
を備える状態認識タグ。
【請求項２】
上記タグ断片部と同様な機能を持つ少なくとも１つ以上の追加のタグ断片部を上記タグ本体部又は上記タグ断片部に分離可能に連結可能であり、上記タグ本体部と上記タグ断片部と上記追加のタグ断片部とのうちの上記いずれかの分離状態認識部は、上記タグ断片部及び上記追加のタグ断片部のそれぞれの分離状態を認識し、上記制御部は、上記いずれかの分離状態認識部により認識した上記分離状態によって上記情報保持部から上記タグリーダ／ライタに送信すべき情報を選択し、送信するか否かを決定し、送信するのであれば上記情報保持部から選択された情報を、上記タグリーダ／ライタに送信するための送信制御を行う請求項１に記載の状態認識タグ。
【請求項３】
上記タグ本体部と上記タグ断片部との間での分離する部分又は上記タグ断片部と上記追加のタグ断片部との間での分離する部分には、上記タグ本体部と上記タグ断片部とを分離可能な切れ目を有する請求項１又は２のいずれかに記載の状態認識タグ。
【請求項４】
上記タグ本体部と上記タグ断片部との間での分離する部分又は上記タグ断片部と上記追加のタグ断片部との間での分離する部分には、上記分離する部分のうちの一方を有する第１係合部と、上記第１係合部に分離係合可能かつ分離後に再結合可能でかつ上記分離する部分のうちの他方を有する第２係合部とを有する係合構造を有する請求項１又は２に記載の状態認識タグ。
【請求項５】
請求項１又は２に記載の状態認識タグの上記タグ本体部と上記タグ断片部のうちのいずれか一方が配置された容器本体と、
上記容器本体と分離可能に結合されかつ上記タグ本体部と上記タグ断片部のうちのいずれか他方が配置された蓋とを備えて、上記蓋と上記容器本体とを結合させるとき上記タグ本体部と上記タグ断片部とが結合し、上記蓋を上記容器本体から分離させるとき上記タグ本体部と上記タグ断片部とが分離する容器。
【手続補正２】
【補正対象書類名】明細書
【補正対象項目名】全文
【補正方法】変更
【補正の内容】
【発明の詳細な説明】
【技術分野】
【０００１】
本発明は、タグ本体部に設けられた１つ以上の分離位置のどの位置からタグ断片部が切り離されたかを認識することによって、タグ本体部及び、タグ断片部からタグリーダ／ライタに送信する情報を変更する、状態認識タグに関する。
【背景技術】
【０００２】
現在、ＩＣタグはバーコードに代わる新技術として期待されており、将来的にはバーコードに取って代わり、あらゆる物品にタグが付されることが考えられる。物品に付されるタグに記録される情報としては物品名称や物品ＩＤ、値段、消費期限、商品情報などが考えられる。しかしながら、物品は常に一定の状態に留まっていることはなく、物品によっては分離、結合するものもある。このような場合タグから発信する情報としては、分離したときは分離した物品のパーツの各情報を、結合したときは結合して一体となったときの物品の情報を、といったように現在の各物品の状況に適した情報であることが望ましい。
【０００３】
一方、特許文献１では、静電結合型のＩＣチップを利用した技術が開示されている。その手段として、包装基材上に、切断されて分離することで接触する箇所がなく２個の互いに独立したアンテナ部が形成されるように導電性層を形成し、このアンテナ部である導電性層上に外部機器と情報を教授することが可能となる静電結合型の非接触ＩＣチップが積層されている。
【０００４】
また、特許文献２では、共振タグを利用した技術が開示されている。その手段として、コイル部、コンデンサ部、またはその間に切断のための切れ目を設けることによって、あらかじめ設定した周波数帯に変化させたり、共振現象を起こさせなくしたりすることが可能となる。
【０００５】
また、特許文献３では、物品に貼り付けた物品輸送用伝票から伝票を切り取ると、導電パターンの一部が切り離されて電気的特性が変化し、伝票検知部から制御部に検知情報が送られ、ＩＤコード「５４３２１」の使用を中止するようにしたものがある。
【０００６】
また、特許文献４では、互いに分離可能に連設された親カード及び１枚又は複数枚の子カードを備えて顧客カードを構成し、親カード及び子カードにはそれぞれ非接触ＩＣタグが搭載され、各非接触ＩＣタグには同一の認識コードが記憶されているようにしたものがある。
【０００７】
【特許文献１】特開２００２−３６２６１３号公報
【特許文献２】特開平１０−０３９７５８号公報
【特許文献３】特開２００２−６００１２号公報
【特許文献４】特開２００３−１２３０４６号公報
【発明の開示】
【発明が解決しようとする課題】
【０００８】
しかしながら、上記特許文献１は、包装基材が切断・開封されることで初めてタグとして機能を開始する。つまり、開封以前はタグとして機能することはない。
【０００９】
また、上記特許文献２は、タグを切り取ることによって変化するのは周波数のみであり、タグ切り取り前後でタグからの発信情報を変更することはできない。また、切り取ったタグの断片部分もタグとしての機能を有していることはない。
【００１０】
また、上記特許文献３はタグを備えていない。
【００１１】
また、上記特許文献４は、分離切断されたことをタグでは認識できないため、他の文献を考慮しても、分離切断されることによってタグの情報が変化しないため、分離状態を検出することができなかった。
【００１２】
したがって、本発明の目的は、上記課題を解決することにあって、タグ本体部とタグ断片部との間での分離状態を認識して、タグ本体部及び、タグ断片部からタグリーダ／ライタに送信する情報を変更することができる状態認識タグを提供することである。
【課題を解決するための手段】
【００１３】
本発明は、上記目的を達成するため、以下のように構成している。
【００１４】
本発明の第一態様によれば、タグリーダ／ライタで認識可能なタグ本体部と、
上記タグ本体部と分離可能且つタグリーダ／ライタで認識可能なタグ断片部と、
上記タグ本体部に備えられ且つ上記タグ本体部を認識する上記タグリーダ／ライタに送信すべき情報を記憶するタグ本体部用情報保持部と、
上記タグ断片部に備えられ且つ上記タグ断片部を認識する上記タグリーダ／ライタに送信すべき情報を記憶するタグ断片部用情報保持部と、
上記タグ本体部に備えられ且つ上記タグ本体部と上記タグ断片部との分離状態を認識するタグ本体部用分離状態認識部と、
上記タグ断片部に備えられ且つ上記タグ本体部と上記タグ断片部との上記分離状態を認識するタグ断片部用分離状態認識部と、
上記タグ本体部に備えられ且つ上記タグ本体部用分離状態認識部で認識された上記分離状態に基づき、上記タグ本体部と上記タグ断片部とが分離しているか結合しているかによって上記タグ本体部用情報保持部に保持した情報をそれぞれ選択し、上記タグリーダ／ライタからの情報に基づき選択された情報の送信、書き換え、又は、追記を行なうタグ本体部用制御部と、
上記タグ断片部に備えられ且つ上記タグ断片部用分離状態認識部で認識された上記分離状態に基づき、上記タグ本体部と上記タグ断片部とが分離しているか結合しているかによって上記タグ断片部用情報保持部に保持した情報をそれぞれ選択し、上記タグリーダ／ライタからの情報に基づき選択された情報の送信、書き換え、又は、追記を行なうタグ断片部用制御部タグ断片部用制御部と、
上記タグ本体部に備えられ且つ、上記タグ本体部用情報保持部と上記タグ本体部用分離状態認識部と上記タグ本体部用制御部とに電力を供給するタグ本体部用電力供給部と、
上記タグ断片部に備えられ且つ、上記タグ断片部用情報保持部と上記タグ断片部用分離状態認識部と上記タグ断片部用制御部とに電力を供給するタグ断片部用電力供給部と、
を備える状態認識タグを提供するものである。
【発明の効果】
【００１５】
以上のように、本発明はタグ本体部と、上記タグ本体部と分離可能なタグ断片部と、送信すべき情報を記憶するタグ本体部用情報保持部と、タグ断片部用情報保持部と、上記タグ本体部とタグ断片部との分離状態を認識するタグ本体部用分離状態認識部と、タグ断片部用分離状態認識部と、上記分離状態に基づいて、情報の送信、書き換え、又は、追記を行なうタグ本体部用制御部と、情報の送信、書き換え、又は、追記を行なうタグ断片部用制御部と、上記タグ本体部用情報保持部、タグ本体部用分離状態認識部、タグ本体部用制御部に電力を供給するタグ本体部用電力供給部と、上記タグ断片部用情報保持部、タグ断片部用分離状態認識部、タグ断片部用制御部に電力を供給するタグ断片部用電力供給部という構成により、タグ本体部とタグ断片部が分離しているときでも結合しているときでも、必要に応じてタグ本体部、タグ断片部ともにタグとしての機能を持たせることができ、さらに、タグ本体部とタグ断片部との分離状態に応じて異なった情報をユーザに提供することも可能である。
【発明を実施するための最良の形態】
【００１６】
本発明の記述を続ける前に、添付図面において同じ部品については同じ参照符号を付している。
【００１７】
以下、本発明の実施の形態について、図面を参照しながら説明する前に、本発明の種々の態様について説明する。
【００１８】
本発明の第１態様によれば、タグリーダ／ライタで認識可能なタグ本体部と、
上記タグ本体部と分離可能且つタグリーダ／ライタで認識可能なタグ断片部と、
上記タグ本体部に備えられ且つ上記タグ本体部を認識する上記タグリーダ／ライタに送信すべき情報を記憶するタグ本体部用情報保持部と、
上記タグ断片部に備えられ且つ上記タグ断片部を認識する上記タグリーダ／ライタに送信すべき情報を記憶するタグ断片部用情報保持部と、
上記タグ本体部に備えられ且つ上記タグ本体部と上記タグ断片部との分離状態を認識するタグ本体部用分離状態認識部と、
上記タグ断片部に備えられ且つ上記タグ本体部と上記タグ断片部との上記分離状態を認識するタグ断片部用分離状態認識部と、
上記タグ本体部に備えられ且つ上記タグ本体部用分離状態認識部で認識された上記分離状態に基づき、上記タグ本体部と上記タグ断片部とが分離しているか結合しているかによって上記タグ本体部用情報保持部に保持した情報をそれぞれ選択し、タグリーダ／ライタからの情報に基づき選択された情報の送信、書き換え、又は、追記を行なうタグ本体部用制御部と、
上記タグ断片部に備えられ且つ上記タグ断片部用分離状態認識部で認識された上記分離状態に基づき、上記タグ本体部と上記タグ断片部とが分離しているか結合しているかによって上記タグ断片部用情報保持部に保持した情報をそれぞれ選択し、タグリーダ／ライタからの情報に基づき選択された情報の送信、書き換え、又は、追記を行なうタグ断片部用制御部と、
上記タグ本体部に備えられ且つ、上記タグ本体部用情報保持部と上記タグ本体部用分離状態認識部と上記タグ本体部用制御部とに電力を供給するタグ本体部用電力供給部と、
上記タグ断片部に備えられ且つ、上記タグ断片部用情報保持部と上記タグ断片部用分離状態認識部と上記タグ断片部用制御部とに電力を供給するタグ断片部用電力供給部と、
を備える状態認識タグを提供するものである。
【００１９】
なお、タグ本体部を認識可能なタグリーダ／ライタと、タグ断片部を認識可能なタグリーダ／ライタとは、同一のタグリーダ／ライタでもよいし、別々のタグリーダ／ライタでもよい。
【００２０】
この構成によると、タグ本体部とタグ断片部が分離しているときでも結合しているときでも、必要に応じてタグ本体部、タグ断片部ともにタグとしての機能を持たせることができ、さらに、タグ本体部とタグ断片部との分離状態に応じて異なった情報をユーザに提供することも可能である。
【００２１】
また、本発明の第２態様によれば、上記タグ断片部と同様な機能を持つ少なくとも１つ以上の追加のタグ断片部を上記タグ本体部又は上記タグ断片部に分離可能に連結可能であり、上記タグ本体部と上記タグ断片部と上記追加のタグ断片部とのうちの上記いずれかの分離状態認識部は、上記タグ断片部及び上記追加のタグ断片部のそれぞれの分離状態を認識し、上記制御部は、上記いずれかの分離状態認識部により認識した上記分離状態によって上記情報保持部から上記タグリーダ／ライタに送信すべき情報を選択し、送信するか否かを決定し、送信するのであれば上記情報保持部から選択された情報を、上記タグリーダ／ライタに送信するための送信制御を行う第１態様に記載の状態認識タグを提供する。
【００２２】
ここで、タグ本体部又はタグ断片部に分離可能に結合させた追加のタグ断片部は、更に追加のタグ断片部を分離可能に結合できることが好ましい。
【００２３】
この構成によると、あらゆる場所に分離位置を設けることが可能となり、タグ断片部の分離位置や組み合わせ、個数などに対応してタグとしての機能の有無や情報の変更などをより詳細に設定することが可能となる。
【００２４】
また、本発明の第３態様によれば、上記タグ本体部と上記タグ断片部との間での分離する部分又は上記タグ断片部と上記追加のタグ断片部との間での分離する部分には、上記タグ本体部と上記タグ断片部とを分離可能な切れ目を有する第１又は２態様のいずれかに記載の状態認識タグを提供する。
【００２５】
この構成によると、本発明のタグがユーザによって分離されるときに、タグ製作者の意図しない部分で分離することが無くなり、また、ユーザがタグの分離位置を意識する必要がなくなる。
【００２６】
また、本発明の第４態様によれば、上記タグ本体部と上記タグ断片部との間での分離する部分又は上記タグ断片部と上記追加のタグ断片部との間での分離する部分には、上記分離する部分のうちの一方（上記タグ本体部又は上記タグ断片部）を有する第１係合部と、上記第１係合部に分離係合可能かつ分離後に再結合可能でかつ上記分離する部分のうちの他方（上記タグ断片部又は上記追加のタグ断片部）を有する第２係合部とを有する係合構造を有する第１から３態様のいずれかに記載の状態認識タグを提供する。
【００２７】
この構成によると、本発明の使用者は商品の開封のみならず、各種容器、ドア等の開閉やプラグの着脱に応じてデータを切り替えることが可能となる。また、タグ本体部とタグ断片部を別々に製造しておき、後に結合させることも可能である。
【００２８】
また、本発明の第５態様によれば、第１から４態様のいずれか１つに記載の状態認識タグの上記タグ本体部と上記タグ断片部のうちのいずれか一方が配置された容器本体と、
上記容器本体と分離可能に結合されかつ上記タグ本体部と上記タグ断片部のうちのいずれか他方が配置された蓋とを備えて、上記蓋と上記容器本体とを結合させるとき上記タグ本体部と上記タグ断片部とが結合し、上記蓋を上記容器本体から分離させるとき上記タグ本体部と上記タグ断片部とが分離する容器を提供する。
【００２９】
この構成によると、容器の開閉状態が分かり、物品の管理や賞味期限の管理を厳密に行うことができる。
【００３０】
以下、本発明の実施の形態について、図面を参照しながら説明する。
【００３１】
（第１実施形態）
図１は本発明の第１実施形態にかかる状態認識タグを用いた状態認識システムを示したブロック図である。
【００３２】
ここで、本システムは、タグリーダ／ライタ１１１で認識可能な状態認識タグ１００と、状態認識タグ１００から情報を取得するタグリーダ／ライタ１１１とを備える。状態認識タグ１００は、タグリーダ／ライタ１１１で認識可能なタグ本体部１０１と、上記タグ本体部１０１と分離位置９９で分離可能且つタグリーダ／ライタ１１１で認識可能なタグ断片部１０６とで構成される。
【００３３】
タグ本体部１０１は、タグ本体部用情報保持部１０２と、タグ本体部用電力供給部１０３と、タグ本体部用分離状態認識部１０４と、タグ本体部用制御部１０５とで構成され、タグ本体部用制御部１０５が、タグ本体部用情報保持部１０２に記録されている情報をタグリーダ／ライタ１１１に送信する。
【００３４】
タグ本体部用情報保持部１０２は、送信すべき情報を記憶するものであって、例えばＩＣチップなどに相当し、あらかじめ決められた不変な情報が記録されている場合と、状況に応じてタグライタなどにより情報の追記、変更が可能な場合がある。
【００３５】
タグ本体部用電力供給部１０３は、例えばコイル状のアンテナなどに相当し、タグ本体部用情報保持部１０２、タグ本体部用分離状態認識部１０４、タグ本体部用制御部１０５に電力を供給可能とする。
【００３６】
タグ本体部用分離状態認識部１０４は、タグ本体部１０１とタグ断片部１０６との分離状態、具体的には、タグ断片部１０６が分離位置９９でタグ本体部１０１から切り離されているかどうかを認識し、タグ本体部用制御部１０５に認識結果の情報を送信する。
【００３７】
タグ本体部用制御部１０５は、上記タグ本体部用分離状態認識部１０４で認識された上記分離状態に基づき、上記タグ本体部１０１と上記タグ断片部１０６とが分離しているか結合しているかによって上記タグ本体部用情報保持部１０２に保持した情報をそれぞれ選択、送信するか否かを決定する。具体的には、もし、上記タグ本体部１０１と上記タグ断片部１０６とが分離しており、上記タグ本体部用情報保持部１０２に保持した情報を送信するのであれば、上記タグ本体部用情報保持部１０２から選択された情報（分離されたことに対応する情報）を上記タグリーダ／ライタ１１１に送信するための送信制御を行う。逆に、もし、上記タグ本体部１０１と上記タグ断片部１０６とが分離せず接続されており、上記タグ本体部用情報保持部１０２に保持した情報を送信するのであれば、上記タグ本体部用情報保持部１０２から選択された情報（接続されていることに対応する情報）を上記タグリーダ／ライタ１１１に送信するための送信制御を行うようにしてもよい。
【００３８】
タグ断片部１０６は、タグ断片部用情報保持部１０７と、タグ断片部用電力供給部１０８と、タグ断片部用分離状態認識部１０９と、タグ断片部用制御部１１０とで構成され、タグ断片部用制御部１１０が、タグ断片部用情報保持部１０７に記録されている情報をタグリーダ／ライタ１１１に送信する。
【００３９】
タグ断片部用情報保持部１０７は、送信すべき情報を記憶するものであって、例えばＩＣチップなどに相当し、あらかじめ決められた不変な情報が記録されている場合と、状況に応じてタグライタなどにより情報の追記、変更が可能な場合がある。
【００４０】
タグ断片部用電力供給部１０８は、例えばコイル状のアンテナなどに相当し、タグ断片部用情報保持部１０７、タグ断片部用分離状態認識部１０９、タグ断片部用制御部１１０に電力を供給可能とする。
【００４１】
タグ断片部用分離状態認識部１０９は、タグ本体部１０１とタグ断片部１０６との分離状態、具体的には、タグ断片部１０６が分離位置９９でタグ本体部１０１から切り離されているかどうかを認識し、タグ断片部用制御部１１０に認識結果の情報を送信する。
【００４２】
タグ断片部用制御部１１０は、上記タグ断片部用分離状態認識部１０９で認識された上記分離状態に基づき、上記タグ本体部１０１と上記タグ断片部１０６とが分離しているか結合しているかによって上記タグ断片部用情報保持部１０７に保持した情報をそれぞれ選択、送信するか否かを決定する。具体的には、もし、上記タグ本体部１０１と上記タグ断片部１０６とが分離しており、上記タグ断片部用情報保持部１０７に保持した情報を送信するのであれば、上記タグ断片部用情報保持部１０７から選択された情報（分離されたことに対応する情報）を上記タグリーダ／ライタ１１１に送信するための送信制御を行う。逆に、もし、上記タグ本体部１０１と上記タグ断片部１０６とが分離せず接続されており、上記タグ断片部用情報保持部１０７に保持した情報を送信するのであれば、上記タグ断片部用情報保持部１０７から選択された情報（接続されていることに対応する情報）を上記タグリーダ／ライタ１１１に送信するための送信制御を行うようにしてもよい。
【００４３】
なお、タグ本体部用制御部１０５が情報を送信するタグリーダ／ライタ１１１は、タグ断片部用制御部１１０が情報を送信するタグリーダ／ライタ１１１と同一であってもよく、異なっていてもよい。
【００４４】
図１、図２を用いてタグ本体部１０１とタグ断片部１０６の分離状態を、タグ本体部用分離状態認識部１０４、タグ断片部用分離状態認識部１０９の一例としての接触センサ２０３によって認識する方法を説明する。
【００４５】
タグ本体部１０１に対応するタグ本体部２０１は、直方体形状の箱体より構成され、箱体の矩形の開口の底部に配置された接触センサ２０３と、箱体の開口周囲に配置されて接着材より構成される第１接着素材２０４とを備えている。一方、タグ断片部１０６に対応するタグ断片部２０２は、上記箱体の蓋体であり、箱体の開口周囲に対応する蓋体の周囲に配置されて第１接着素材２０４と分離可能に接着可能な接着材より構成される第２接着素材２０４と、箱体の開口内に嵌合可能な直方体形状の突起部２０５とを備える。
【００４６】
タグ本体部２０１とタグ断片部２０２が第１及び第２接着素材２０４によって結合しているとき、タグ断片部２０２の突起部２０５が箱体の開口内に嵌合してタグ本体部２０１の接触センサ２０３に接触し、接触センサ２０３が接触反応を起こして接触信号を出力する。
【００４７】
すると、タグ本体部用分離状態認識部１０４として機能する接触センサ２０３からは、タグ本体部用制御部１０５に、上記出力された接触信号、すなわち、タグ本体部２０１とタグ断片部２０２が結合しているという情報を送信し、タグ本体部用制御部１０５は、タグ本体部用情報保持部１０２からタグ本体部２０１とタグ断片部２０２が結合しているときに必要な情報をタグリーダ／ライタ１１１に無線で送信する。
【００４８】
タグ本体部２０１とタグ断片部２０２が第１及び第２接着素材２０４によって結合していないとき、すなわち、タグ断片部２０２の突起部２０５がタグ本体部２０１の箱体の開口内に嵌合していないとき、突起部２０５は接触センサ２０３に接触せず、接触センサ２０３は接触反応を起こさず、接触信号ではなく、非接触信号を出力する。
【００４９】
すると、タグ本体部用分離状態認識部１０４として機能する接触センサ２０３は、タグ本体部用制御部１０５に、上記出力された非接触信号、すなわち、タグ本体部２０１とタグ断片部２０２が分離しているという情報を送信し、タグ本体部用制御部１０５はタグ本体部用情報保持部１０２からタグ本体部２０１とタグ断片部２０２が分離しているときに必要な情報をタグリーダ／ライタ１１１に無線で送信する。
【００５０】
なお、図２に示した上記タグ本体部用分離状態認識部１０４（タグ断片部用分離状態認識部１０９）の構成は一例であり、本発明はその他の構成によっても実現可能である。
【００５１】
次に、図３で本発明の第１実施形態にかかる状態認識タグの一構成例について説明する。ここで、図４及び図５は、状態認識タグの分離状態により各論理回路が通す電流の有無と各ＩＣチップに供給される電力の有無を表している。
【００５２】
第１実施形態では、タグ本体部１０１に対応するタグ本体部４０１と、タグ断片部１０６に対応するタグ断片部４０２と、タグ本体部用電力供給部１０３及びタグ断片部用電力供給部１０８としてそれぞれ機能して電力の供給を行うアンテナ４０３、４０８と、制御部の情報保持部から情報を選択する部分である論理積回路４０４と、排他的論理和回路４０５、４０９と、情報保持部１０２、１０７と、制御部のタグリーダ／ライタからの情報に基づき情報の送信、書き換え、又は、追記（送信／又は書き換え、追記）を行なう部分としての一例であるＩＣチップ（以後、ＩＣチップと称する。）４０６、４０７、４１０と、タグ本体部４０１とタグ断片部４０２との分離位置４１１（分離位置９９に対応）とを有し、電力の供給は導線を伝って行われる。論理積回路４０４と排他的論理和回路４０５はタグ本体部用分離状態認識部１０４として機能する。排他的論理和回路４０９はタグ断片部用分離状態認識部１０９として機能する。ＩＣチップ４０６、４０７はタグ本体部用情報保持部１０２として機能する。ＩＣチップ４１０はタグ断片部用情報保持部１０７として機能する。
【００５３】
タグ本体部用制御部１０５は情報保持部から情報を選択する部分の一例としての各構成要素４０４〜４０７及び、図３に記載のタグ本体部内の配線（接続）パターンと、タグリーダライタからの情報に基づき情報の送信／又は書き換え、追記を行なう部分の一例としてのＩＣチップにて示される。
【００５４】
タグ本体部断片部用制御部１１０は、情報保持部から情報を選択する部分の一例としての各構成要素４０９、４１０及び、図３に記載のタグ断片部内の配線（接続）パターンと、タグリーダライタからの情報に基づき情報の送信／又は書き換え、追記を行なう部分の一例としてのＩＣチップにて示される。
【００５５】
ＩＣチップ４０６には、タグ断片部４０２がタグ本体部４０１から分離位置４１１で分離する前にタグリーダ／ライタ（例えば図１の１０７）に送信すべき情報が記録されており、ＩＣチップ４０７、４１０はタグ断片部４０２がタグ本体部４０１から分離位置４１１で分離した後にタグリーダ／ライタに送信すべき情報が記録されている。
【００５６】
タグ本体部４０１に関して、タグ断片部４０２が分離位置４１１で分離する前は、双方のアンテナ４０３、４０８から電力が供給されるため、論理積回路４０４を通してＩＣチップ４０６に電力が供給され、排他的論理和回路４０５を通してＩＣチップ４０７には電力が供給されない（図８Ａの回路別電力入出力表の最下欄、及び、図４と図５の表を参照）。
【００５７】
タグ本体部４０１に関して、タグ断片部４０２が分離位置４１１で分離した後は、アンテナ４０３のみから電力が供給されるため、排他的論理和回路４０５を通してＩＣチップ４０７に電力が供給され、論理回路積４０４を通してＩＣチップ４０６には電力が供給されない（図８Ａの回路別電力入出力表の下から２つ目の欄、及び、図４と図５の表を参照）。
【００５８】
タグ断片部４０２に関して、タグ断片部４０２が分離位置４１１で分離する前は、双方のアンテナ４０３、４０８から電力が供給されるため、排他的論理和回路４０９を通してＩＣチップ４１０には電力が供給されない（図８Ａの回路別電力入出力表の最下欄、及び、図４と図５の表を参照）。
【００５９】
タグ断片部４０２に関して、タグ断片部４０２が分離位置４１１で分離した後は、アンテナ４０８のみから電力が供給されるため、排他的論理和回路４０９を通してＩＣチップ４１０に電力が供給される（図８Ａの回路別電力入出力表の下から３つ目の欄、及び、図４と図５の表を参照）。
【００６０】
この構成によれば、タグ本体部４０１とタグ断片部４０２が結合しているときにはタグ本体部のＩＣチップ４０６の情報がタグリーダ／ライタに送信され、タグ断片部４０２からはタグリーダ／ライタに情報は送信されない。タグ本体部４０１とタグ断片部４０２が分離しているときにはタグ本体部４０１のチップ４０７の情報とタグ断片部４０２のＩＣチップ４１０の情報がタグリーダ／ライタに送信される。
【００６１】
ここで、回路の組み合せを変更（追加）することによって、タグ本体部４０１とタグ断片部４０２が結合しているときにはタグ本体部４０１、タグ断片部４０２とも情報を送信することはせず、分離しているときにのみタグ本体部４０１、タグ断片部４０２ともに情報を送信するということも可能である。
【００６２】
このようなシステムは、例えば、商品の値札などに利用できる。現在は店員の棚卸など、作業軽減のために値札にＩＣタグが利用されている場合が多い。しかし、この第１実施形態を用いれば、タグ本体部４０１とタグ断片部４０２が分離していないときは店用情報のみをタグリーダ／ライタ（例えば図１の１１１）に送信することができ、顧客が商品を購入するときにタグ本体部４０１とタグ断片部４０２を分離させ、新たにタグとして機能した顧客用情報を記録したタグ断片部４０２のみを顧客に渡すことができる。これによって、顧客は受け取ったタグ断片部４０２からより詳しい商品の情報を知ることができる。また、分離後のタグ本体部４０１とタグ断片部４０２にタグライタを用いて購入日時を記録しても良い。
【００６３】
ここで、図２５Ａ〜図２５Ｄにタグ本体部４０１とタグ断片部４０２に記録されている情報例を示す。
【００６４】
図２５Ａ及び図２５Ｃの記録情報項目とは、タグに記録されている情報の項目であり、タグ本体部４０１のタグ本体部用情報保持部１０２として機能するＩＣチップ４０６、４０７には、タグＩＤ、商品番号、商品名、サイズ、色、価格の情報が記録されている。同様に、タグ断片部４０２のタグ断片部用情報保持部１０７として機能するＩＣチップ４１０には、タグＩＤ、商品番号、商品名、サイズ、色、商品アドレスの情報がそれぞれ記録されている。
【００６５】
図２５Ａ及び図２５Ｃ情報可変性とは、タグに記録されている情報を書き換えることが可能であるかどうかを示すものであり、タグ本体部４０１では、ＩＣチップ４０６、４０７に記録されている価格の情報の書き換えが可能となっているが、タグＩＤ、商品番号、商品名、サイズ、色などの他の情報は書き換えが不可能となっている。タグ断片部４０２では、タグＩＤ、商品番号、商品名、サイズ、色、商品アドレスなどの情報はすべて書き換えが不可能となっている。
【００６６】
図２５Ａ及び図２５Ｃ各情報の発信可能状態とは、タグ本体部４０１、及びタグ断片部４０２が記録情報項目の情報をそれぞれ発信可能な、図２７Ａ〜図２７Ｄに示した各状態（分離状態又は結合状態）を示している。
【００６７】
図２５Ｂ及び図２５Ｄの保持情報例は、タグ本体部４０１、及びタグ断片部４０２にそれぞれ記録されている情報の一例を示している。
【００６８】
上記第１実施形態によれば、タグ本体部４０１とタグ断片部４０２にそれぞれ電力供給部と情報保持部とを備えているため、タグ本体部４０１からタグ断片部４０２を分離したときでも、タグ本体部４０１だけではなく、分離したタグ断片部４０２もタグとしての機能を持たせることが可能となる。また、結合時、分離時でタグとしての機能の有無や情報の変更などを自由に設定することが可能となる。
【００６９】
（第２実施形態）
図６は、複数のタグ断片部６０２、第２タグ断片部６０３（追加のタグ断片部の一例であり、必要に応じてタグ断片部６０２と同様な機能を持つようにしてもよい。）を有する、本発明の第２実施形態にかかる状態認識タグ６００の構成例を示した図であり、図７Ａは状態認識タグの分離状態により各論理回路が通す電流の有無と各ＩＣチップに供給される電力の有無を表している。
【００７０】
第２実施形態では、タグ本体部６０１と、第１及び第２タグ断片部６０２、６０３と、タグ本体部用電力供給部として機能して電力の供給を行うアンテナ６０４と、タグ断片部用電力供給部として機能して電力の供給を行うアンテナ６１３、６２２と、制御部の情報保持部から情報を選択する部分である論理積回路６０５、６０６、６０９、６１５、６１８、６１９と、排他的論理和回路６０７、６０８、６１４、６１６、６１７、６２３と、情報保持部と、制御部のタグリーダ／ライタからの情報に基づき情報の送信／又は書き換え、追記を行なう部分としての一例であるＩＣチップ（以後、ＩＣチップと称する。）６１０、６１１、６１２、６２０、６２１、６２４と、タグ本体部６０１と第１タグ断片部６０２との分離位置６２５と、第１タグ断片部６０２と第２タグ断片部６０３との分離位置６２６とを有し、電力の供給は導線を伝って行われる。論理積回路６０５、６０６と排他的論理和回路６０７、６０８と論理積回路６０９はタグ本体部用分離状態認識部として機能する。排他的論理和回路６１４、６１６、６１７と論理積回路６１５、６１８、６１９は第１タグ断片部６０２用分離状態認識部として機能する。排他的論理和回路６２３は第２タグ断片部６０３用分離状態認識部として機能する。ＩＣチップ６１０、６１１、６１２はタグ本体部用情報保持部として機能する。ＩＣチップ６２０、６２１は第１タグ断片部６０２用情報保持部として機能する。ＩＣチップ６２４は第２タグ断片部６０３用情報保持部として機能する。
【００７１】
タグ本体部用制御部は情報保持部から情報を選択する部分の一例としての各構成要素６０５〜６１２及び、図６に記載のタグ本体部内の配線（接続）パターンと、タグリーダライタからの情報に基づき情報の送信／又は書き換え、追記を行なう部分の一例としてのＩＣチップにて示される。
【００７２】
タグ断片部用制御部は情報保持部から情報を選択する部分の一例としての各構成要素６１４〜６２１及び、図６に記載のタグ断片部内の配線（接続）パターンと、タグリーダライタからの情報に基づき情報の送信／又は書き換え、追記を行なう部分の一例としてのＩＣチップにて示される。
【００７３】
追加のタグ断片部用制御部は情報保持部から情報を選択する部分の一例としての各構成要素６２３、６２４及び、図６に記載の追加のタグ断片部内の配線（接続）パターンと、タグリーダライタからの情報に基づき情報の送信／又は書き換え、追記を行う部分の一例としてのＩＣチップにて示される。
【００７４】
アンテナ６２２からは、各回路６０５、６０７、６１５、６１６、６２３に導線が結合している。アンテナ６０４からは、各回路６０５、６０６、６０７、６０８、６１４、６１７に導線が結合している。アンテナ６１３からは、各回路６０６、６０８、６１４、６１５、６１６、６１７、６２３に導線が結合している。
【００７５】
ＩＣチップ６１０は、タグ本体部６０１と第１及び第２タグ断片部６０２、６０３が結合しているときにタグリーダ／ライタ（例えば図１の１１１）に送信すべき情報が記録されている。
【００７６】
ＩＣチップ６１１は、第２タグ断片部６０３のみが、タグ本体部６０１に結合した第１タグ断片部６０２から分離位置６２６で分離しているときに、タグリーダ／ライタに送信すべき情報が記録されている。
【００７７】
ＩＣチップ６２４は、第２タグ断片部６０３が、タグ本体部６０１に結合した第１タグ断片部６０２から分離した第１タグ断片部６０２から分離位置６２６で分離しているときに、タグリーダ／ライタに送信すべき情報が記録されている。
【００７８】
ＩＣチップ６１２は、第２タグ断片部６０３が分離した第１タグ断片部６０２又は第２タグ断片部６０３が結合した第１タグ断片部６０２が、タグ本体部６０１から分離位置６２５で分離しているときに、タグリーダ／ライタに送信すべき情報が記録されている。
【００７９】
ＩＣチップ６２０は、第１タグ断片部６０２が、第２タグ断片部６０３を結合したまま、タグ本体部６０１から分離位置６２５で分離しているときに、タグリーダ／ライタに送信すべき情報が記録されている。
【００８０】
ＩＣチップ６２１は、第１タグ断片部６０２がタグ本体部６０１と第２タグ断片部６０３からそれぞれ分離位置６２５、６２６で分離しているときに、タグリーダ／ライタに送信すべき情報が記録されている。
【００８１】
以下、図６の構成を基に、図２８Ａ〜図２８Ｄのそれぞれの状態のタグの動作に関するフローチャートに従って第２実施形態における状態認識タグの動作の説明を行う。
【００８２】
尚、図２７Ａの状態１は、タグ本体部６０１と第１タグ断片部６０２が結合し、第１タグ断片部６０２と第２タグ断片部６０３が結合しているタグを示している。
【００８３】
さらに、図２７Ｂに示すように、状態２（ａ）は、状態２におけるタグ本体部６０１と第１タグ断片部６０２が結合したタグを示し、状態２（ｂ）は、状態２において第１タグ断片部６０２から分離した第２タグ断片部６０３を示す。
【００８４】
さらに、図２７Ｃに示すように、状態３（ａ）は、状態３におけるタグ本体部６０１を示し、状態３（ｂ）は、状態３におけるタグ本体部６０１から分離した第１タグ断片部６０２を示し、状態３（ｃ）は、状態３における第１タグ断片部６０２から分離した第２タグ断片部６０３を示す。
【００８５】
さらに、図２７Ｄに示すように、状態４（ａ）は、状態４におけるタグ本体部６０１を示し、状態４（ｂ）は、状態４におけるタグ本体部６０１から分離した第１タグ断片部６０２であって、第２タグ断片部６０３が第１タグ断片部６０２に結合したタグを示す。
【００８６】
以下に、各状態でのタグの動作について図２８Ａ〜図２８Ｄのフローチャートを基に説明する。
【００８７】
図２８Ａは、図２７Ａの状態１のタグの動作に関するフローチャートである。
【００８８】
ステップＳ２８ａ０１において、第２タグ断片部６０３が分離位置６２６で第１タグ断片部６０２から分離したか否かを、第２タグ断片部６０３用分離状態認識部として機能する排他的論理和回路６２３で判断する。第２タグ断片部６０３が分離位置６２６で第１タグ断片部６０２から分離した場合、状態認識タグは状態２に移行したものと考えられる。そこで、タグ本体部６０１と第１タグ断片部６０２が結合しているタグは、図２８Ｂの状態２（ａ）のタグの動作に関するフローチャートへ、第２タグ断片部６０３は、図２８Ｄの状態２（ｂ）などのタグの動作に関するフローチャートへそれぞれ移行する。一方、第２タグ断片部６０３が分離位置６２６で第１タグ断片部６０２から分離していない場合、ステップＳ２８ａ０２に進む。
【００８９】
ステップＳ２８ａ０２において、第１タグ断片部６０２が分離位置６２５でタグ本体部６０１から分離したか否かを、第１タグ断片部６０２用分離状態認識部として機能する排他的論理和回路６１４、６１６、６１７と論理積回路６１５、６１８、６１９で判断する。第１タグ断片部６０２が分離位置６２５でタグ本体部６０１から分離した場合、状態認識タグは状態４に移行したものと考えられる。そこで、タグ本体部６０１は、図２８Ｄの状態２（ｂ）などのタグの動作に関するフローチャートへ、第１タグ断片部６０２と第２タグ断片部６０３が結合しているタグは、図２８Ｃの状態４（ｂ）のタグの動作に関するフローチャートへそれぞれ移行する。一方、第１タグ断片部６０２が分離位置６２５でタグ本体部６０１から分離していない場合、ステップＳ２８ａ０３に進む。
【００９０】
ステップＳ２８ａ０３において、タグリーダ／ライタから情報送信の要求が行われたか否かを判断する。この情報送信の要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【００９１】
タグリーダ／ライタから情報送信の要求が行われていない場合、アンテナ６０４、６１３、６２２からの電力の供給は無く、ステップＳ２８ａ０５に進む。一方、タグリーダ／ライタから情報送信の要求が行われた場合、全てのアンテナ６０４、６１３、６２２から電力が供給される。すると、論理積回路６０５を通してＩＣチップ６１０に電力が供給され、その他、各論理回路を通してＩＣチップ６１１、６１２、６２０、６２１、６２４には電力が供給されない（以下、図７Ａ及び図８Ａの回路別電力入出力表を参照）。その結果、ＩＣチップ６１０に記録されている情報が、タグリーダ／ライタに送信される（ステップＳ２８ａ０４）。
【００９２】
ステップＳ２８ａ０５において、タグライタから情報の書き換えの要求が行われたか否かを判断する。この情報の書き換えの要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【００９３】
タグライタから情報の書き換えの要求が行われなかった場合には、ステップＳ２８ａ０１に戻る。一方、タグライタから情報の書き換えの要求が行われた場合、ステップＳ２８ａ０３と同様にＩＣチップ６１０に電力が供給され、ＩＣチップ６１１、６１２、６２０、６２１、６２４には電力が供給されない。その結果、ＩＣチップ６１０に記録されている情報が、タグライタから送信される情報によって書き換えられる（ステップＳ２８ａ０６）。その後、ステップＳ２８ａ０１に戻る。  図２８Ｂは、図２７Ｂの状態２（ｂ）のタグの動作に関するフローチャートである。
【００９４】
ステップＳ２８ｂ０１において、第１タグ断片部６０２が分離位置６２５でタグ本体部６０１から分離したか否かを、第１タグ断片部６０２用分離状態認識部として機能する排他的論理和回路６１４、６１６、６１７と論理積回路６１５、６１８、６１９で判断する。第１タグ断片部６０２が分離位置６２５でタグ本体部６０１から分離した場合、状態認識タグは状態３へ移行し、タグ本体部６０１、第１タグ断片部６０２共に図２８Ｄの状態３（ａ）、状態３（ｂ）、状態３（ｃ）などのタグの動作に関するフローチャートへそれぞれ移行する。一方、第１タグ断片部６０２が分離位置６２５でタグ本体部６０１から分離していない場合、ステップＳ２８ｂ０２に進む。
【００９５】
ステップＳ２８ｂ０２において、タグリーダ／ライタから情報送信の要求が行われたか否かを判断する。この情報送信の要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【００９６】
タグリーダ／ライタから情報送信の要求が行われていない場合、アンテナ６０４、６１３からの電力の供給は無く、ステップＳ２８ｂ０４に進む。一方、タグリーダ／ライタから情報送信の要求が行われた場合、アンテナ６０４、６１３から電力が供給されるため、各論理回路６０６、６０７、６０９を通してＩＣチップ６１１に電力が供給され、その他、各論理回路を通してＩＣチップ６１０、６１２、６２０、６２１には電力は供給されない。その結果、ＩＣチップ６１１に記録されている情報がタグリーダ／ライタに送信される（ステップＳ２８ｂ０３）。
【００９７】
ステップＳ２８ｂ０４において、タグライタから情報の書き換えの要求が行われたか否かを判断する。この情報の書き換えの要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【００９８】
タグライタから情報の書き換えの要求が行われなかった場合には、ステップＳ２８ｂ０１に戻る。一方、タグライタから情報の書き換えの要求が行われた場合、ステップＳ２８ｂ０２と同様にＩＣチップ６１１に電力が供給され、ＩＣチップ６１０、６１２、６２０、６２１には電力は供給されない。その結果、ＩＣチップ６１１に記録されている情報が、タグライタから送信される情報によって書き換えられる（ステップＳ２８ｂ０５）。その後、ステップＳ２８ｂ０１に戻る。
【００９９】
図２８Ｃは、図２７Ｃの状態４（ｂ）のタグの動作に関するフローチャートである。
【０１００】
ステップＳ２８ｃ０１において、第２タグ断片部６０３が分離位置６２６で第１タグ断片部６０２から分離したか否かを、第２タグ断片部６０３用分離状態認識部として機能する排他的論理和回路６２３で判断する。第２タグ断片部６０３が分離位置６２６で第１タグ断片部６０２から分離した場合、状態認識タグは状態３へ移行したものと考えられる。そこで、第１タグ断片部６０２、タグ断片部６０３は、共に図２８Ｄの状態２（ｂ）などのタグの動作に関するフローチャートへそれぞれ移行する。一方、第２タグ断片部６０３が分離位置６２６で第１タグ断片部６０２から分離していない場合、ステップＳ２８ｃ０２に進む。
【０１０１】
ステップＳ２８ｃ０２において、タグリーダ／ライタから情報の送信要求が行われたか否かを判断する。この情報の送信の要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【０１０２】
タグリーダ／ライタから情報送信の要求が行われていない場合、アンテナ６１３、６２２からの電力の供給は無く、ステップＳ２８ｃ０４に進む。一方、タグリーダ／ライタから情報送信の要求が行われた場合、アンテナ６１３、６２２から電力が供給されるため、各論理回路６１４、６１５、６１８を通してＩＣチップ６２０に電力が供給され、その他、各論理回路を通してＩＣチップ６２１、６２４には電力は供給されない。その結果、ＩＣチップ６２０に記録されている情報が、タグリーダ／ライタに送信される（ステップＳ２８ｃ０３）。
【０１０３】
ステップＳ２８ｃ０４において、タグライタから情報の書き換えの要求が行われたか否かを判断する。この情報の書き換えの要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【０１０４】
タグライタから情報の書き換えの要求が行われなかった場合には、ステップＳ２８ｃ０１に戻る。一方、タグライタから情報の書き換えの要求が行われた場合、ステップＳ２８ｃ０２と同様にＩＣチップ６２０に電力が供給され、ＩＣチップ６２１、６２４には電力は供給されない。その結果、ＩＣチップ６２０に記録されている情報が、タグライタから送信される情報によって書き換えられる（ステップＳ２８ｃ０５）。その後、ステップＳ２８ｃ０１に戻る。
【０１０５】
図２８Ｄは、図２７Ｂの状態２（ｂ）、及び図２７Ｃの状態３（ｃ）などのタグの動作に関するフローチャートの説明を行う。
【０１０６】
ステップＳ２８ｄ０１において、タグリーダ／ライタから情報の送信要求が行われたか否かを判断する。この情報の送信の要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【０１０７】
タグリーダ／ライタから情報送信の要求が行われていない場合、アンテナ６２２からの電力の供給は無く、ステップＳ２８ｄ０３に進む。一方、タグリーダ／ライタから情報送信の要求が行われた場合、アンテナ６２２から電力が供給されるため、論理回路６２３を通してＩＣチップ６２４に電力が供給される。その結果、ＩＣチップ６２４に記録されている情報が、タグリーダ／ライタに送信される（ステップＳ２８ｄ０２）。
【０１０８】
ステップＳ２８ｄ０３において、タグライタから情報の書き換えの要求が行われたか否かを判断する。この情報の書き換えの要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【０１０９】
タグライタから情報の書き換えの要求が行われなかった場合には、ステップＳ２８ｄ０１に戻る。一方、タグライタから情報の書き換えの要求が行われた場合、状態２（ｂ）、又は状態３（ｃ）におけるステップＳ２８ｄ０１と同様にＩＣチップ６２４に電力が供給される。その結果、ＩＣチップ６２４に記録されている情報が、タグライタから送信される情報によって書き換えられる（ステップＳ２８ｄ０４）。その後、ステップＳ２８ｄ０１に戻る。
【０１１０】
また、図２８Ｄは、図２７Ｃの状態３（ａ）、及び図２７Ｄの状態４（ａ）などのタグの動作に関するフローチャートである。
【０１１１】
ステップＳ２８ｄ０１において、タグリーダ／ライタから情報の送信要求が行われたか否かを判断する。この情報の送信の要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【０１１２】
タグリーダ／ライタから情報送信の要求が行われていない場合、アンテナ６０４からの電力の供給は無く、ステップＳ２８ｄ０３に進む。一方、タグリーダ／ライタから情報送信の要求が行われた場合、アンテナ６０４から電力が供給されるため、論理回路６０８を通してＩＣチップ６１２に電力が供給され、その他、各論理回路を通してＩＣチップ６１０、６１１には電力は供給されない。その結果、ＩＣチップ６１２に記録されている情報が、タグリーダ／ライタに送信される（ステップＳ２８ｄ０２）。
【０１１３】
ステップＳ２８ｄ０３において、タグライタから情報の書き換えの要求が行われたか否かを判断する。この情報の書き換えの要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【０１１４】
タグライタから情報の書き換えの要求が行われなかった場合には、ステップＳ２８ｄ０１に戻る。一方、タグライタから情報の書き換えの要求が行われた場合、状態３（ａ）、又は状態４（ａ）におけるステップＳ２８ｄ０１と同様にＩＣチップ６１２に電力が供給され、ＩＣチップ６１０、６１１には電力は供給されない。その結果、ＩＣチップ６１２に記録されている情報が、タグライタから送信される情報によって書き換えられる（ステップＳ２８ｄ０４）。その後、ステップＳ２８ｄ０１に戻る。
【０１１５】
また、図２８Ｄは、図２７Ｃの状態３（ｂ）などのタグの動作に関するフローチャートである。
【０１１６】
ステップＳ２８ｄ０１において、タグリーダ／ライタから情報の送信要求が行われたか否かを判断する。この情報の送信の要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【０１１７】
タグリーダ／ライタから情報送信の要求が行われていない場合、アンテナ６１３からの電力の供給は無く、ステップＳ２８ｄ０３に進む。一方、タグリーダ／ライタから情報送信の要求が行われた場合、アンテナ６１３から電力が供給されるため、各論理回路６１６、６１７、６１９を通してＩＣチップ６２１に電力が供給され、その他、各論理回路を通してＩＣチップ６２０には電力は供給されない。その結果、ＩＣチップ６２１に記録されている情報が、タグリーダ／ライタに送信される（ステップＳ２８ｄ０２）。
【０１１８】
ステップＳ２８ｄ０３において、タグライタから情報の書き換えの要求が行われたか否かを判断する。この情報の書き換えの要求が行われたか否かの判断は、タグリーダ／ライタが発生したＲＦ(Radio Frequency)信号を受け取ることによって判断できる。ＲＦ信号から電流を生成（アンテナ部分で）し、ＩＣチップに電力を供給することになる。また、ＲＦ信号にはタグリーダ／ライタからの要求コマンドデータも含まれている。
【０１１９】
タグライタから情報の書き換えの要求が行われなかった場合には、ステップＳ２８ｄ０１に戻る。一方、タグライタから情報の書き換えの要求が行われた場合、状態３（ｂ）におけるステップＳ２８ｄ０１と同様にＩＣチップ６２１に電力が供給され、ＩＣチップ６２０には電力は供給されない。その結果、ＩＣチップ６２１に記録されている情報が、タグライタから送信される情報によって書き換えられる（ステップＳ２８ｄ０４）。その後、ステップＳ２８ｄ０１に戻る。
【０１２０】
このように構成すれば、タグ本体部６０１と第１タグ断片部６０２と第２タグ断片部６０３にそれぞれ電力供給部としてアンテナ６０４、６１３、６２２と、情報保持部としてＩＣチップ６１０、６１１、６１２、６２０、６２１、６２４とを備えているため、タグ本体部６０１から第１タグ断片部６０２を分離した後でも、また、第１タグ断片部６０２から第２タグ断片部６０３を分離した後でも、タグ本体部６０１だけではなく、分離した第１タグ断片部６０２及び第２タグ断片部６０３もそれぞれタグとして機能を持たせることができ、タグ本体部、第１タグ断片部、第２タグ断片部の分離状態に応じてタグリーダ／ライタに送信する情報を変更することが可能となる。
【０１２１】
次に、図９は、第２実施形態にかかる状態認識タグの１つの利用例であり、顧客が購入したシャツの衣類情報とプライバシー保護に利用したものである。ここでは、顧客が購入したシャツ９０１に、第２実施形態にかかる状態認識タグに対応する状態認識タグ９０２が付されている。状態認識タグ９０２は、タグ本体部９０３と２個のタグ断片部９０５、９０７から構成され、第１タグ断片部９０５はタグ本体部９０３から分離位置９０４で、第２タグ断片部９０７は第１タグ断片部９０５から分離位置９０６でそれぞれ分離できる。
【０１２２】
ここで、図２６Ａ〜図２６Ｆは、タグ本体部９０３、及び第１、第２タグ断片部９０５、９０７に記録されている情報例について示している。
【０１２３】
図２６Ａ、図２６Ｃ、及び図２６Ｅの記録情報項目とは、タグに記録されている情報の項目であり、タグ本体部９０３のタグ本体部用情報保持部（図１のタグ本体部用情報保持部１０２に対応）には、タグＩＤ、商品番号、商品名、サイズ、色、商品アドレス、洗濯回数の情報が記録されている。同様に、第１タグ断片部９０５の第１タグ断片部用情報保持部（図１のタグ断片部用情報保持部１０７に対応）には、タグＩＤ、商品番号、エラーコードの情報が、第２タグ断片部９０５の第２タグ断片部用情報保持部（図１のタグ断片部用情報保持部１０７に対応）には、タグＩＤ、商品番号、商品名、サイズ、色、製造日、価格の情報がそれぞれ記録されている。
【０１２４】
図２６Ａ、図２６Ｃ、及び図２６Ｅの情報可変性とは、タグに記録されている情報を書き換えることが可能であるかどうかを示すものであり、タグ本体部９０３では、記録されている洗濯回数の情報、第２タグ断片部９０５では、記録されている価格の情報が書き換えが可能となっている。また、タグ本体部９０３では、タグＩＤ、商品番号、商品名、サイズ、色、商品アドレスなどの情報は書き換えが不可能となっている。また、第１タグ断片部９０５では、タグＩＤ、商品番号、エラーコードなどの情報は書き換えが不可能となっている。また、第２タグ断片部９０５では、タグＩＤ、商品番号、商品名、サイズ、色、製造日などの情報は書き換えが不可能となっている。
【０１２５】
図２６Ａ、図２６Ｃ、及び図２６Ｅの各情報の発信可能状態とは、タグ本体部９０３、及び第１、第２タグ断片部９０５，９０７が記録情報項目の情報をそれぞれ発信可能な、図２７Ａ〜図２７Ｄに示した各状態（分離状態又は結合状態）を示している。
【０１２６】
図２６Ｂ、図２６Ｄ、図２６Ｆの保持情報例は、シャツ９０１に付された状態認識タグ９０２のタグ本体部９０３、及び第１、第２タグ断片部９０５、９０７にそれぞれ記録されている情報の一例を示している。
【０１２７】
以下、図２８Ａの状態１のタグの動作に関するフローチャートを用いて、図９に示す状態認識タグの利用例を説明するが、図２８Ａの状態１のタグの動作に関するフローチャートは説明済みのため、ここではフローチャートに沿った詳細な説明は省略する。
【０１２８】
図２８Ａの状態１のタグの動作において、状態１はタグ本体部９０３と第１タグ断片部９０５が結合し、第１タグ断片部９０５と第２タグ断片部９０７が結合した状態であり、この状態を初期状態とする。
【０１２９】
シャツ９０１の初期状態としては、シャツ９０１が購入される前、つまり販売店内にある状態が想定され、このとき、状態認識タグが発信する情報としては、販売店又は店員のための情報であることが望ましい。
【０１３０】
そこで、状態１において、タグリーダ／ライタから情報の送信要求が行われた場合（ステップＳ２８ａ０３）、第２タグ断片部９０７に記録されている情報から、タグＩＤ、商品番号、商品名、サイズ、色、製造日、価格の情報をタグリーダ／ライタに送信する（ステップＳ２８ａ０４）（実際の情報例については図２６Ｂ、図２６Ｄ、図２６Ｆの保持情報例を参照。）。
【０１３１】
また、バーゲンなどによりシャツ９０１の価格の値下げを行う場合には、タグライタから第２タグ断片部９０７に記録されている価格の情報を書き換えることができる（ステップＳ２８ａ０５、Ｓ２８ａ０６）。
【０１３２】
ここで、顧客がシャツ９０１を購入したとする。このとき、店員は、第２タグ断片部９０７をタグ本体部９０３から分離させ、販売店用の情報を持った第２タグ断片部９０７（状態２（ｂ）のタグ）と、顧客用の情報を持った状態認識タグ（状態２（ａ）のタグ）とにすることができる（ステップＳ２８ａ０１）。
【０１３３】
状態２（ｂ）のタグとなった第２タグ断片部９０７は、引き続き、状態１のタグの時と同様に情報を発信（ステップＳ２８ｄ０１、Ｓ２８ｄ０２）し、情報の書き換えを行うことができる（ステップＳ２８ｄ０３、Ｓ２８ｄ０４）。
【０１３４】
状態２（ａ）のタグとなった状態認識タグは、購入後のシャツ９０１に付されており、前述したように状態認識タグが発信する情報としては、顧客のための情報であることが望ましい。
【０１３５】
そこで、状態２（ａ）において、タグリーダ／ライタから情報の送信要求が行われた場合（ステップＳ２８ｂ０２）、タグ本体部９０３に記録さている情報から、タグＩＤ、商品番号、商品名、サイズ、色、商品アドレス、洗濯回数の情報をタグリーダ／ライタに送信する（ステップＳ２８ｂ０３）。これによって、顧客は、洗濯回数の情報からシャツ９０１の傷み具合や、商品アドレスの情報から、より詳細な衣類情報（例えば、シャツ９０１に似合うズボンやジャケットなど）を知ることができる。
【０１３６】
また、洗濯機９０８の衣類を投入するドラムの入口にタグリーダ／ライタライタ９０８Ａを設けておくことで、タグ本体部９０３に記録されている洗濯回数の情報を書き換えることができる（ステップＳ２８ｂ０４、Ｓ２８ｂ０５）。ここで、タグ本体部９０３に洗濯方法等を記述して保持しておけば、その洗濯方法の情報を洗濯機９０８のタグリーダ／ライタライタ９０８に読み取らせることで、シャツ９０１に最適な洗濯方法の情報を洗濯機９０８に自動設定することも可能である。
【０１３７】
しかし、タグ付きの衣類を着て外出する場合、気づかない間に第三者によってタグの情報を読み取られる恐れがある。
【０１３８】
そこで、状態２（ａ）のタグから顧客が、さらに、第１タグ断片部９０５を分離させることによって、状態認識タグから発信する情報を制限することができる（ステップＳ２８ｂ０１）。
【０１３９】
分離後、状態３（ａ）のタグとなってシャツ９０１に付されているタグ本体部９０３は、タグリーダ／ライタから情報の送信要求が行われた場合（ステップＳ２８ｄ０１）、タグ本体部９０３に記録されている情報から、タグＩＤ、商品番号、商品名、色、商品アドレスの情報のみを選択してタグリーダ／ライタに送信するようになる（ステップＳ２８ｄ０２）。これによって、顧客が知られたくないシャツのサイズや洗濯回数の情報などが発信されなくなり、プライバシーが守られる。
【０１４０】
状態１のタグにおいて、仮に店員が誤って、第１タグ断片部９０５とタグ本体部９０３を分離させてしまった場合（ステップＳ２８ａ０２）、販売店側に残った状態認識タグは、状態４（ｂ）のタグとなり、タグリーダ／ライタの情報送信要求に対しエラーコードを返すようになる（ステップＳ２８ｃ０２、Ｓ２８ｃ０３）。エラーコード返し方の一例としては、図２６Ｄに示すように、「タグ切り取りミス」とタグリーダ／ライタの表示部、もしくはタグリーダ／ライタに接続しているＰＣ（パーソナルコンピュータ）等のディスプレイに表示すればよい。
【０１４１】
この構成によれば、タグ本体部９０３に第１タグ断片部９０５を結合し、さらに第１タグ断片部に第２タグ断片部９０７を結合することにより、各タグの結合分離状態から１タグ毎に３通りの情報選択が可能となる。これによって、タグが付された物品の状態に柔軟に対応してユーザに適切な情報を発信することができる。
【０１４２】
図１０は、第２実施形態にかかる状態認識タグの別の利用例であり、顧客が購入する照明器具１００１用電球に利用したものである。
【０１４３】
顧客が購入する電球１００２には、第２実施形態にかかる状態認識タグ６００に対応する状態認識タグ１００４が付されている。状態認識タグ１００４は、タグ本体部１００５と２個の第１及び第２タグ断片部１００７、１００８から構成され、第１及び第２タグ断片部１００７、１００８はタグ本体部１００５から分離位置１００６でそれぞれ分離できる。タグ本体部１００５には電球１００２の商品情報が記録されている。第１タグ断片部１００７は、タグとしての機能も情報も持っていない。第２タグ断片部１００８は電球１００２の商品情報が記録されており、第１タグ断片部１００７が結合しているときにはタグとして機能せず、第１タグ断片部１００７が分離しているときにタグとして機能し、さらに情報の書き込みができるものとする。つまり、第２タグ断片部１００８には、商品情報とタグリーダ／ライタライタ１００３からの情報が記録されることになる。第１タグ断片部１００７を電球１００２の使用開始時に分離させ、タグリーダ／ライタライタ１００３から時刻情報を第２タグ断片部１００８に書き込むことにより、電球１００２の交換時期の推測が容易になる。また、第２タグ断片部１００８に照明器具１００１の照明器具情報を書き込み、顧客が第２タグ断片部１００８を分離させ電球販売店へ持っていくことにより、電球販売店は第２タグ断片部１００８に記録されている照明器具１００１の照明器具情報を参照し、照明器具１００１に最も相性の良い電球を提供することが可能となる。
【０１４４】
尚、このとき状態認識タグに記録されている情報例を図２９Ａ〜図２９Ｄに示すが、各項目の説明は既に済んでいるため、ここでの詳細な説明は省略する。図３０Ａ〜図３０Ｄに図２９Ａ〜図２９Ｄに記載されている各状態を示す。
【０１４５】
このように構成すれば、タグ本体部１００５に対して第１タグ断片部１００７と第２タグ断片部１００８とを個別に独立して分離可能に配置するとともに、第１タグ断片部１００７が結合しているときにはタグとして機能せず、第１タグ断片部１００７が分離しているときにタグとして機能し、さらに情報の書き込みができるものとすることにより、所望のタグ断片部に対して必要なときのみタグとして機能させることができる。
【０１４６】
また、上記第２実施形態によれば、このような第１実施形態の作用効果に加えて、あらゆる場所に分離位置を設けることが可能となり、タグ断片部１００７，１００８の分離位置や組み合せ、個数などに対応してタグとしての機能の有無や情報の変更などをより詳細に設定することが可能となる。
【０１４７】
（第３実施形態）
図１１Ａ，図１１Ｂ，図１１Ｃ，図１１Ｄはそれぞれ本発明の第３実施形態にかかる状態認識タグのタグ本体部１１０５とタグ断片部１１０６との間の分離位置の様々な例をそれぞれ示した図である。この第３実施形態にかかる状態認識タグは、先に述べた又は後で述べる状態認識タグとすることができる。
【０１４８】
図１１Ａの例では、分離位置１１０１にはミシン目（切れ目の一例）が形成されており、使用者は分離位置を意識しなくても簡単に分離位置１１０１でタグ本体部１１０５とタグ断片部１１０６を分離することができる。
【０１４９】
図１１Ｂの例では、分離位置１１０２には、ミシン目が形成された分離位置１１０１に、さらにハサミの絵を記載している。これによって、使用者は確実にタグ本体部１１０５とタグ断片部１１０６との分離位置を確認できる。
【０１５０】
図１１Ｃの例では、分離位置１１０３には、分離位置１１０１にさらに「キリトリ」という文字を印字している。これによって、使用者は確実にタグ本体部１１０５とタグ断片部１１０６との分離位置を確認できる。
【０１５１】
図１１Ｄの例では、分離位置１１０４には切り口が付いており、使用者は簡単に分離位置１１０４からタグ本体部１１０５とタグ断片部１１０６を分離させることができる。
【０１５２】
なお、タグ本体部１１０５とタグ断片部１１０６との間の分離位置の例を示したが、この例は、タグ断片部とタグ断片部との間の分離位置として適用することも可能である。
【０１５３】
また、図１２Ａ，図１２Ｂ，図１２Ｃ，図１２Ｄはそれぞれ第４実施形態にかかる状態認識タグの物品に対する固定及び分離方法の様々な例を示した図である。
【０１５４】
図１２Ａ，図１２Ｂに示されるように、物品に付するためののりしろ１２０４をタグ本体部１２０１、又はタグ断片部１２０２のみに限定して設ける、これによって状態認識タグ製造者の意図に反して、タグ本体部を物品に付したまま残したいのにタグ断片部を物品に付してタグ本体部を分離させられることや、タグ断片部を物品に付したまま残したいのにタグ本体部を物品に付してタグ断片部を分離させられることが無くなる。また、図１２Ｃ，図１２Ｄに示されるように、物品に付するためののりしろ１２０４を分離位置１２０３の近辺にのみ設けないようにすることにより、使用者は確実にタグ本体部１２０１とタグ断片部１２０２を分離することができる。
【０１５５】
また、図１３Ａ，図１３Ｂ，図１３Ｃ，図１３Ｄ，図１３Ｅ，図１３Ｆはそれぞれ第３実施形態にかかる状態認識タグの分離位置のさらに別の例を示した図である。
【０１５６】
分離位置１３０３を、人の力で簡単に分離できる紙やビニールのような素材から構成し、タグ本体部１３０１とタグ断片部１３０２の回りを硬い金属やプラスチックなどの補強部材１３０４により構成することによって、使用者は、図１３Ａに示されるように誤ってタグを分離位置以外の場所から分離させることなく、図１３Ｂに示されるように自然に分離位置１３０３でタグ本体部１３０１とタグ断片部１３０２とを分離させることができる。
【０１５７】
図１３Ｃ〜図１３Ｆに示されるように、タグ本体部１３０５をシール台とし、タグ断片部１３０６をシールとし、シール（タグ断片部１３０６）をシール台（タグ本体部１３０５）から剥がすことによって、タグ本体部１３０５からタグ断片部１３０６を分離させることができる。シール台（タグ本体部１３０５）の表面とシール（タグ断片部１３０６）の裏面にそれぞれ分離位置として導線１３０７を露出しておくことによって、第１、２実施形態が実現可能となる。
【０１５８】
上記第３実施形態によれば、タグがユーザによって分離されるときに、タグ製作者の意図しない部分で分離することが無くなり、また、ユーザがタグの分離位置を意識する必要がなくなる。
【０１５９】
（第４実施形態）
図１４Ａ，図１４Ｂ，図１４Ｃは本発明の第４実施形態にかかる状態認識タグの分離位置に配置された分離係合可能かつ分離後に再結合可能な係合構造の様々な例を示した図である。
【０１６０】
図１４Ａに示されるように、容器本体１４０２ｂの外周面におねじ（１つの係合部（例えば、第１係合部）の一例）が形成された口部１４０２ａの基部に配置された帯状の第１タグ本体部１４０２と、上記容器本体１４０２ｂの口部１４０２ａのおねじに螺合するめねじ（別の係合部（例えば、第２係合部）の一例）を有する蓋１４０３ａの内周面端部に配置された帯状の第１タグ断片部１４０３とより第１状態認識タグ１４０１を構成して、上記容器本体１４０２ｂの口部１４０２ａに蓋１４０３ａをねじ込むことにより第１タグ本体部１４０２と第１タグ断片部１４０３とが結合する（図１５Ａ，図１５Ｂ参照）一方、上記容器本体１４０２ｂの口部１４０２ａに蓋１４０３ａとのねじを緩めることにより第１タグ本体部１４０２と第１タグ断片部１４０３とが分離されることによって、第１タグ本体部１４０２と第１タグ断片部１４０３の結合分離を容易に可能にしている。
【０１６１】
また、図１４Ｂに示されるように、矩形箱体１４０５ａの矩形開口部（１つの係合部の一例）の内面に配置された帯状の第２タグ本体部１４０５と、矩形箱体１４０５ａの矩形開口部内に脱着可能に嵌合可能な矩形直方体形状の差し込み部（別の係合部の一例）１４０６ａを有しかつ側面Ｔ字状である蓋体１４０６ｂの差し込み部１４０６ａの側面に配置された帯状の第２タグ断片部１４０６とより第２状態認識タグ１４０４を構成して、矩形箱体１４０５ａの矩形開口部内に蓋体１４０６ｂの差し込み部１４０６ａを嵌合することにより、第２タグ本体部１４０５と第２タグ断片部１４０６とが結合する（図１５Ｃ，図１５Ｄ参照）一方、矩形箱体１４０５ａの矩形開口部内から蓋体１４０６ｂの差し込み部１４０６ａを抜き出すことにより、第２タグ本体部１４０５と第２タグ断片部１４０６とが分離されることによって、第２タグ本体部１４０５と第２タグ断片部１４０６との結合分離を容易に可能にしている。
【０１６２】
また、図１４Ｃに示されるように、円筒形箱体１４０８ａの円形開口部（１つの係合部の一例）の内面に配置された帯状の第３タグ本体部１４０８と、円筒箱体１４０８ａの円形開口部内に脱着可能に嵌合可能な円柱形状の差し込み部（別の係合部の一例）１４０９ａを有しかつ側面Ｔ字状である蓋体１４０９ｂの差し込み部１４０９ａの側面に配置された帯状の第３タグ断片部１４０９とより第３状態認識タグ１４０７を構成して、円筒箱体１４０８ａの円形開口部内に蓋体１４０９ｂの差し込み部１４０９ａを嵌合することにより、第３タグ本体部１４０８と第３タグ断片部１４０９とが結合する（図１５Ｅ，図１５Ｆ参照）一方、円筒箱体１４０８ａの円形開口部内から蓋体１４０９ｂの差し込み部１４０９ａを抜き出すことにより、第３タグ本体部１４０８と第３タグ断片部１４０９とが分離されることによって、第３タグ本体部１４０８と第３タグ断片部１４０９との結合分離を容易に可能にしている。
【０１６３】
これらの構成は、例えば、ペットボトルの容器本体とキャップや、薬品のボトル本体と蓋などに利用可能であり、未開封か開封済みか、栓が閉まっているか閉じているかなどを認識し、消費期限の厳密な管理を行うことができる。また、第１状態認識タグ１４０１、第２状態認識タグ１４０４、第３状態認識タグ１４０７はそれぞれ分離位置の形状が異なっており、例えば、第１タグ本体部１４０２に第２タグ断片部１４０６や第３タグ断片部１４０９が結合されることはないため、誤って、第１タグ本体部１４０２に第１断片部１４０３とは異なるタグ断片部１４０６や１４０９を結合することが効果的に防止できる。
【０１６４】
なお、図１５Ａ〜図１５Ｆは、図１４Ａ〜図１４Ｃの各タグ本体部と各タグ断片部が結合したときの図であり、各タグ本体部と各タグ断片部との接触部に第１実施形態にかかる構成の接触センサや、第２、第３実施形態にかかる構成で導電物質を用いることによって、結合状態及び分離状態を認識することができる。ここで、導電物質とは、例えば銀や銅などの導電率の高いものが望ましい。このように、本発明の各実施形態における、タグ本体部とタグ断片部との結合、及び、タグ断片部同士の結合とは、互いにその一部又は全部が電気的に接触している（なお、電気的に接触するのは一例であり、図２のような接触センサを用いて接触してもよい。）ことを意味し、タグ本体部とタグ断片部との分離、及び、タグ断片部同士の分離とは、互いにその全部が電気的に非接触であることを意味している。
【０１６５】
また、分離位置に導電物質を用いた場合、タグ本体部Ａにタグ断片部Ａが結合されたときのタグ本体部Ａにかかる抵抗値とタグ断片部Ｂが結合されたときのタグ本体部Ａにかかる抵抗値とが異なるようにタグ断片部Ａ、タグ断片部Ｂそれぞれに対し値の異なる抵抗器を組み込む。それによって、タグ本体部Ａはタグ断片部が結合したときの抵抗値を抵抗計などから測定することにより、現在結合しているのはタグ断片部Ａなのかタグ断片部Ｂなのかを分離状態認識部で認識することができる。
【０１６６】
ここで、本来、タグ本体部Ａに結合されるタグ断片部をタグ断片部Ａとする。すると、タグ本体部Ａにタグ断片部Ｂが結合したときでも、タグ本体部Ａはタグ断片部Ａが分離しているときの情報をタグリーダ／ライタに制御部で送信することや、異なったタグ断片部が結合されているという情報をタグリーダ／ライタに制御部で送信することも可能となる。なお、ここで示したタグ断片部Ｂがタグ本体部Ａのタグ断片部かどうかの検出方法は一例であり、本発明はその他の方法によっても適用可能である。
【０１６７】
図２２は、本発明の第４実施形態にかかる状態認識タグの分離位置に配置された、分離係合可能かつ分離後に再結合可能な係合構造（係合部）の例を示した図である。
【０１６８】
２２０６は組み立て作業が行われた後の棚であるとする。２２０４は背板、２２０５Ａと２２０５Ｂとは横板であり、背板２２０４の２つの嵌合穴２２０４ａに横板２２０５Ａ又は２２０５Ｂの２つの突起２２０５ｐをそれぞれ嵌合することにより背板２２０４に横板２２０５Ａ又は２２０５Ｂを取り付けることによって、タグ本体部２２０１とタグ断片部２２０２が結合する。２２０３はタグリーダ／ライタで、前記タグ本体部２２０１、タグ断片部２２０２の情報をそれぞれ読み取ることができる。
【０１６９】
ここで、図２３は、背板２２０４の横板差し込み箇所に取り付けられたタグ本体部２２０１に対するタグ断片部２２０２の分離状態によって発信する情報が異なる例である。各タグの詳細な保持情報については省略する。
【０１７０】
前記背板２２０４の横板差し込み箇所で前記横板２２０５が差し込まれた場合、前記タグ本体部２２０１と前記タグ断片部２２０２が結合し「正常に取り付けられています」という情報を前記タグリーダ／ライタ２２０３に発信する。
【０１７１】
前記背板２２０４の横板差し込み箇所に何も部品が取り付けられていない場合、前記タグ本体部２２０１は「横板が取り付けられていません」という情報を、前記タグ断片部２２０２は「背板に取り付けられていません」という情報をそれぞれ前記タグリーダ／ライタ２２０３に発信する。
【０１７２】
前記背板２００４の横板差し込み箇所に前記天板２２０７が差し込まれた場合、前記タグ本体部２２０１と前記天板２２０７に取り付けられている別のタグ断片部が結合し、前記タグ本体部２２０１、別のタグ断片部ともに「異なる部品が取り付けられています」という情報を前記タグリーダ／ライタ２２０３に発信する。
【０１７３】
図２４Ａ及び図２４Ｂは、図２３に示した情報発信を実現するための状態認識タグの一つの構成例及び情報例である。なお、図２４Ａにおいては、タグ断片部Ｂ２４０２の係合部Ｂ２４０２ａとタグ本体部Ａ２４０１の係合部Ａ２４０１ａとの係合関係を理解しやすくするため、係合部Ｂ２４０２ａに係合部Ａ２４０１ａを接触させた状態を点線で示している。同様に、タグ断片部Ｃ２４０３の係合部Ｃ２４０３ａとタグ本体部Ａ２４０１の係合部Ａ２４０１ａとの係合関係を理解しやすくするため、係合部Ｃ２４０３ａに係合部Ａ２４０１ａを接触させた状態を点線で示している。
【０１７４】
Ａ２４０１が上記タグ本体部２２０１に対応するタグ本体部、Ｂ２４０２が上記タグ断片部２２０２に対応するタグ断片部、Ｃ２４０３が上記別のタグ断片部に対応するタグ断片部である。ここでは、タグ本体部Ａ２４０１とタグ断片部Ｂ２４０２とが本来的に係合すべきものであることから、別のタグ本体部やタグ断片部と区別するために、「Ａ」と「Ｂ」を参照符号の前に付ける。よって、別のタグ本体部やタグ断片部には、上記タグ本体部Ａ２４０１やタグ断片部Ｂ２４０２と区別するために、「Ｃ」を参照符号の前に付ける。）、Ａ２４０１ａはタグ本体部Ａ２４０１の係合部、Ｂ２４０２ａはタグ断片部Ｂ２４０２の係合部、Ｃ２４０３ａはタグ断片部Ｂ２４０２とは異なったタグ断片部Ｃ２４０３の係合部となっている。
【０１７５】
タグ本体部Ａ２４０１の係合部Ａ２４０１ａのＡ２４０７の黒塗りの部分は、導体より構成されるタグ本体部Ａ２４０１のタグ結合検出用電力受取部であり、ここから電力が、タグ断片部Ｂ２４０２又はＣ２４０３側からタグ本体部Ａ２４０１に供給されることによって、タグ本体部Ａ２４０１にタグ断片部Ｂ２４０２又はタグ断片部Ｃ２４０３が結合していることが検出できる。
【０１７６】
また、タグ本体部Ａ２４０１の係合部Ａ２４０１ａのＡ２４１１の黒塗りの部分は、導体より構成されるタグ本体部Ａ２４０１のタグ結合検出用電力供給部であり、タグ本体部Ａ２４０１のアンテナＡ２６０４より発生した電力を、タグ本体部Ａ２４０１に結合したタグ断片部Ｂ２４０２又はタグ断片部Ｃ２４０３へ供給する。
【０１７７】
ここで、タグ結合検出用電力受取部Ａ２４０７とタグ結合検出用電力供給部Ｂ２４１１又はＣ２４１１が結合することで、タグ結合検出用電力供給部Ｂ２４１１又はＣ２４１１から（アンテナＢ２６０４又はＣ２６０４から）タグ結合検出用電力受取部Ａ２４０７へと電力が伝わることになる。また、タグ結合検出用電力受取部Ｂ２４０７又はＣ２４０７とタグ結合検出用電力供給部Ａ２４１１が結合することで、タグ結合検出用電力供給部Ａ２４１１からタグ結合検出用電力受取部Ｂ２４０７又はＣ２４０７へと電力が伝わることになる。
【０１７８】
また、タグ本体部Ａ２４０１の係合部Ａ２４０１ａのＡ２４０８の黒塗りの部分は、導体より構成されるタグ本体部Ａ２４０１の正解タグ検出用電力受取部であり、ここから電力が、タグ断片部Ｂ２４０２側からタグ本体部Ａ２４０１に供給されることによって、本来係合すべきタグ断片部Ｂ２４０２が結合していることが検出できる。
【０１７９】
また、タグ本体部Ａ２４０１の係合部Ａ２４０１ａのＡ２４１２の黒塗りの部分は、導体より構成されるタグ本体部Ａ２４０１の正解タグ検出用電力供給部であり、タグ本体部Ａ２４０１のアンテナＡ２６０４より発生した電力を、タグ本体部Ａ２４０１に結合したタグ断片部Ｂ２４０２へ供給する。
【０１８０】
ここで、正解タグ検出用電力受取部Ａ２４０８と正解タグ検出用電力供給部Ｂ２４１２が結合することで、正解タグ検出用電力供給部Ａ２４１２から正解タグ検出用電力受取部Ｂ２４０８へと電力が伝わることになる。また、正解タグ検出用電力受取部Ｂ２４０８と正解タグ検出用電力供給部Ａ２４１２が結合することで、正解タグ検出用電力供給部Ｂ２４１２（アンテナＢ２６０４）から正解タグ検出用電力受取部Ａ２４０８へと電力が伝わることになる。
【０１８１】
また、正解タグ検出用電力受取部Ａ２４０８と正解タグ検出用電力供給部Ｂ２４１２、及び、正解タグ検出用電力受取部Ｂ２４０８と正解タグ検出用電力供給部Ａ２４１２は、本来係合すべきタグ同士が結合したときにのみ結合するような位置に設けられているため、本来係合すべきではないタグ断片部Ｃ２４０３の正解タグ検出用電力供給部Ｃ２４１２から正解タグ検出用電力受取部Ａ２４０８に電力が伝わることもなければ、正解タグ検出用電力供給部Ａ２４１２から、本来係合すべきではないタグ断片部Ｃ２４０３の正解タグ検出用電力受取部Ｃ２４０８に電力が伝わることもない。
【０１８２】
これによって、タグ本体部Ａ２４０１に、上記タグ断片部Ｂ２４０２も上記タグ断片部Ｃ２４０３も共に結合していない場合、アンテナＡ２６０４のみから電力が供給されて、排他的論理和回路２６０５からＩＣチップ２４０８に電力が供給され、ＩＣチップ２４０８から、上記タグ本体部Ａ２４０１には何もタグ断片部が結合していない場合の情報、例えば「横板が取り付けられていません」という情報がタグリーダ／ライタに発信される。基本的に、詳細な動作は図３又は、図６と同様であるため、ここでは省略する。
【０１８３】
上記タグ本体部Ａ２４０１に上記タグ断片部Ｂ２４０２が結合している場合、アンテナＡ２６０４とタグ断片部Ｂ２４０２のタグ結合検出用電力供給部Ｂ２４１１と正解タグ検出用電力供給部Ｂ２４１２とから電力が供給されて、論理積回路２６０６、２６０７を通してＩＣチップ２４１０に電力が供給され、ＩＣチップ２４１０から、上記タグ本体部Ａ２４０１と上記タグ断片部Ｂ２４０２が結合している場合の情報、例えば「正常に横板が取り付けられています」という情報がタグリーダ／ライタに発信される。
【０１８４】
上記タグ本体部Ａ２４０１に上記タグ断片部Ｃ２４０３が結合している場合、アンテナＡ２６０４とタグ断片部Ｃ２４０３のタグ結合検出用電力供給過所Ｃ２４１１のみから電力が供給されて、論理積回路２６０６と排他的論理和回路２６０８を通してＩＣチップ２４０９に電力が供給され、ＩＣチップ２４０９から、上記タグ本体部Ａ２４０１と結合するべきではないタグ断片部が結合している場合の情報、例えば「横板とは異なる部品が取り付けられています」という情報がタグリーダ／ライタに発信される。
【０１８５】
上記実施形態によれば、タグ本体部とタグ断片部が結合分離可能なことから、タグ本体部とタグ断片部を同じ製造元が同じ時刻に製造する必要はなくなる。例えば、メーカーが商品にタグ本体部を取り付けて出荷した後、小売店がその商品のタグ本体部にタグ断片部をさらに取り付けて販売を行うことも可能である。
【０１８６】
また、上記第４実施形態によれば、使用者は商品の開封のみならず、各種容器、ドア等の開閉やプラグの着脱に応じてデータを切り替えることが可能となる。また、タグ本体部とタグ断片部を別々に製造しておき、後に結合させることも可能である。
【０１８７】
さらに、製造現場において各部品の接続箇所に本タグを用いることによって、正しく組み立てが行われているかが容易に確認できるようになり、解体現場においては全ての部品が解体されているかが容易に確認できるようになる。
【０１８８】
（第５実施形態）
図１６は、第５実施形態にかかる状態認識タグを利用した容器の１つの構成例である。容器本体（１つの係合部の一例）１６０１は例えばお菓子の箱やダンボールに相当する。本発明のいずれかの実施形態の状態認識タグを、容器本体１６０１とその蓋（別の係合部の一例）１６０１ａに跨るように貼り付ける。すなわち、状態認識タグのタグ本体部（ここでは、１６０２で示す。）を容器本体１６０１の蓋１６０１ａの近傍に配置し、蓋１６０１ａには状態認識タグのタグ断片部（ここでは、１６０３で示す。）を、閉じ状態でタグ本体部１６０２に対向可能に配置する。蓋１６０１ａが閉じているときはタグ本体部１６０２とタグ断片部１６０３は結合しており、上記制御部は上記情報保持部から容器本体１６０１の蓋１６０１ａは閉まっているという情報を上記タグリーダ／ライタ１７０５に送信する。容器本体１６０１の蓋１６０１ａを開けると、タグ本体部１６０２とタグ断片部１６０３が分離することによって、上記制御部は上記情報保持部から容器本体１６０１の蓋１６０１ａは開いているという情報をタグリーダ／ライタ１７０５に送信する。これによって、商品の未開封か開封済みかを認識することができる。
【０１８９】
図１７は、第５実施形態にかかる状態認識タグを利用した容器の別の構成例である。容器本体１７０１は例えば収納ボックスや机の引き出しに相当する。上記状態認識タグのタグ本体部１７０３を容器本体１７０１の開口部（１つの係合部の一例）の内側へ貼り付け、タグ断片部１７０４を、容器本体１７０１の開口部で出し入れされる引き出し（別の係合部の一例）１７０２の外側に、タグ本体部１７０３に対向可能に貼り付け、引き出し１７０２が閉まったときにタグ本体部１７０３とタグ断片部１７０４が結合できるようにする。引き出し１７０２が閉まっているときはタグ本体部１７０３とタグ断片部１７０４は結合しており、上記制御部は、上記情報保持部から容器本体１７０１の引き出し１７０２は閉まっているという情報を上記タグリーダ／ライタ１７０５に送信する。容器本体１７０１の開口部から引き出し１７０２を引き出すと、タグ本体部１７０３とタグ断片部１７０４が分離することによって、上記制御部は、上記情報保持部から容器本体１７０１の引き出し１７０２は引き出されているという情報を上記タグリーダ／ライタ１７０５に送信する。
【０１９０】
これによって、引き出し１７０２が引き出されたときと閉じられたときが分かるので、例えば引き出し１７０２が引き出されたという情報がタグリーダ／ライタ１７０５に送信されると、タグリーダ／ライタ１７０５に接続されてタグリーダ／ライタ１７０５からの上記引き出し信号を受け取った制御部１７０７が監視カメラ１７０６を動作させるといったことが可能となり、物品の管理だけではなくセキュリティー強化にも有用である。
【０１９１】
また、図１８Ａ，図１８Ｂは第５実施形態にかかる状態認識タグを利用した容器の別の構成例である。容器本体１８０１は例えばビンや缶、ペットボトルに相当する。上記状態認識タグのタグ本体部１８０３を容器本体１８０１の口部（１つの係合部の一例）１８０１ａの内側又は基部に貼り付け、タグ断片部１８０４を栓（別の係合部の一例）１８０２の外側に貼り付け、栓１８０２が閉まったときにタグ本体部１８０３とタグ断片部１８０４が結合できるようにする。栓１８０２が閉まっているときはタグ本体部１８０３とタグ断片部１８０４は結合しており、上記制御部は、上記情報保持部から容器本体１８０１の栓１８０２は閉まっているという情報を上記タグリーダ／ライタに送信する。容器本体１８０１の栓１８０２を開けると、タグ本体部１８０３とタグ断片部１８０４が分離することによって、上記制御部は、上記情報保持部から容器本体１８０１の栓１８０２は開いているという情報を上記タグリーダ／ライタに送信する。
【０１９２】
ここで、図１９は図１８Ａ，図１８Ｂに示した容器本体１８０１の栓１８０２を閉めたときの状況を表している。容器本体１８０１は栓１８０２が不十分な閉め方であることや、ネジの食い違いにより正確に閉まっていなく、タグ本体部１９０５とタグ断片部１９０６が結合できていない状況を表している。容器本体１８０１は栓１８０２が正確に閉められているため、タグ本体部１９０５とタグ断片部１９０６が結合できている状況を表している。これにより上記容器本体１８０１の栓１８０２が開いている期間を管理できるため、常温時の揮発性薬品などの管理や飲料水の賞味期限の管理に有用である。また、冷蔵庫にタグリーダ／ライタを設置することで、栓１８０２が正確にされていないペットボトルを冷蔵庫に入れようとしたときに、タグリーダ／ライタに接続された制御装置を介して警告装置から警告を発することも可能である。また、容器本体１８０１に栓１８０２が閉められている場合には容器内容の情報を発信し、容器本体１８０１と栓１８０２が離れたときにはタグ本体部１９０５は容器本体１８０１の素材情報を、タグ断片部１９０６は栓１８０２の素材情報をそれぞれ発信するようにし、資源リサイクルなどに役立てることも可能である。
【０１９３】
図２０Ａ〜図２０Ｄは第５実施形態にかかる状態認識タグを利用した容器の別の構成例である。容器は例えば牛乳パックに相当し、図２０Ａ，図２０Ｂの容器２００１は牛乳パックを開いた状況を表し、図２０Ｃ，図２０Ｄの容器２００１は牛乳パックを閉じた状況を表している。上記状態認識タグのタグ本体部２００３を容器２００１のパック開け口２００１ａの片隅内側（１つの係合部の一例）に貼り付け、タグ断片部２００４を容器２００１のパック開け口２００１ａの逆側の片隅内側（別の係合部の一例）に貼り付け、パック開け口２００１ａが閉まったときにタグ本体部２００３とタグ断片部２００４が結合できるようにする。パック開け口２００１ａが閉まっているときにはタグ本体部２００３とタグ断片部２００４は結合しており、上記制御部は、上記情報保持部から容器２００１のパック開け口２００１ａは閉まっているという情報を上記タグリーダ／ライタに送信する。パック開け口２００１ａが開いているときにはタグ本体部２００３とタグ断片部２００４が分離しており、上記制御部は、上記情報保持部から容器２００１のパック開け口２００１ａは開いているという情報を上記タグリーダ／ライタに送信する。これは、従来未開封時の賞味期限しか扱えなかった商品に対し、商品開封後の賞味期限の管理などに有用である。
【０１９４】
また、本発明の第５実施形態にかかる記載の状態認識タグとして、上記容器を、多数の商品を収納するケース、例えば、ビールケースとしたときの例について、図２１を基に説明する。
【０１９５】
図２１は第５実施形態にかかる状態認識タグを利用した容器の構成例である。容器２１０１は例えばビール瓶ケースに相当する。容器２１０１の底一面（１つの係合部の一例）がタグ本体部２１０３となっており、瓶２１０２が積み込まれる各場所の底に分離位置２１０５を設ける。そして、瓶２１０２の底（別の係合部の一例）にタグ断片部２１０４を設けることにより、瓶２１０２が容器２１０１に積み込まれると、瓶２１０２の底にあるタグ断片部２１０４とタグ本体部２１０３が分離位置２１０５で結合する。これにより、瓶２１０２が容器２１０１に積み込まれたことが分離状態認識部で認識できる。このようにすることにより、容器の中に何本の瓶２１０２が積載（収納）されているかを把握することができる。さらに、各分離位置２１０５に重量計を取り付けることによって、各瓶２１０２の残容量をも調べることも可能となる。
【０１９６】
上記第５実施形態によれば、容器の開閉状態又は積載（収納）状態が分かり、物品の管理や賞味期限の管理を厳密に行うことができる。
【０１９７】
なお、図１４Ａから図２１Ｂなどに示した容器は一例であり、本発明はその他の容器にも適用可能であり、また上記タグ本体部と上記タグ断片部を入れ替えても支障はない。
【０１９８】
なお、上記様々な実施形態のうちの任意の実施形態を適宜組み合わせることにより、それぞれの有する効果を奏するようにすることができる。
【産業上の利用可能性】
【０１９９】
本発明の状態認識タグは、タグ本体部とタグ断片部が結合しているか分離しているかによってタグリーダ／ライタに送信する情報を変更でき、さらに分離したタグ断片部にもタグとしての機能を持たせることが可能であり、結合分離を伴う物品の管理などに有用である。
【０２００】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【図面の簡単な説明】
【０２０１】
本発明のこれらと他の目的と特徴は、添付された図面についての好ましい実施形態に関連した次の記述から明らかになる。
【図１】図１は、本発明の第１実施形態にかかる状態認識タグを用いた状態認識システムを示すブロック図である。
【図２】図２は、上記状態認識タグにおいて接触センサを利用した状態認識タグの例を示す斜視図である。
【図３】図３は、本発明の第１実施形態にかかる状態認識タグの構成例を示す図である。
【図４】図４は、図３の状態認識タグにおける回路別電流入出力表を示す図である。
【図５】図５は、図３の状態認識タグにおける回路別電流入出力表を示す図である。
【図６】図６は、本発明の第２実施形態にかかる状態検知タグの構成例を示す図である。
【図７Ａ】図７Ａは、図６の状態認識タグにおける回路別電力入出力表を示す図である。
【図７Ｂ】図７Ｂは、図６の状態認識タグにおける回路別電力入出力表を示す図である。
【図８Ａ】図８Ａは、第１、２実施形態にかかる状態認識タグにおける回路別電力入出力表を示す図である。
【図８Ｂ】図８Ｂは、第１、２実施形態にかかる状態認識タグにおける回路別電力入出力の説明図である。
【図８Ｃ】図８Ｃは、第１、２実施形態にかかる状態認識タグにおける回路別電力入出力の説明図である。
【図９】図９は、第２実施形態にかかる状態認識タグの１つの利用例を示す斜視図である。
【図１０】図１０は、第２実施形態にかかる状態認識タグの別の利用例を示す斜視図である。
【図１１Ａ】図１１Ａは、本発明の第３実施形態にかかる状態認識タグの分離位置の様々な例を示す図である。
【図１１Ｂ】図１１Ｂは、本発明の第３実施形態にかかる状態認識タグの分離位置の様々な例を示す図である。
【図１１Ｃ】図１１Ｃは、本発明の第３実施形態にかかる状態認識タグの分離位置の様々な例を示す図である。
【図１１Ｄ】図１１Ｄは、本発明の第３実施形態にかかる状態認識タグの分離位置の様々な例を示す図である。
【図１２Ａ】図１２Ａは、第３実施形態にかかる状態認識タグの物品に対する固定及び分離方法の一例を示す図である。
【図１２Ｂ】図１２Ｂは、第３実施形態にかかる状態認識タグの物品に対する固定及び分離方法の別の例を示す図である。
【図１２Ｃ】図１２Ｃは、第３実施形態にかかる状態認識タグの物品に対する固定及び分離方法のさらに別の例を示す図である。
【図１２Ｄ】図１２Ｄは、第３実施形態にかかる状態認識タグの物品に対する固定及び分離方法のさらに別の例を示す図である。
【図１３Ａ】図１３Ａは、第３実施形態にかかる状態認識タグの分離位置のさらに別の例を示す図である。
【図１３Ｂ】図１３Ｂは、第３実施形態にかかる状態認識タグの分離位置のさらに別の例を示す図である。
【図１３Ｃ】図１３Ｃは、第３実施形態にかかる状態認識タグの分離位置のさらに別の例を示す図である。
【図１３Ｄ】図１３Ｄは、第３実施形態にかかる状態認識タグの分離位置のさらに別の例を示す図である。
【図１３Ｅ】図１３Ｅは、第３実施形態にかかる状態認識タグの分離位置のさらに別の例を示す図である。
【図１３Ｆ】図１３Ｆは、第３実施形態にかかる状態認識タグの分離位置のさらに別の例を示す図である。
【図１４Ａ】図１４Ａは、本発明の第４実施形態にかかる状態認識タグの利用例を示す斜視図である。
【図１４Ｂ】図１４Ｂは、本発明の第４実施形態にかかる状態認識タグの利用例を示す斜視図である。
【図１４Ｃ】図１４Ｃは、本発明の第４実施形態にかかる状態認識タグの利用例を示す斜視図である。
【図１５Ａ】図１５Ａは、図１４Ａの第４実施形態にかかる状態認識タグの利用例を示す斜視図である。
【図１５Ｂ】図１５Ｂは、図１４Ａの第４実施形態にかかる状態認識タグの利用例を示す一部断面図である。
【図１５Ｃ】図１５Ｃは、図１４Ｂの第５実施形態にかかる状態認識タグの利用例を示す斜視図である。
【図１５Ｄ】図１５Ｄは、図１４Ｂの第５実施形態にかかる状態認識タグの利用例を示す一部断面図である。
【図１５Ｅ】図１５Ｅは、図１４Ｃの第５実施形態にかかる状態認識タグの利用例を示す斜視図である。
【図１５Ｆ】図１５Ｆは、図１４Ｃの第５実施形態にかかる状態認識タグの利用例を示す一部断面図である。
【図１６】図１６は、本発明の第６実施形態にかかる状態認識タグを利用した容器の１つの構成例を示す斜視図である。
【図１７】図１７は、第６実施形態にかかる状態認識タグを利用した容器の別の構成例並びにそのセキュリティーシステムを示す図である。
【図１８Ａ】図１８Ａは、第６実施形態にかかる状態認識タグを利用した容器の別の構成例を示す斜視図である。
【図１８Ｂ】図１８Ｂは、第６実施形態にかかる状態認識タグを利用した容器の別の構成例を示す斜視図である。
【図１９Ａ】図１９Ａは、第６実施形態にかかる状態認識タグを利用した容器の別の構成例を示す斜視図である。
【図１９Ｂ】図１９Ｂは、第６実施形態にかかる状態認識タグを利用した容器の別の構成例を示す斜視図である。
【図１９Ｃ】図１９Ｃは、第６実施形態にかかる状態認識タグを利用した容器の別の構成例を示す斜視図である。
【図２０Ａ】図２０Ａは、第６実施形態にかかる状態認識タグを利用した容器の別の構成例の開状態と閉状態をそれぞれ示す平面図である。
【図２０Ｂ】図２０Ｂは、第６実施形態にかかる状態認識タグを利用した容器の別の構成例の開状態と閉状態をそれぞれ示す側面図である。
【図２０Ｃ】図２０Ｃは、第６実施形態にかかる状態認識タグを利用した容器の別の構成例の開状態と閉状態をそれぞれ示す平面図である。
【図２０Ｄ】図２０Ｄは、第６実施形態にかかる状態認識タグを利用した容器の別の構成例の開状態と閉状態をそれぞれ示す側面図である。
【図２１Ａ】図２１Ａは、第６実施形態にかかる状態認識タグを利用した容器を示す斜視図である。
【図２１Ｂ】図２１Ｂは、第６実施形態にかかる状態認識タグを利用した容器を示す平面図である。
【図２２】図２２は、本発明の第４実施形態にかかる状態認識タグの分離位置に配置された分離係合可能かつ分離後に再結合可能な係合構造の例を示す図である。
【図２３】図２３は、本発明の第４実施形態にかかる状態認識タグにおいて、背板の横板差し込み箇所に取り付けられたタグ本体部に対するタグ断片部の分離状態によって発信する情報が異なる例を示す図である。
【図２４Ａ】図２４Ａは、本発明の第４実施形態にかかる状態認識タグにおいて、図２３に示した情報発信を実現するための構成例を示す図である。
【図２４Ｂ】図２４Ｂは、本発明の第４実施形態にかかる状態認識タグにおいて、図２３に示した情報発信を実現するための図２４Ａの構成例に基づく情報例を示す図である。
【図２５Ａ】図２５Ａは、第１実施形態にかかる状態認識タグを商品の値札タグに使用したときのタグ本体部の情報例を示す図である。
【図２５Ｂ】図２５Ｂは、第１実施形態にかかる状態認識タグを商品の値札タグに使用したときのタグ本体部の保持情報例を示す図である。
【図２５Ｃ】図２５Ｃは、第１実施形態にかかる状態認識タグを商品の値札タグに使用したときのタグ断片部の情報例を示す図である。
【図２５Ｄ】図２５Ｄは、第１実施形態にかかる状態認識タグを商品の値札タグに使用したときのタグ断片部の保持情報例を示す図である。
【図２６Ａ】図２６Ａは、第２実施形態にかかる状態認識タグを図９に記載の衣類に使用したときのタグ本体部の情報例を示す図である。
【図２６Ｂ】図２６Ｂは、第２実施形態にかかる状態認識タグを図９に記載の衣類に使用したときのタグ本体部の保持情報例を示す図である。
【図２６Ｃ】図２６Ｃは、第２実施形態にかかる状態認識タグを図９に記載の衣類に使用したときの第１タグ断片部の情報例を示す図である。
【図２６Ｄ】図２６Ｄは、第２実施形態にかかる状態認識タグを図９に記載の衣類に使用したときの第１タグ断片部の保持情報例を示す図である。
【図２６Ｅ】図２６Ｅは、第２実施形態にかかる状態認識タグを図９に記載の衣類に使用したときの第２タグ断片部の情報例を示す図である。
【図２６Ｆ】図２６Ｆは、第２実施形態にかかる状態認識タグを図９に記載の衣類に使用したときの第２タグ断片部の保持情報例を示す図である。
【図２７Ａ】図２７Ａは、タグ本体部と第１タグ断片部とが結合し、第１タグ断片部と第２タグ断片部とが結合している、状態１のタグを示す図である。
【図２７Ｂ】図２７Ｂは、タグ本体部と第１タグ断片部とが結合し、第１タグ断片部と第２タグ断片部とが分離している、状態２のタグを示す図である。
【図２７Ｃ】図２７Ｃは、タグ本体部と第１タグ断片部とが分離し、第１タグ断片部と第２タグ断片部とが分離している、状態３のタグを示す図である。
【図２７Ｄ】図２７Ｄは、タグ本体部と第１タグ断片部とが分離し、第１タグ断片部と第２タグ断片部とが結合している、状態４のタグを示す図である。
【図２８Ａ】図２８Ａは、図２７Ａの状態１のタグの動作に関するフローチャートである。
【図２８Ｂ】図２８Ｂは、図２７Ｂの状態２（ａ）のタグの動作に関するフローチャートである。
【図２８Ｃ】図２８Ｃは、図２７Ｃの状態４（ｂ）のタグの動作に関するフローチャートである。
【図２８Ｄ】図２８Ｄは、図２７Ｄの状態２（ｂ）、状態３（ａ）、状態３（ｂ）、状態３（ｃ）、状態４（ａ）のタグの動作に関するフローチャートである。
【図２９Ａ】図２９Ａは、図１０に記載の電球に使用したときの状態認識タグのタグ本体部の情報例を示す図である。
【図２９Ｂ】図２９Ｂは、図１０に記載の電球に使用したときの状態認識タグのタグ本体部の保持情報例を示す図である。
【図２９Ｃ】図２９Ｃは、図１０に記載の電球に使用したときの状態認識タグの第２タグ断片部の情報例を示す図である。
【図２９Ｄ】図２９Ｄは、図１０に記載の電球に使用したときの状態認識タグの第２タグ断片部の保持情報例を示す図である。
【図３０Ａ】図３０Ａは、タグ本体部と第１タグ断片部と第２タグ断片部とが結合している、状態１のタグを示す図である。
【図３０Ｂ】図３０Ｂは、タグ本体部と第２タグ断片部とが結合し、タグ本体部と第２タグ断片部とから第１タグ断片部が分離している、状態２のタグを示す図である。
【図３０Ｃ】図３０Ｃは、タグ本体部と第１タグ断片部とが結合し、タグ本体部と第１タグ断片部とから第２タグ断片部が分離している、状態３のタグを示す図である。
【図３０Ｄ】図３０Ｄは、タグ本体部から第１タグ断片部と第２タグ断片部とがそれぞれ分離している、状態４のタグを示す図である。
【手続補正３】
【補正対象書類名】図面
【補正対象項目名】全図
【補正方法】変更
【補正の内容】
【図１】
2005119585.tif 000056
【図２】
2005119585.tif 000057
【図３】
2005119585.tif 000058
【図４】
2005119585.tif 000059
【図５】
2005119585.tif 000060
【図６】
2005119585.tif 000061
【図７Ａ】
2005119585.tif 000062
【図７Ｂ】
2005119585.tif 000063
【図８Ａ】
2005119585.tif 000064
【図８Ｂ】
2005119585.tif 000065
【図８Ｃ】
2005119585.tif 000066
【図９】
2005119585.tif 000067
【図１０】
2005119585.tif 000068
【図１１Ａ】
2005119585.tif 000069
【図１１Ｂ】
2005119585.tif 000070
【図１１Ｃ】
2005119585.tif 000071
【図１１Ｄ】
2005119585.tif 000072
【図１２Ａ】
2005119585.tif 000073
【図１２Ｂ】
2005119585.tif 000074
【図１２Ｃ】
2005119585.tif 000075
【図１２Ｄ】
2005119585.tif 000076
【図１３Ａ】
2005119585.tif 000077
【図１３Ｂ】
2005119585.tif 000078
【図１３Ｃ】
2005119585.tif 000079
【図１３Ｄ】
2005119585.tif 000080
【図１３Ｅ】
2005119585.tif 000081
【図１３Ｆ】
2005119585.tif 000082
【図１４Ａ】
2005119585.tif 000083
【図１４Ｂ】
2005119585.tif 000084
【図１４Ｃ】
2005119585.tif 000085
【図１５Ａ】
2005119585.tif 000086
【図１５Ｂ】
2005119585.tif 000087
【図１５Ｃ】
2005119585.tif 000088
【図１５Ｄ】
2005119585.tif 000089
【図１５Ｅ】
2005119585.tif 000090
【図１５Ｆ】
2005119585.tif 000091
【図１６】
2005119585.tif 000092
【図１７】
2005119585.tif 000093
【図１８Ａ】
2005119585.tif 000094
【図１８Ｂ】
2005119585.tif 000095
【図１９Ａ】
2005119585.tif 000096
【図１９Ｂ】
2005119585.tif 000097
【図１９Ｃ】
2005119585.tif 000098
【図２０Ａ】
2005119585.tif 000099
【図２０Ｂ】
2005119585.tif 000100
【図２０Ｃ】
2005119585.tif 000101
【図２０Ｄ】
2005119585.tif 000102
【図２１Ａ】
2005119585.tif 000103
【図２１Ｂ】
2005119585.tif 000104
【図２２】
2005119585.tif 000105
【図２３】
2005119585.tif 000106
【図２４Ａ】
2005119585.tif 000107
【図２４Ｂ】
2005119585.tif 000108
【図２５Ａ】
2005119585.tif 000109
【図２５Ｂ】
2005119585.tif 000110
【図２５Ｃ】
2005119585.tif 000111
【図２５Ｄ】
2005119585.tif 000112
【図２６Ａ】
2005119585.tif 000113
【図２６Ｂ】
2005119585.tif 000114
【図２６Ｃ】
2005119585.tif 000115
【図２６Ｄ】
2005119585.tif 000116
【図２６Ｅ】
2005119585.tif 000117
【図２６Ｆ】
2005119585.tif 000118
【図２７Ａ】
2005119585.tif 000119
【図２７Ｂ】
2005119585.tif 000120
【図２７Ｃ】
2005119585.tif 000121
【図２７Ｄ】
2005119585.tif 000122
【図２８Ａ】
2005119585.tif 000123
【図２８Ｂ】
2005119585.tif 000124
【図２８Ｃ】
2005119585.tif 000125
【図２８Ｄ】
2005119585.tif 000126
【図２９Ａ】
2005119585.tif 000127
【図２９Ｂ】
2005119585.tif 000128
【図２９Ｃ】
2005119585.tif 000129
【図２９Ｄ】
2005119585.tif 000130
【図３０Ａ】
2005119585.tif 000131
【図３０Ｂ】
2005119585.tif 000132
【図３０Ｃ】
2005119585.tif 000133
【図３０Ｄ】
2005119585.tif 000134
【国際調査報告】
2005119585.tif 000135
2005119585.tif 000136
2005119585.tif 000137
2005119585.tif 000138